(57)【要約】無線デバイスは、セルのＳＲＳの構成、ＳＲＳの第１の累積電力制御調整が有効であるかどうか、を示す、第１のパラメータと、第２のパラメータと、を含む、セルの構成パラメータを受信する。第２のパラメータは、セルのアップリンクデータチャネルの構成、およびアップリンクデータチャネルの第２の累積電力制御調整が有効であるかどうか、を示す。第１の累積電力制御調整および第１の電力制御コマンドに基づいて、ＳＲＳについての第１の送信電力が判定される。ＳＲＳは、セルを介して、第１の送信電力で送信される。第２の累積電力制御調整および第２の電力制御コマンドに基づいて、セルのアップリンクデータチャネルについての第２の送信電力が判定される。１つ以上のトランスポートブロックは、セルのアップリンクデータチャネルを介して、第２の送信電力で送信される。【選択図】図２５
2020527920.tif 000002
【特許請求の範囲】
【請求項１】
基地局から無線デバイスによって、セルの構成パラメータを含む１つ以上のメッセージを受信することであって、前記構成パラメータは、
前記セルのサウンディング基準信号（ＳＲＳ）の構成、および
前記ＳＲＳの第１の累積電力制御調整が有効であるかどうかを示す、第１のパラメータと、
前記セルのアップリンクデータチャネルの構成、および
前記アップリンクデータチャネルの第２の累積電力制御調整が有効であるかどうかを示す、第２のパラメータと、を含む、受信することと、
前記セルの前記ＳＲＳについて、前記第１の累積電力制御調整および第１の電力制御コマンドに基づいて第１の送信電力を判定することと、
前記セルを介して、前記第１の送信電力で前記ＳＲＳを送信することと、
前記セルの前記アップリンクデータチャネルについて、前記第２の累積電力制御調整および第２の電力制御コマンドに基づいて第２の送信電力を判定することと、
前記セルの前記アップリンクデータチャネルを介して、前記第２の送信電力で１つ以上のトランスポートブロックを送信することと、を含む、方法。
【請求項２】
前記ＳＲＳの前記送信は、
前記ＳＲＳの送信がアップリンクビーム管理のためにトリガされることを示す、第１のダウンリンク制御情報（ＤＣＩ）を受信することと、
前記ＳＲＳの送信がチャネル状態情報（ＣＳＩ）取得のためにトリガされることを示す、第２のＤＣＩを受信することと、のうちの少なくとも１つによってトリガされる、請求項１に記載の方法。
【請求項３】
前記ＳＲＳの前記送信は、定期的送信、非定期的送信、または半永続的送信のうちの１つを含む、請求項１に記載の方法。
【請求項４】
前記無線デバイスは、前記第１のパラメータが、前記ＳＲＳの前記送信についての累積電力制御調整が有効であることを示すことに応じて、ＳＲＳ送信電力調整状態の第１の電力値と第２の電力値の組み合わせに基づいて前記第１の送信電力を判定し、
前記ＳＲＳ送信電力調整状態は、前記無線デバイスが前記第１の電力制御コマンドを受信する前のＳＲＳ送信電力調整状態を含み、
前記第２の電力値が、前記第１の電力制御コマンドによって示される、請求項１に記載の方法。
【請求項５】
前記無線デバイスは、前記第１のパラメータが、前記ＳＲＳの前記送信についての累積電力制御調整が無効であることを示すことに応じて、前記第１の電力制御コマンドによって示される第２の電力値に基づいて前記第１の送信電力を判定する、請求項１に記載の方法。
【請求項６】
前記無線デバイスは、前記第２の構成パラメータが、前記アップリンクデータチャネルの前記送信についての累積電力制御調整が有効であることを示すことに応じて、アップリンクデータチャネル送信電力調整状態の第１の電力値と第２の電力値の組み合わせに基づいて前記第２の送信電力を判定し、
前記アップリンクデータチャネル送信電力調整状態は、前記無線デバイスが前記第２の電力制御コマンドを受信する前のアップリンクデータチャネル送信電力調整状態であり、
前記第２の電力値が、前記第２の電力制御コマンドによって示される、請求項１に記載の方法。
【請求項７】
前記無線デバイスは、前記第２の構成パラメータが、前記アップリンクデータチャネルの前記送信についての累積電力制御調整が無効であることを示すことに応じて、前記第２の電力制御コマンドによって示される第２の電力値に基づいて前記第２の送信電力を判定する、請求項１に記載の方法。
【請求項８】
前記第１のパラメータが、前記ＳＲＳの前記送信と関連付けられた第１の電力制御調整タイミング値をさらに示す、請求項１に記載の方法。
【請求項９】
前記第２のパラメータが、前記アップリンクデータチャネル送信と関連付けられた第２の電力制御調整タイミング値をさらに示す、請求項１に記載の方法。
【請求項１０】
前記構成パラメータが、許可された送信電力をさらに示す、請求項１に記載の方法。
【請求項１１】
前記第１のパラメータが、
１つ以上のＳＲＳリソースを含む１つ以上のＳＲＳリソースセットと、
第１のターゲット受信電力と、
第１の電力補償係数と、
前記ＳＲＳの前記送信のための１つ以上の第１の電力オフセットと、のうちの少なくとも１つをさらに示す、請求項１に記載の方法。
【請求項１２】
前記第２のパラメータが、
第２のターゲット受信電力と、
第２の電力補償係数と、
前記アップリンクデータチャネル送信のための１つ以上の第２の電力オフセットと、のうちの少なくとも１つをさらに示す、請求項１に記載の方法。
【請求項１３】
前記第１のＤＣＩまたは前記第２のＤＣＩが、
前記ＳＲＳのリソース表示と、
前記第１の電力制御コマンドと、のうちの少なくとも１つを含む、請求項２に記載の方法。
【請求項１４】
前記アップリンクビーム管理が、
第１のスロットで、前記セルの前記第１のＤＣＩを受信することと、
前記セルを介して、第２のスロットで、前記ＳＲＳを含む１つ以上のＳＲＳを送信することと、
第３のスロットで、前記基地局からコマンドを受信することと、のうちの少なくとも１つを含む、請求項２に記載の方法。
【請求項１５】
前記ＣＳＩ取得が、
第１のスロットで、前記セルの前記第２のＤＣＩを受信することと、
前記セルを介して、第２のスロットで、前記ＳＲＳを含む１つ以上のＳＲＳを送信することと、のうちの少なくとも１つを含む、請求項２に記載の方法。
【請求項１６】
前記ＳＲＳの前記半永続的送信は、媒体アクセス制御制御要素（ＭＡＣ  ＣＥ）によってアクティブ化／非アクティブ化され、前記ＭＡＣ  ＣＥが、論理チャネル識別子（ＬＣＩＤ）を有するＭＡＣサブヘッダによって識別される、請求項３に記載の方法。
【請求項１７】
前記無線デバイスが、
前記第１の累積電力制御調整、および
第２のスロットで受信された前記第１の電力制御コマンドに基づいて、第１のスロットで、前記ＳＲＳ送信の前記第１の送信電力を判定し、前記第１のスロットが、前記第２のスロットの後の前記第１の電力制御調整タイミング値で発生する、請求項８に記載の方法。
【請求項１８】
前記無線デバイスが、
前記第２の累積電力制御調整、および
第２のスロットで受信された前記第２の電力制御コマンドに基づいて、第１のスロットで、前記アップリンクデータチャネル送信の前記第２の送信電力を判定し、前記第１のスロットが、前記第２のスロットの後の前記第２の電力制御調整タイミング値で発生する、請求項９に記載の方法。
【請求項１９】
前記無線デバイスが、
前記第１のターゲット受信電力と、
前記第１の電力補償係数と、
前記１つ以上の第１の電力オフセットのうちの少なくとも１つと、
パス損失値と、にさらに基づいて、前記ＳＲＳについての前記第１の送信電力を判定する、請求項１１に記載の方法。
【請求項２０】
前記無線デバイスが、
前記第２のターゲット受信電力と、
前記第２の電力補償係数と、
前記１つ以上の第２の電力オフセットのうちの少なくとも１つと、
パス損失値と、にさらに基づいて、前記アップリンクデータチャネルについての前記第２の送信電力を判定する、請求項１２に記載の方法。
【請求項２１】
前記無線デバイスが、前記第１の送信電力で、１つ以上の送信ビームを介して前記１つ以上のＳＲＳを送信する、請求項１４に記載の方法。
【請求項２２】
前記コマンドが、前記無線デバイスの送信ビームとして前記１つ以上のＳＲＳのうちの１つを示す１つ以上のパラメータを含む、請求項１４に記載の方法。
【請求項２３】
基地局から無線デバイスによって、構成パラメータを含む１つ以上の無線リソース制御メッセージを受信することであって、前記構成パラメータは、
ビーム管理の第１のサウンディング基準信号（ＳＲＳ）の第１のパラメータと、
チャネル状態情報取得の第２のＳＲＳの第２のパラメータと、
合計許容電力値と、を含む、受信することと、
第１のＳＲＳのうちの少なくとも第１のＳＲＳを送信することと、
前記少なくとも第１のＳＲＳの前記送信と時間的にオーバーラップする前記少なくとも第２のＳＲＳの送信、および
前記合計許容電力値を超える合計送信電力に応じて、前記第２のＳＲＳのうちの少なくとも第２のＳＲＳの送信電力を調整することと、
前記調整された送信電力で、前記少なくとも第２のＳＲＳを送信することと、を含む、方法。
【請求項２４】
前記構成パラメータが、第１のセルおよび第２のセルを含む、複数のセルのパラメータをさらに含んでいる、請求項２３に記載の方法。
【請求項２５】
前記構成パラメータが、１つ以上のセルグループにグループ化された複数のセルをさらに示しており、前記１つ以上のセルグループの第１のセルグループが、第１のセルを含んでおり、前記１つ以上のセルグループの第２のセルグループが、第２のセルを含んでいる、請求項２３に記載の方法。
【請求項２６】
前記第１のパラメータが、
ＳＲＳリソース構成パラメータと、
準コロケーション（ＱＣＬ）表示パラメータと、
ビーム掃引パラメータと、
ＳＲＳ電力設定パラメータと、のうちの少なくとも１つを含む、請求項２３に記載の方法。
【請求項２７】
前記ビーム管理が、
ダウンリンク制御チャネルを介して送信される第１のダウンリンク制御情報（ＤＣＩ）と、
メディアアクセス制御制御要素（ＭＡＣ  ＣＥ）と、のうちの少なくとも１つによってトリガされる、請求項２３に記載の方法。
【請求項２８】
前記少なくとも第１のＳＲＳが、定期的ＳＲＳまたは半永続的ＳＲＳである、請求項２３に記載の方法。
【請求項２９】
前記合計送信電力が、前記少なくとも第１のＳＲＳの第１の送信の第１の送信電力と、前記少なくとも第２のＳＲＳの第２の送信の第２の送信電力と、を含む、請求項２３に記載の方法。
【請求項３０】
前記無線デバイスが、前記合計送信電力が前記合計許容電力値を超えないように、前記少なくとも第２のＳＲＳの前記送信電力を調整する、請求項２３に記載の方法。
【請求項３１】
前記第１のセルが、プライマリセル、セカンダリセル、または物理アップリンク制御チャネル（ＰＵＣＣＨ）セカンダリセルである、請求項２４に記載の方法。
【請求項３２】
前記第２のセルが、プライマリセル、セカンダリセル、またはＰＵＣＣＨセカンダリセルである、請求項２４に記載の方法。
【請求項３３】
前記無線デバイスが、前記第１のセルを介して、前記少なくとも第１のＳＲＳおよび前記少なくとも第２のＳＲＳを送信する、請求項２４に記載の方法。
【請求項３４】
前記無線デバイスが、
前記第１のセルを介して前記少なくとも第１のＳＲＳを送信し、かつ
前記第２のセルを介して前記少なくとも第２のＳＲＳを送信する、請求項２４に記載の方法。
【請求項３５】
前記第１のセルが、前記第１のセルグループのプライマリセルであり、かつ／または前記第２のセルが、前記第２のセルグループのプライマリセカンダリセルである、請求項２５に記載の方法。
【請求項３６】
前記第１のセルが、前記第１のセルグループのプライマリセルであり、かつ／または前記第２のセルが、前記第２のセルグループのＰＵＣＣＨセカンダリセルである、請求項２５に記載の方法。
【請求項３７】
前記第１のセルが、前記第１のセルグループのプライマリセルであり、かつ／または前記第２のセルが、前記第２のセルグループのセカンダリセルである、請求項２５に記載の方法。
【請求項３８】
前記無線デバイスが、前記第１のセルを介して、前記少なくとも第１のＳＲＳおよび前記少なくとも第２のＳＲＳを送信する、請求項２５に記載の方法。
【請求項３９】
前記無線デバイスが、
前記第１のセルを介して前記少なくとも第１のＳＲＳを送信し、かつ
前記第２のセルを介して前記少なくとも第２のＳＲＳを送信する、請求項２５に記載の方法。
【請求項４０】
前記無線デバイスが、第１の送信電力で前記少なくとも第１のＳＲＳを送信し、前記第１の送信電力が、
前記第１のパラメータ、および
ＤＣＩで示されるＳＲＳ電力制御コマンドのうちの少なくとも１つに基づいて判定される、請求項２５に記載の方法。
【請求項４１】
前記ＭＡＣ  ＣＥが、前記少なくとも第１のＳＲＳと関連付けられたＳＲＳリソースインジケータを示す、請求項２７に記載の方法。
【請求項４２】
前記第１のＤＣＩが、
前記少なくとも第１のＳＲＳと関連付けられたＳＲＳリソースインジケータと、
第１のＳＲＳ電力制御コマンドと、のうちの少なくとも１つを示す、請求項２７に記載の方法。
【請求項４３】
基地局から無線デバイスによって、１つ以上の無線リソース制御メッセージを受信することであって、前記１つ以上の無線リソース制御メッセージが、
第１のセルおよび第２のセルを含む、複数のセルの第１の構成パラメータと、
前記第１のセルのビーム管理の第１のサウンディング基準信号（ＳＲＳ）の第２の構成パラメータと、を含んでいる、受信することと、
前記第１のセルを介して、前記第１のＳＲＳのうちの少なくとも第１のＳＲＳを送信することと、
前記少なくとも第１のＳＲＳの前記送信と時間的にオーバーラップする、前記第２のセルを介した第２の信号の構成／スケジュールされた送信、および
第１の合計許容電力値を超える合計送信電力に応じて、前記第２の信号の前記構成／スケジュールされた送信をドロップすることと、を含む、方法。
【請求項４４】
前記第１の構成パラメータが、
ＳＲＳリソース構成パラメータと、
ＱＣＬ表示パラメータと、
ビーム掃引パラメータと、
ＳＲＳ電力設定パラメータと、のうちの少なくとも１つを含む、請求項４３に記載の方法。
【請求項４５】
前記ビーム管理が、
ダウンリンク制御チャネルを介して送信される第１のダウンリンク制御情報（ＤＣＩ）と、
メディアアクセス制御制御要素（ＭＡＣ  ＣＥ）と、のうちの少なくとも１つによってトリガされる、請求項４３に記載の方法。
【請求項４６】
前記少なくとも第１のＳＲＳが、定期的ＳＲＳまたは半永続的ＳＲＳである、請求項４３に記載の方法。
【請求項４７】
前記合計送信電力が、前記少なくとも第１のＳＲＳの第１の送信の第１の送信電力と、前記第２の信号の第２の送信の第２の送信電力と、を含む、請求項４３に記載の方法。
【請求項４８】
前記第２の信号が、ＣＳＩ取得のための第２のＳＲＳ、またはＰＲＡＣＨプリアンブルのうちの少なくとも１つを含む、請求項４３に記載の方法。
【請求項４９】
前記無線デバイスが、第１の送信電力で前記少なくとも第１のＳＲＳを送信し、前記第１の送信電力が、
前記第２の構成パラメータ、および
ＤＣＩで示されるＳＲＳ電力制御コマンドのうちの少なくとも１つに基づいて判定される、請求項４３に記載の方法。
【請求項５０】
前記第２の信号の前記構成／スケジュールされた送信が、ＤＣＩ、ＭＡＣ  ＣＥ、またはＲＲＣメッセージによってトリガされる、請求項４３に記載の方法。
【請求項５１】
基地局から無線デバイスによって、１つ以上の無線リソース制御メッセージを受信することであって、前記１つ以上の無線リソース制御メッセージは、
第１のセルおよび第２のセルを含む、複数のセルの第１の構成パラメータと、
前記第１のセルのビーム管理の第１のサウンディング基準信号（ＳＲＳ）の第２の構成パラメータと、を含んでいる、受信することと、
前記第１のセルを介して、前記第１のＳＲＳのうちの少なくとも第１のＳＲＳを送信することと、
前記少なくとも第１のＳＲＳの前記送信と時間的にオーバーラップする、前記第２のセルを介した第２の信号の構成された送信、および
第１の合計許容電力値を超える合計送信電力に応じて、前記第２の信号の前記構成された送信の送信電力を調整することと、
前記調整された送信電力で、前記第２のセルを介して前記第２の信号を送信することと、を含む、方法。
【請求項５２】
前記第１の構成パラメータが、
ＳＲＳリソース構成パラメータと、
ＱＣＬ表示パラメータと、
ビーム掃引パラメータと、
ＳＲＳ電力設定パラメータと、のうちの少なくとも１つを含む、請求項５１に記載の方法。
【請求項５３】
前記ビーム管理が、
ダウンリンク制御チャネルを介して送信される第１のダウンリンク制御情報（ＤＣＩ）と、
メディアアクセス制御制御要素（ＭＡＣ  ＣＥ）と、のうちの少なくとも１つによってトリガされる、請求項５１に記載の方法。
【請求項５４】
前記少なくとも第１のＳＲＳが、定期的ＳＲＳまたは半永続的ＳＲＳである、請求項５１に記載の方法。
【請求項５５】
前記合計送信電力が、前記少なくとも第１のＳＲＳの第１の送信の第１の送信電力と、前記第２の信号の第２の送信の第２の送信電力と、を含む、請求項５１に記載の方法。
【請求項５６】
前記第２の信号が、ＣＳＩ取得のための第２のＳＲＳ、またはＰＲＡＣＨプリアンブルのうちの少なくとも１つを含む、請求項５１に記載の方法。
【請求項５７】
前記無線デバイスが、第１の送信電力で前記少なくとも第１のＳＲＳを送信し、前記第１の送信電力が、
前記第２の構成パラメータ、および
ＤＣＩで示されるＳＲＳ電力制御コマンドのうちの少なくとも１つに基づいて判定される、請求項５１に記載の方法。
【請求項５８】
前記第２の信号の前記構成／スケジュールされた送信が、ＤＣＩ、ＭＡＣ  ＣＥ、またはＲＲＣメッセージによってトリガされる、請求項５１に記載の方法。
【請求項５９】
前記無線デバイスが、前記合計送信電力が前記合計許容電力値を超えないように、前記第２の信号の前記送信電力を調整する、請求項５１に記載の方法。
【請求項６０】
前記第２の信号の前記送信電力を調整することが、前記合計送信電力が前記合計許容電力値を超えないように、前記第２の信号の前記送信電力を低減することを含む、請求項５１に記載の方法。
【請求項６１】
基地局から無線デバイスによって、アップリンクビーム管理プロシージャの構成パラメータを含む１つ以上のメッセージを受信することであって、前記構成パラメータが、
第１のサウンディング基準信号（ＳＲＳ）リソースの第１のパラメータと、
第２のアップリンクリソースの第２のパラメータと、
第１のタイマの第１のタイマ値と、を含んでいる、受信することと、
第１のダウンリンク制御情報（ＤＣＩ）を受信することであって、前記第１のＤＣＩが、前記アップリンクビーム管理プロシージャのための少なくとも１つのＳＲＳの送信を示している、受信することと、
前記第１のＳＲＳリソースのうちの少なくとも１つを介して、前記少なくとも１つのＳＲＳを送信することであって、
前記送信に応じて、
前記第１のタイマ値に基づいて前記第１のタイマを開始し、かつ
第２のＤＣＩのダウンリンク制御チャネルを監視する、送信することと、
前記監視中に前記第２のＤＣＩを検出しないことに応じて、前記第２のアップリンクリソースのうちの少なくとも１つを介して、少なくとも第２のアップリンク信号を送信することと、を含む、方法。
【請求項６２】
前記監視中に前記第２のＤＣＩを検出したことに応じて、
前記第１のタイマを停止することと、
前記アップリンクビーム管理プロシージャを正常に完了することと、をさらに含む、請求項６１に記載の方法。
【請求項６３】
前記第２のアップリンクリソースが、
第２のＳＲＳと、
１つ以上の復調ＲＳ（ＤＭ−ＲＳ）と、
１つ以上のＲＡＣＨリソースと関連付けられた１つ以上のプリアンブルと、のうちの少なくとも１つを含む、請求項６１に記載の方法。
【請求項６４】
前記第２のパラメータが、１つ以上のＲＡＣＨリソースを示しており、前記１つ以上のＲＡＣＨリソースの各々が、
プリアンブルインデックスと、
ＰＲＡＣＨ数秘術と、
時間および／または周波数無線リソース割り振りと、
プリアンブル送信の電力設定と、のうちの少なくとも１つと関連付けられている、請求項６１に記載の方法。
【請求項６５】
前記第１のＤＣＩが、
前記第１のＳＲＳリソースのうちの１つを示している、ＲＳリソース識別子と、
プリアンブルインデックスと、のうちの少なくとも１つを含む、請求項６１に記載の方法。
【請求項６６】
前記第１のＤＣＩが、前記第２のＤＣＩの構成パラメータを含んでおり、前記第２のＤＣＩの前記構成パラメータが、
前記第２のＤＣＩがいつ存在するかを示している時間値を有する、時間窓と、
前記第２のＤＣＩのＤＣＩフォーマット表示と、
前記第２のＤＣＩのアグリゲーションレベルと、
前記第２のＤＣＩと関連付けられた制御リソースセットと、
前記第２のＤＣＩと関連付けられた検索空間と、
前記第２のＤＣＩを受信するための準コロケーション（ＱＣＬ）表示と、のうちの少なくとも１つを含んでいる、請求項６１に記載の方法。
【請求項６７】
前記少なくとも第２のアップリンク信号が、
プリアンブルと、
物理アップリンク共有制御チャネル（ＰＵＣＣＨ）を介した信号と、のうちの少なくとも１つを含む、請求項６１に記載の方法。
【請求項６８】
前記無線デバイスが、前記第１のタイマが動作しているときの少なくとも一部の間、前記第２のＤＣＩについて前記ダウンリンク制御チャネルを監視する、請求項６１に記載の方法。
【請求項６９】
前記第１のパラメータが、
前記第１のＳＲＳリソースの１つ以上の無線リソース設定パラメータと、
前記第１のＳＲＳリソースの電力設定パラメータと、のうちの少なくとも１つを含む、請求項６１に記載の方法。
【請求項７０】
前記アップリンクビーム管理プロシージャを正常に完了することが、前記第２のＤＣＩのうちの１つ以上のフィールドに従って送信ビームを調整することを含む、請求項６２に記載の方法。
【請求項７１】
前記少なくとも１つのアップリンク信号が、前記１つ以上のプリアンブルから選択されたプリアンブルである、請求項６３に記載の方法。
【請求項７２】
前記少なくとも１つのアップリンク信号が、前記第１のＤＣＩで示される前記１つ以上のプリアンブルのうちのプリアンブルである、請求項６３に記載の方法。
【請求項７３】
前記少なくとも１つのアップリンク信号が、前記第１のＤＣＩで示される前記第２のＳＲＳのうちのＳＲＳである、請求項６３に記載の方法。
【請求項７４】
前記少なくとも１つのアップリンク信号が、前記第１のＤＣＩで示される前記ＤＭ−ＲＳのうちのＤＭ−ＲＳである、請求項６３に記載の方法。
【請求項７５】
前記無線デバイスが、前記１つ以上のＲＡＣＨリソースのうちの１つと関連付けられたプリアンブルを含んでいる、前記少なくとも１つのアップリンク信号を送信する、請求項６４に記載の方法。
【請求項７６】
前記無線デバイスが、
前記プリアンブルと関連付けられた前記ＰＲＡＣＨ数秘術と、
前記プリアンブルと関連付けられた時間および／または周波数無線リソース割り振りと、
前記プリアンブルと関連付けられた前記プリアンブル送信の前記電力設定と、に従って、前記プリアンブルを送信する、請求項６４に記載の方法。
【請求項７７】
前記無線デバイスが、
前記時間窓と、
前記ＤＣＩフォーマット表示と、
前記アグリゲーションレベルと、
前記制御リソースセットと、
前記検索空間と、
前記ＱＣＬ表示と、のうちの少なくとも１つに従って、前記第２のＤＣＩについて物理ダウンリンク制御チャネル（ＰＤＣＣＨ）を監視する、請求項６６に記載の方法。
【請求項７８】
前記第２のＤＣＩの受信に応じて、ＰＵＣＣＨまたは物理アップリンク共有チャネル（ＰＵＳＣＨ）で、前記少なくとも第２のアップリンク信号を送信することをさらに含む、請求項６６に記載の方法。
【請求項７９】
前記少なくとも第２の信号の送信のためのＰＵＣＣＨリソースが、前記第１のＤＣＩで示される、請求項６７に記載の方法。
【請求項８０】
前記少なくとも第２の信号の送信のためのＰＵＣＣＨリソースが、前記１つ以上のメッセージで示される、請求項６７に記載の方法。
【請求項８１】
基地局から無線デバイスによって、アップリンクビーム管理プロシージャの構成パラメータを含む１つ以上の無線リソース制御メッセージを受信することであって、前記構成パラメータが、
基準信号（ＲＳ）リソースと、
第１のタイマの第１のタイマ値と、を示している、受信することと、
第１のダウンリンク制御情報（ＤＣＩ）を受信することであって、前記第１のＤＣＩが、
前記ＲＳリソースの第１のＲＳを識別するＲＳインデックスと、
第２のＤＣＩが存在するかどうかを示すインジケータと、を含んでいる、受信することと、
前記第１のＤＣＩの受信に応じて、前記第１のＲＳを送信することであって、
前記第２のＤＣＩが存在することを示している前記第１のＤＣＩの前記インジケータに応じて、
前記第１のタイマ値に基づいて、前記第１のタイマを開始し、かつ
前記第２のＤＣＩの物理ダウンリンク制御チャネル（ＰＤＣＣＨ）を監視する、送信することと、
前記第２のＤＣＩに応じて、前記アップリンクビーム管理プロシージャを完了することと、を含む、方法。
【請求項８２】
前記無線デバイスが、前記第２のＤＣＩについて前記ＰＤＣＣＨを監視せず、かつ前記第２のＤＣＩが存在しないことを示している前記インジケータに応じて、前記第１のタイマを開始しないこと、をさらに含む、請求項８１に記載の方法。
【請求項８３】
前記アップリンクビーム管理プロシージャを完了することが、前記第２のＤＣＩのうちの１つ以上のフィールドに従って送信ビームを調整することを含む、請求項８１に記載の方法。
【請求項８４】
前記ＲＳリソースが、
サウンディング基準信号（ＳＲＳ）と、
１つ以上の復調ＲＳ（ＤＭ−ＲＳ）と、
１つ以上のＲＡＣＨリソースと関連付けられた１つ以上のプリアンブルと、のうちの少なくとも１つを含む、請求項８１に記載の方法。
【請求項８５】
前記監視中に前記第２のＤＣＩを検出したことに応じて、
前記第１のタイマを停止することと、
前記アップリンクビーム管理プロシージャを正常に完了することと、をさらに含む、請求項８１に記載の方法。
【請求項８６】
前記監視中に前記第２のＤＣＩを検出しないことに応じて、
前記第１のタイマを停止することと、
少なくとも第２の信号を送信することと、をさらに含む、請求項８１に記載の方法。
【請求項８７】
前記少なくとも第２の信号が、
第２のＳＲＳと、
１つ以上の第２のＤＭ−ＲＳと、
１つ以上の第２のプリアンブルと、のうちの少なくとも１つを含む、請求項８６に記載の方法。
【発明の詳細な説明】
【背景技術】
【０００１】
関連出願の相互参照
本出願は、２０１７年９月７日に出願された米国仮出願第６２／５５５，３５９号、２０１７年９月７日に出願された米国仮出願第６２／５５５，３６６号、および２０１７年９月２８日に出願された米国仮出願第６２／５６４，６２６号の利益を主張し、かつその全体が参照により本明細書に組み込まれる。
【発明の概要】
【課題を解決するための手段】
【０００２】
本発明の例示的な実施形態は、キャリアアグリゲーションの動作を可能にする。ここに開示する技術の複数の実施形態を、マルチキャリア通信システムの技術分野において用いることが可能である。より具体的には、本明細書に開示された技術の実施形態は、マルチキャリア通信システムにおける信号タイミングに関連し得る。
【図面の簡単な説明】
【０００３】
本発明の様々な実施形態のうちのいくつかの例が、図面を参照して本明細書に記載されている。
【０００４】
【図１】本開示の一実施形態の一局面によるＯＦＤＭサブキャリアの例示的なセットを示す図である。
【図２】本開示の一実施形態の一局面によるキャリアグループ内の２つのキャリアに関する例示的な送信時間および受信時間を示す図である。
【図３】本開示の一実施形態の一態様によるＯＦＤＭ無線リソースを描写する図である。
【図４】本開示の一実施形態の一態様による基地局および無線デバイスのブロック図である。
【図５Ａ】本開示の一実施形態の一局面によるアップリンクおよびダウンリンク信号伝送の例示的な図である。
【図５Ｂ】本開示の一実施形態の一局面によるアップリンクおよびダウンリンク信号伝送の例示的な図である。
【図５Ｃ】本開示の一実施形態の一局面によるアップリンクおよびダウンリンク信号伝送の例示的な図である。
【図５Ｄ】本開示の一実施形態の一局面によるアップリンクおよびダウンリンク信号伝送の例示的な図である。
【図６】本開示の一実施形態の一態様による、マルチ接続性を有するプロトコル構造の例示的な図である。
【図７】本開示の一実施形態の一局面によるＣＡおよびＤＣを用いたプロトコル構成の例示的な図である。
【図８】本開示の一実施形態の一局面による例示的なＴＡＧ構造を示している。
【図９】本開示の一実施形態の一局面による二次ＴＡＧにおけるランダムアクセスプロセスの例示的なメッセージフローである。
【図１０Ａ】本開示の一実施形態の一態様による、５Ｇコアネットワーク（例えば、ＮＧＣ）と基地局（例えば、ｇＮＢおよびｅＬＴＥ  ｅＮＢ）との間のインターフェースの例示的な図である。
【図１０Ｂ】本開示の一実施形態の一態様による、５Ｇコアネットワーク（例えば、ＮＧＣ）と基地局（例えば、ｇＮＢおよびｅＬＴＥ  ｅＮＢ）との間のインターフェースの例示的な図である。
【図１１Ａ】本開示の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｂ】本開示の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｃ】本開示の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｄ】本開示の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｅ】本開示の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１１Ｆ】本開示の一実施形態の一態様による、５Ｇ  ＲＡＮ（例えば、ｇＮＢ）とＬＴＥ  ＲＡＮ（例えば、（ｅ）ＬＴＥ  ｅＮＢ）との間の緊密なインターワーキングのアーキテクチャの例示的な図である。
【図１２Ａ】本開示の一実施形態の一態様による、緊密なインターワーキングベアラの無線プロトコル構造の例示的な図である。
【図１２Ｂ】本開示の一実施形態の一態様による、緊密なインターワーキングベアラの無線プロトコル構造の例示的な図である。
【図１２Ｃ】本開示の一実施形態の一態様による、緊密なインターワーキングベアラの無線プロトコル構造の例示的な図である。
【図１３Ａ】本開示の一実施形態の一態様によるｇＮＢ展開シナリオの例示的な図である。
【図１３Ｂ】本開示の一実施形態の一態様によるｇＮＢ展開シナリオの例示的な図である。
【図１４】本開示の一実施形態の一態様による、集中型ｇＮＢ展開シナリオの機能分割オプション例に対する例示的な図である。
【図１５】本開示の一実施形態の一態様による、同期信号ブロック伝送に対する例示的な図である。
【図１６】本開示の一実施形態の一態様による、複数ビームによるランダムアクセスプロシージャの例示的な図である。
【図１７】本開示の一実施形態の一態様による、チャネル状態情報基準信号伝送の例示的な図である。
【図１８】本開示の一実施形態の一態様による、チャネル局情報基準信号伝送の例示的な図である。
【図１９】本開示の一実施形態の一態様による、ダウンリンクビーム管理プロシージャの例示的な図である。
【図２０Ａ】本開示の一実施形態の一態様による、それぞれ１つのＴＲＰおよび複数のＴＲＰにおけるダウンリンクビーム障害の例示的な図である。
【図２０Ｂ】本開示の一実施形態の一態様による、それぞれ１つのＴＲＰおよび複数のＴＲＰにおけるダウンリンクビーム障害の例示的な図である。
【図２１】本開示の一実施形態の一態様による、サウンディング基準信号伝送の例示的な図である。
【図２２】本開示の一実施形態の一態様による、アップリンクビーム管理プロシージャの例示的な図である。
【図２３】本開示の一実施形態の一態様による、アップリンクビーム障害イベントの例示的な図である。
【図２４】本開示の一実施形態の一態様による、アップリンクビーム障害回復プロシージャの例示的な図である。
【図２５】本開示の一実施形態の一態様の流れ図である。
【図２６】本開示の一実施形態の一態様の流れ図である。
【図２７】本開示の一実施形態の一態様の流れ図である。
【図２８】本開示の一実施形態の一態様の流れ図である。
【図２９】本開示の一実施形態の一態様の流れ図である。
【図３０】本開示の一実施形態の一態様の流れ図である。
【発明を実施するための形態】
【０００５】
本開示を通じ、以下の略称が使用される。
【表１−１】
2020527920.tif 000003
【表１−２】
2020527920.tif 000004
【表１−３】
2020527920.tif 000005
【０００６】
本発明の例示的な実施形態は、種々の物理レイヤ変調および伝送メカニズムを使用して具現化されてもよい。例示的伝送メカニズムとして、限定ではないが、ＣＤＭＡ、ＯＦＤＭ、ＴＤＭＡ、ウェーブレット技術、および／または同等物が挙げられる。ＴＤＭＡ／ＣＤＭＡおよびＯＦＤＭ／ＣＤＭＡ等のハイブリッド伝送メカニズムもまた、用いられ得る。様々な変調方式を、物理レイヤ内の信号伝送に適用することができる。変調方式の例としては、位相、振幅、コード、これらの組み合わせ、および／または同様のものが挙げられるが、これらに限定されない。例示的な無線伝送方法が、ＢＰＳＫ、ＱＰＳＫ、１６−ＱＡＭ、６４−ＱＡＭ、２５６−ＱＡＭ、１０２４−ＱＡＭおよび／または同等物を使用して、ＱＡＭを具現化してもよい。物理的な無線伝送は、伝送要件および無線条件に応じて、変調および符号化方式を動的または準動的に変化させることによって、強化することができる。
【０００７】
図１は、本発明の実施形態の一局面による、ＯＦＤＭサブキャリアの例示的セットを描写する略図である。本実施例に図示されるように、図内の矢印が、マルチキャリアＯＦＤＭシステム内のサブキャリアを示してもよい。ＯＦＤＭシステムは、ＯＦＤＭ技術、ＤＦＴＳ−ＯＦＤＭ技術、ＳＣ−ＯＦＤＭ技術、または同等物等の技術を使用し得る。例えば、矢印１０１は、サブキャリア伝送情報シンボルを示す。図１は、例解目的であり、典型的なマルチキャリアＯＦＤＭシステムは、キャリア内により多くのサブキャリアを含んでもよい。例えば、キャリア内のサブキャリアの数は、１０〜１０，０００サブキャリアの範囲内であってもよい。図１は、伝送バンド内の２つのガードバンド１０６および１０７を示す。図１に図示されるように、ガードバンド１０６は、サブキャリア１０３とサブキャリア１０４との間にある。サブキャリアＡ１０２の例示的なセットは、サブキャリア１０３と、サブキャリア１０４と、を含む。図１はまた、サブキャリアＢ１０５の例示的なセットを例解する。図示されるように、サブキャリアＢ１０５の例示的セット内には、任意の２つのサブキャリアの間にガードバンドが存在しない。マルチキャリアＯＦＤＭ通信システム内のキャリアは、連続キャリア、非連続キャリア、または連続キャリアおよび非連続キャリア両方の組み合わせであり得る。
【０００８】
図２は、本開示の実施形態の一局面による、２つのキャリアに関する例示的な送信時間および受信時間を示す図である。マルチキャリアＯＦＤＭ通信システムが、例えば、１〜１０の範囲のキャリアに及ぶ、１つ以上のキャリアを含んでもよい。キャリアＡ２０４およびキャリアＢ２０５は、同じまたは異なるタイミング構造を有してもよい。図２は、２つの同期されたキャリアを示すが、キャリアＡ２０４およびキャリアＢ２０５は、相互に同期されても、またはそうではなくてもよい。複数の異なる無線フレーム構造が、ＦＤＤおよびＴＤＤ複信メカニズムに対してサポートされてもよい。図２は、例示的なＦＤＤフレームタイミングを示す。ダウンリンクおよびアップリンク伝送が、無線フレーム２０１の中に編成されてもよい。本実施例では、無線フレーム持続時間は、１０ミリ秒である。例えば１〜１００ミリ秒の範囲内などの、その他のフレーム持続時間もまた、サポートされてもよい。本実施例では、各１０ミリ秒無線フレーム２０１が、１０個の等しいサイズのサブフレーム２０２に分割されてもよい。０．５ミリ秒、１ミリ秒、２ミリ秒、および５ミリ秒などの、その他のサブフレーム持続時間もまた、サポートされてもよい。サブフレーム（複数可）は、２つ以上のスロット（例えば、スロット２０６および２０７）を含んでもよい。ＦＤＤの実施例の場合には、各１０ミリ秒間隔において、１０個のサブフレームが、ダウンリンク伝送のために利用可能であってもよく、１０個のサブフレームが、アップリンク伝送のために利用可能であってもよい。アップリンクおよびダウンリンク伝送は、周波数領域内で分離することができる。スロットは、ノーマルＣＰを有する、６０ｋＨｚまでの同じサブキャリア間隔の場合、７または１４個のＯＦＤＭシンボルとすることができる。スロットは、ノーマルＣＰを有する、６０ｋＨｚよりも大きい同じサブキャリア間隔の場合、１４個のＯＦＤＭシンボルとすることができる。スロットは、すべてのダウンリンク、すべてのアップリンク、またはダウンリンク部分およびアップリンク部分、ならびに／または同様のものを収容することができる。スロットアグリゲーションが、サポートされ得、例えば、データ伝送は、スケジュール設定されて１つまたは複数のスロットの範囲におよび得る。一実施例では、ミニスロットが、サブフレーム内のＯＦＤＭシンボルで開始し得る。ミニスロットは、１つ以上のＯＦＤＭシンボルの持続時間を有することができる。スロット（複数可）は、複数のＯＦＤＭシンボル２０３を含んでもよい。スロット２０６内のＯＦＤＭシンボル２０３の数が、サイクリックプレフィックス長およびサブキャリア間隔に依存してもよい。
【０００９】
図３は、本開示の実施形態の一局面による、ＯＦＤＭ無線リソースを示す図である。時間３０４および周波数３０５におけるリソースグリッド構造が、図３に例解されている。ダウンリンクサブキャリアまたはＲＢの量は、セル内で構成されたダウンリンク伝送バンド幅３０６に、少なくとも部分的に依存し得る。最小無線リソースユニットが、リソース要素（例えば、３０１）と呼ばれてもよい。リソース要素は、リソースブロック（例えば、３０２）にグループ化され得る。リソースブロックは、リソースブロックグループ（ＲＢＧ）（例えば、３０３）と呼ばれるより大きい無線リソースにグループ化され得る。スロット２０６内で伝送される信号は、複数のサブキャリアおよび複数のＯＦＤＭシンボルのうちの１つまたはいくつかのリソースグリッドによって記述され得る。リソースブロックは、リソース要素へのある物理チャネルのマッピングを記述するために使用され得る。物理的リソース要素の他の事前定義されたグループ化も、無線技術に応じて、システムにおいて実装され得る。例えば、２４個のサブキャリアが、５ミリ秒の持続時間の間、無線ブロックとしてグループ化されてもよい。例示的な一実施例においては、リソースブロックが、（１５ＫＨｚサブキャリア帯域幅および１２個のサブキャリアに関して）時間ドメイン内の１つのスロットおよび周波数ドメイン内の１８０ｋＨｚに対応してもよい。
【００１０】
例示的な実施形態では、複数の数秘術が、サポートされ得る。一実施例では、数秘術は、基本サブキャリア間隔を整数Ｎによりスケーリングすることによって導出され得る。一実施例では、スケーリング可能な数秘術は、少なくとも１５ｋＨｚ〜４８０ｋＨｚのサブキャリア間隔を可能にすることができる。１５ｋＨｚを有する数秘術、および同じＣＰオーバーヘッドを有する、異なるサブキャリア間隔を有するスケーリングされた数秘術は、ＮＲキャリア内で１ミリ秒毎にシンボル境界において整列することができる。
【００１１】
図５Ａ、図５Ｂ、図５Ｃ、および図５Ｄは、本開示の実施形態の一局面による、アップリンク．およびダウンリンク信号伝送のための例示的な図である。図５Ａは、例示的なアップリンク物理チャネルを示す。物理アップリンク共有チャネルを表すベースバンド信号は、以下のプロセスを実行することができる。これらの機能は、例として例解されており、他のメカニズムが様々な実施形態において実装され得ることが想定される。機能は、スクランブリング、複素数値シンボルを生成するためのスクランブリングされたビットの変調、１つまたはいくつかの伝送レイヤ上への複素数値変調シンボルのマッピング、複素数値シンボルを生成するための変換プリコーディング、複素数値シンボルのプリコーディング、リソース要素へのプリコーディングされた複素数値シンボルのマッピング、アンテナポート毎の複素数値時間ドメインＤＦＴＳ−ＯＦＤＭ／ＳＣ−ＦＤＭＡ信号の生成、および／または同等物を含んでもよい。
【００１２】
アンテナポート用の複素数値ＤＦＴＳ−ＯＦＤＭ／ＳＣ−ＦＤＭＡベースバンド信号および／または複素数値ＰＲＡＣＨベースバンド信号のキャリア周波数に対する例示的な変調およびアップコンバージョンが、図５Ｂに示されている。フィルタリングは、伝送の前に用いられてもよい。
【００１３】
ダウンリンク伝送のための例示的構造が、図５Ｃに示される。ダウンリンク物理チャネルを表すベースバンド信号は、以下のプロセスを実行し得る。これらの機能は、例として例解されており、他のメカニズムが様々な実施形態において実装され得ることが想定される。この機能は、物理チャネル上で伝送されるべきコードワード内の符号化されたビットのスクランブリング、複素数値変調シンボルを生成するためのスクランブルされたビットの変調、複素数値変調シンボルの１つまたはいくつかの伝送層上へのマッピング、アンテナポート上で伝送するために層上にある複素数値変調シンボルのプリコーディング、アンテナポートの複素数値変調シンボルのリソース要素へのマッピング、アンテナポート毎の複素数値時間領域ＯＦＤＭ信号の生成、および／または同様のものを含む。
【００１４】
アンテナポートの複素数値ＯＦＤＭベースバンド信号のキャリア周波数に対する例示的な変調およびアップコンバージョンが、図５Ｄに示されている。フィルタリングは、伝送の前に用いられてもよい。
【００１５】
図４は、本開示の実施形態の一局面による、基地局４０１および無線デバイス４０６の例示的ブロック図である。通信ネットワーク４００が、少なくとも１つの基地局４０１と、少なくとも１つの無線デバイス４０６とを含んでもよい。基地局４０１は、少なくとも１つの通信インターフェース４０２と、少なくとも１つのプロセッサ４０３と、非一時的メモリ４０４内に記憶され、かつ少なくとも１つのプロセッサ４０３によって実行可能な少なくとも１セットのプログラムコード命令４０５と、を含み得る。無線デバイス４０６は、少なくとも１つの通信インターフェース４０７と、少なくとも１つのプロセッサ４０８と、非一時的メモリ４０９内に記憶され、かつ少なくとも１つのプロセッサ４０８によって実行可能な少なくとも１セットのプログラムコード命令４１０と、を含み得る。基地局４０１内の通信インターフェース４０２は、少なくとも１つの無線リンク４１１を含む通信経路を介して、無線デバイス４０６内の通信インターフェース４０７との通信を行うように構成されていてもよい。無線リンク４１１は、双方向リンクであってもよい。無線デバイス４０６内の通信インターフェース４０７もまた、基地局４０１内の通信インターフェース４０２との通信を行うように構成されていてもよい。基地局４０１および無線デバイス４０６が、複数の周波数キャリアを使用し、無線リンク４１１を経由して、データを送受信するように構成されていてもよい。実施形態のうちのいくつかの様々な態様によれば、送受信機（複数可）が使用され得る。送受信機は、送信機および受信機の両方を有するデバイスである。送受信機が、無線デバイス、基地局、中継ノード、および／または同等物等のデバイス内で用いられてもよい。通信インターフェース４０２、４０７、および無線リンク４１１において実装される無線技術に関する例示的な実施形態が、例解され、図１、図２、図３、図５、および関連するテキストである。
【００１６】
インターフェースが、ハードウェアインターフェース、ファームウェアインターフェース、ソフトウェアインターフェース、および／またはそれらの組み合わせであってもよい。ハードウェアインターフェースは、コネクタ、ワイヤ、電子デバイス、例えば、ドライバ、増幅器、および／または同等物を含んでもよい。ソフトウェアインターフェースが、メモリデバイス内に記憶され、プロトコル、プロトコルレイヤ、通信ドライバ、デバイスドライバ、それらの組み合わせ、および／または同等物を具現化するコードを含んでもよい。ファームウェアインターフェースが、組込み型ハードウェアと、メモリデバイス内に記憶され、および／またはこれと通信し、接続、電子デバイス動作、プロトコル、プロトコルレイヤ、通信ドライバ、デバイスドライバ、ハードウェア動作、これらの組み合わせ、および／または同等物を具現化するコードの組み合わせを含んでもよい。
【００１７】
構成されるという用語は、デバイスが動作状態または非動作状態にあるかどうかに関わらず、デバイスの能力と関連し得る。構成されるとは、また、そのデバイスが動作状態または非動作状態にあるかどうかにかかわらず、そのデバイスの動作特性に影響を及ぼすデバイス内の特定の設定を指し得る。換言すると、ハードウェア、ソフトウェア、ファームウェア、レジスタ、メモリ値、および／または同等物は、デバイスが動作状態または非動作状態にあるかどうかに関わらず、デバイスに具体的特性を提供するように、デバイス内で「構成」されていてもよい。「デバイス内で生じさせるための制御メッセージ」等の用語は、デバイスが動作状態または非動作状態にあるかどうかに関わらず、デバイス内の具体的特性を構成するために使用され得るパラメータを、制御メッセージが有することを意味し得る。
【００１８】
実施形態の様々な態様のいくつかによれば、５Ｇネットワークは、多数の基地局を含むことができ、無線デバイスに向かうユーザプレーンＮＲ  ＰＤＣＰ／ＮＲ  ＲＬＣ／ＮＲ  ＭＡＣ／ＮＲ  ＰＨＹおよび制御プレーン（ＮＲ  ＲＲＣ）プロトコル終端を提供する。基地局（複数可）は、他の基地局（複数可）と相互接続されることができる（例えば、Ｘｎインターフェースを使用する）。基地局はまた、例えば、ＮＧインターフェースを使用して、ＮＧＣに接続され得る。図１０Ａおよび図１０Ｂは、本開示の一実施形態の一態様による、５Ｇコアネットワーク（例えば、ＮＧＣ）と基地局（例えば、ｇＮＢおよびｅＬＴＥ  ｅＮＢ）との間のインターフェースの例示的な図である。例えば、基地局は、ＮＧ−Ｃインターフェースを使用するＮＧＣ制御プレーン（例えば、ＮＧ  ＣＰ）に、およびＮＧ−Ｕインターフェースを使用するＮＧＣユーザプレーン（例えば、ＵＰＧＷ）に相互接続されてもよい。ＮＧインターフェースは、５Ｇコアネットワークと基地局との間の多対多の関係をサポートすることができる。
【００１９】
基地局が、多くのセクタ、例えば、１、２、３、４、または６つのセクタを含んでもよい。基地局が、多くのセル、例えば、１〜５０以上のセルを含んでもよい。セルは、例えば、プライマリセルまたはセカンダリセルとして、分類され得る。ＲＲＣ接続確立／再確立／ハンドオーバでは、１つのサービングセルが、ＮＡＳ（非アクセス層）モビリティ情報（例えば、ＴＡＩ）を提供してもよく、ＲＲＣ接続再確立／ハンドオーバでは、１つのサービングセルが、セキュリティ入力を提供してもよい。このセルは、プライマリセル（ＰＣｅｌｌ）と呼ばれることがある。ダウンリンクでは、ＰＣｅｌｌに対応するキャリアは、ダウンリンクプライマリコンポーネントキャリア（ＤＬ  ＰＣＣ）であってもよく、一方、アップリンクでは、そのキャリアは、アップリンクプライマリコンポーネントキャリア（ＵＬ  ＰＣＣ）であってもよい。無線デバイス能力に応じて、セカンダリセル（ＳＣｅｌｌ）は、ＰＣｅｌｌと共に、サービングセルのセットを形成するように構成され得てもよい。ダウンリンクでは、ＳＣｅｌｌに対応するキャリアは、ダウンリンクセカンダリコンポーネントキャリア（ＤＬ  ＳＣＣ）であってもよく、一方、アップリンクでは、アップリンク二次コンポーネントキャリア（ＵＬ  ＳＣＣ）であってもよい。ＳＣｅｌｌは、アップリンクキャリアを有しても有していなくてもよい。
【００２０】
セルは、ダウンリンクキャリア、および任意選択的にアップリンクキャリアを含み、物理セルＩＤおよびセルインデックスを割り当てられることができる。キャリア（ダウンリンクまたはアップリンク）が、１つのセルのみに属してもよい。セルＩＤまたはセルインデックスはまた、セルのダウンリンクキャリアまたはアップリンクキャリアを識別することもできる（使用状況に応じて、それが使用される）。本明細書では、セルＩＤは、等しくキャリアＩＤを意味し得、セルインデックスは、キャリアインデックスを意味し得る。実装態様では、物理セルＩＤまたはセルインデックスは、セルに割り当てられてもよい。セルＩＤが、ダウンリンクキャリア上で伝送される同期信号を使用して判定されてもよい。セルインデックスが、ＲＲＣメッセージを使用して判定されてもよい。例えば、本明細書が第１のダウンリンクキャリアに対する第１の物理セルＩＤに言及した場合、本明細書は、第１の物理セルＩＤが、第１のダウンリンクキャリアを含むセルのためのものであることを意味し得る。同じ概念は、例えば、キャリアアクティブ化に適用することができる。本明細書が、第１のキャリアがアクティベートされることを示す場合、本明細書は、第１のキャリアを含むセルがアクティベートされることを同等に意味し得る。
【００２１】
実施形態は、必要に応じて、動作するように構成することができる。開示されるメカニズムは、例えば、無線デバイス、基地局、無線環境、ネットワーク、上記の組み合わせ、および／または同等物において、ある基準が満たされている場合に実行され得る。例示的な基準は、例えば、トラフィック負荷、初期システム設定、パケットサイズ、トラフィック特性、上記の組み合わせ、および／または同等物に少なくとも部分的に基づいていてもよい。１つ以上の基準が満たされている場合に、様々な例示的な実施形態が適用され得る。したがって、本開示のプロトコルを選択的に実行する例示的な実施形態を実施することが可能であり得る。
【００２２】
基地局は、混在した無線デバイスと通信することができる。無線デバイスは、複数の技術および／または同一技術の複数のリリースをサポートしてもよい。無線デバイスは、その無線デバイスカテゴリおよび／または能力（複数可）に応じて、いくつかの具体的能力（複数可）を有してもよい。基地局が、複数のセクタを含んでもよい。本開示が複数の無線デバイスと通信する基地局に言及する際、本開示は、カバレッジ領域内のすべての無線デバイスのサブセットに言及し得る。本開示は、例えば、所与の能力を有し、かつ基地局の所与のセクタ内にある、所与のＬＴＥまたは５Ｇリリースの複数の無線デバイスに言及し得る。本開示における複数の無線デバイスは、選択された複数の無線デバイス、および／または開示される方法に従って機能する、カバレッジ領域内のすべての無線デバイスのうちのサブセット、および／または同様のものを対象とすることができる。カバレッジ領域には、開示された方法に適合することができない複数の無線デバイスが存在してもよく、例えば、その理由は、それらの無線デバイスが、ＬＴＥまたは５Ｇ技術のより古いリリースに基づいて動作するからである。
【００２３】
図６および図７は、本開示の一実施形態の一態様による、ＣＡおよびマルチコネクティビティを用いたプロトコル構造の例示的な図である。ＮＲは、マルチコネクティビティ動作をサポートすることができ、それによって、ＲＲＣ＿ＣＯＮＮＥＣＴＥＤ内の複数のＲＸ／ＴＸＵＥは、Ｘｎインターフェース上の非理想的または理想的バックホールを介して接続された複数のｇＮＢ内に置かれた複数のスケジューラによって提供される無線リソースを利用するように構成され得る。特定のＵＥに対してマルチコネクティビティ内で必要とされるｇＮＢは、２つの異なる役割を引き受けることができ、すなわち、ｇＮＢは、マスタｇＮＢとして、またはセカンダリｇＮＢとしてのどちらかの役割を果たすことができる。マルチコネクティビティでは、各ＵＥは、１つのマスタｇＮＢ、および１つ以上のセカンダリｇＮＢに接続され得る。図７は、マスタセルグループ（ＭＣＧ）およびセカンダリセルグループ（ＳＣＧ）が構成された場合に、ＵＥ側ＭＡＣエンティティの１つの例示的な構造を例解しており、その構造は、実施態様を限定しなくてもよい。媒体ブロードキャストマルチキャストサービス（ＭＢＭＳ）受信は、便宜上、本図には示されない。
【００２４】
マルチコネクティビティでは、特定のベアラが使用する無線プロトコルアーキテクチャは、ベアラがどのように設定されるかに依存してもよい。図６に示されるように、ＭＣＧベアラ、ＳＣＧベアラ、および分割３つの実施例が含まれる。ＮＲ  ＲＲＣは、マスタｇＮＢ内に配置されてもよく、ＳＲＢは、ＭＣＧベアラタイプとして構成されてもよく、マスタｇＮＢの無線リソースを使用してもよい。マルチコネクティビティはまた、セカンダリｇＮＢにより提供される無線リソースを使用するように構成された少なくとも１つのベアラを有するものとして、説明されることができる。マルチコネクティビティは、本開示の例示的な実施形態では、構成／実施されても、されなくてもよい。
【００２５】
マルチコネクティビティの場合には、ＵＥは、複数のＮＲ  ＭＡＣエンティティ、すなわち、マスタｇＮＢのための１つのＮＲ  ＭＡＣエンティティ、およびセカンダリｇＮＢのための他のＮＲＭＡＣエンティティで構成され得る。マルチコネクティビティでは、ＵＥのために構成されたサービングセルのセットは、２つのサブセット、すなわち、マスタｇＮＢのサービングセルを収容するマスタセルグループ（ＭＣＧ）、およびセカンダリｇＮＢのサービングセルを収容するセカンダリセルグループ（ＳＣＧ）から構成され得る。ＳＣＧの場合、以下のうちの１つ以上が、適用されてもよく、すなわち、ＳＣＧ内の少なくとも１つのセルが、構成されたＵＬ  ＣＣを有し、それらのうちの１つは、ＰＳＣｅｌｌと呼ばれ（もしくはＳＣＧのＰＣｅｌｌ、または場合によっては、ＰＣｅｌｌと呼ばれる）、ＰＵＣＣＨリソースを用いて構成され、ＳＣＧが構成されたときには、少なくとも１つのＳＣＧベアラまたは１つの分割ベアラが存在してもよく、ＰＳＣｅｌｌ上で物理レイヤ問題もしくはランダムアクセス問題、またはＳＣＧと関連付けられて到達された（ＮＲ）  ＲＬＣ再伝送の最大回数の検出時に、またはＳＣＧ追加もしくはＳＣＧ変更中のＰＳＣｅｌｌに関するアクセス問題の検出時に、ＲＲＣ接続再確立プロシージャは、トリガされなくてもよく、ＳＣＧのセルに向かうＵＬ伝送は、停止され、マスタ基地局は、ＳＣＧ故障タイプについてＵＥによって通知されてもよく、分割ベアラの場合には、マスタ基地局にわたるＤＬデータ転送が、維持され得、ＮＲ  ＲＬＣ  ＡＭベアラは、分割ベアラのために構成されてもよく、同様に、ＰＣｅｌｌ、ＰＳＣｅｌｌが、不活性化されなくてもよく、ＰＳＣｅｌｌが、ＳＣＧ変更を用いて（例えば、セキュリティキー変更およびＲＡＣＨプロシージャを用いて）、変更されてもよく、ならびに／または分割ベアラとＳＣＧベアラとの間の直接ベアラタイプ変更、またはＳＣＧおよび分割ベアラの同時構成は、サポートされても、されなくてもよい。
【００２６】
マルチコネクティビティの場合のマスタｇＮＢとセカンダリｇＮＢとの間のやり取りに関しては、以下の原理のうちの１つ以上が、適用されてもよく、すなわち、マスタｇＮＢは、ＵＥのＲＲＭ測定構成を維持してもよく、（例えば、受信された測定レポート、またはトラフィック条件、またはベアラ型に基づいて）、ＵＥのための追加のリソース（サービングセル）を提供するように、セカンダリｇＮＢに依頼することを決定してもよく、マスタｇＮＢからの要求を受信する際、セカンダリｇＮＢが、ＵＥのために追加したサービングセルの構成に結果としてなり得るコンテナを作り出す（またはそのように作り出すのに利用可能なリソースを有していないことを判定する）ことができ、ＵＥ機能と連係するために、マスタｇＮＢは、ＡＳ構成およびＵＥ機能（の一部）をセカンダリｇＮＢに提供してもよく、マスタｇＮＢおよびセカンダリｇＮＢは、Ｘｎメッセージ内で搬送されるＮＲ  ＲＲＣコンテナ（ノード間メッセージ）の採用によって、ＵＥ構成についての情報を交換してもよく、セカンダリｇＮＢは、その既存のサービングセル（例えば、セカンダリｇＮＢに向かうＰＵＣＣＨ）の再構成を開始してもよく、セカンダリｇＮＢが、どのセルが、ＳＣＧ内のＰＳＣｅｌｌであるかを決定してもよく、マスタｇＮＢは、セカンダリｇＮＢによって提供されたＮＲ  ＲＲＣ構成の内容を変更しても、しなくてもよく、ＳＣＧ追加およびＳＣＧＳＣｅｌｌ追加の場合には、マスタｇＮＢは、ＳＣＧセル（複数可）のための最新の測定結果を提供してもよく、マスタｇＮＢおよびセカンダリｇＮＢの両方が、ＯＡＭ（例えば、測定ギャップのＤＲＸ整列および識別）により、互いのＳＦＮおよびサブフレームオフセットを認識してもよい。一例においては、新たなＳＣＧ  ＳＣｅｌｌを追加する場合に、ＳＣＧのＰＳＣｅｌｌのＭＩＢから取得されたＳＦＮを除き、ＣＡに関するセルの要求されるシステム情報を伝送するために、専用のＮＲ  ＲＲＣシグナリングが使用されてもよい。
【００２７】
一実施例においては、サービングセルが、ＴＡグループ（ＴＡＧ）内でグループ化されてもよい。１つのＴＡＧ内のサービングセルは、同じタイミング基準を使用し得る。所与のＴＡＧに関して、ユーザ機器（ＵＥ）は、少なくとも１つのダウンリンクキャリアをタイミング基準として使用してもよい。所与のＴＡＧに関して、ＵＥは、同じＴＡＧに属するアップリンクキャリアのアップリンクサブフレームおよびフレーム伝送タイミングを同期させてもよい。一実施例では、同じＴＡが適用されるアップリンクを有するサービングセルは、同じ受信機によってホストされるサービングセルに対応し得る。複数のＴＡをサポートするＵＥが、２つ以上のＴＡグループをサポートしてもよい。１つのＴＡグループは、ＰＣｅｌｌを含み得、一次ＴＡＧ（ｐＴＡＧ）と呼ばれ得る。多重ＴＡＧ構成では、少なくとも１つのＴＡグループが、ＰＣｅｌｌを含まなくてもよく、二次ＴＡＧ（ｓＴＡＧ）と呼ばれてもよい。一実施例では、同じＴＡグループ内のキャリアが、同じＴＡ値および／または同じタイミング基準を使用し得る。ＤＣが構成される場合に、（ＭＣＧまたはＳＣＧ）セルグループに属するセルが、ｐＴＡＧおよび１つ以上のｓＴＡＧを含む複数のＴＡＧにグループ化されてもよい。
【００２８】
図８は、本開示の実施形態の一局面による例示的なＴＡＧ構成を示す。実施例１では、ｐＴＡＧは、ＰＣｅｌｌを含み、ｓＴＡＧは、ＳＣｅｌｌ１を含む。実施例２では、ｐＴＡＧは、ＰＣｅｌｌおよびＳＣｅｌｌ１を含み、ｓＴＡＧは、ＳＣｅｌｌ２およびＳＣｅｌｌ３を含む。実施例３では、ｐＴＡＧは、ＰＣｅｌｌおよびＳＣｅｌｌ１を含み、ｓＴＡＧ１は、ＳＣｅｌｌ２およびＳＣｅｌｌ３を含み、ｓＴＡＧ２は、ＳＣｅｌｌ４を含む。最大４つのＴＡＧが、セルグループ（ＭＣＧまたはＳＣＧ）内でサポートされ得、他の例示的なＴＡＧ構成もまた、提供され得る。本開示における様々な実施例では、例示的なメカニズムが、ｐＴＡＧおよびｓＴＡＧに関して説明される。幾つかの例示的メカニズムが、複数のｓＴＡＧを伴う構成に適用されてもよい。
【００２９】
一実施例においては、ｅＮＢが、アクティブ化されるＳＣｅｌｌに関するＰＤＣＣＨ順序を介して、ＲＡプロシージャを開始してもよい。このＰＤＣＣＨ順序は、このＳＣｅｌｌのスケジューリングセル上で伝送されてもよい。あるセルについてクロスキャリアスケジューリングが構成される場合に、スケジューリングセルは、プリアンブル伝送のために採用されるセルとは異なってもよく、ＰＤＣＣＨ順序は、ＳＣｅｌｌインデックスを含んでもよい。少なくとも非競合ベースのＲＡプロシージャが、ｓＴＡＧに割り当てられるＳＣｅｌｌのためにサポートされてもよい。
【００３０】
図９は、本発明の一実施形態の一局面による、二次ＴＡＧ内のランダムアクセスプロセスにおける例示的メッセージフローである。ｅＮＢは、アクティブ化コマンド９００を伝送し、ＳＣｅｌｌをアクティブ化する。プリアンブル９０２（Ｍｓｇ１）が、ｓＴＡＧに属するＳＣｅｌｌ上のＰＤＣＣＨ順序９０１に応答して、ＵＥによって伝送されてもよい。例示的な実施形態では、ＳＣｅｌｌに関するプリアンブル伝送は、ＰＤＣＣＨフォーマット１Ａを使用して、ネットワークによって制御され得る。ＳＣｅｌｌ上のプリアンブル伝送に応答したＭｓｇ２メッセージ９０３（ＲＡＲ：ランダムアクセス応答）は、ＰＣｅｌｌ共通検索空間（ＣＳＳ）内のＲＡ−ＲＮＴＩにアドレス指定され得る。アップリンクパケット９０４が、プリアンブルが伝送されたＳＣｅｌｌ上で伝送されてもよい。
【００３１】
実施形態の様々な態様のうちのいくつかによれば、初期タイミング整列が、ランダムアクセスプロシージャを通して達成されてもよい。このことが、ＵＥがランダムアクセスプリアンブルを伝送し、ｅＮＢがランダムアクセス応答ウィンドウ内で初期ＴＡコマンドＮＴＡ（タイミングアドバンスの量）に応答することを伴ってもよい。ＮＴＡ＝０であるＵＥでは、ランダムアクセスプリアンブルの開始が、対応するアップリンクサブフレームの開始と整合され得る。ｅＮＢは、ＵＥによって伝送されるランダムアクセスプリアンブルからアップリンクタイミングを推定してもよい。ＴＡコマンドは、所望のＵＬタイミングと実際のＵＬタイミングとの間の差異の推定に基づいて、ｅＮＢによって導出され得る。ＵＥが、プリアンブルが伝送されるｓＴＡＧの対応するダウンリンクに対して初期アップリンク伝送タイミングを判定してもよい。
【００３２】
ＴＡＧへのサービングセルのマッピングが、サービングｅＮＢによって、ＲＲＣ信号伝達を用いて構成されてもよい。ＴＡＧ構成および再構成のためのメカニズムが、ＲＲＣ信号伝達に基づいてもよい。実施形態の様々な態様のうちのいくつかによれば、ｅＮＢがＳＣｅｌｌ追加構成を実行するとき、関連するＴＡＧ構成は、ＳＣｅｌｌのために構成されてもよい。例示的な一実施形態では、ｅＮＢが、ＳＣｅｌｌを除去（リリース）し、更新されたＴＡＧ  ＩＤを用いて（同一物理セルＩＤおよび周波数を有する）新しいＳＣｅｌｌを追加（構成）することによって、ＳＣｅｌｌのＴＡＧ構成を修正してもよい。更新されたＴＡＧ  ＩＤを有する新たなＳＣｅｌｌは、更新されたＴＡＧ  ＩＤが割り当てられた後、最初は、非アクティブであってもよい。ｅＮＢは、更新された新しいＳＣｅｌｌをアクティブ化し、アクティブ化されたＳＣｅｌｌ上でスケジューリングパケットを始動させてもよい。例示的な一実施形態においては、ＳＣｅｌｌと関連付けられたＴＡＧが変更不可能であり、ＳＣｅｌｌが除去される必要があり、新しいＳＣｅｌｌに別のＴＡＧを追加する必要があってもよい。例えば、ｓＴＡＧからｐＴＡＧにＳＣｅｌｌを移動させる必要がある場合、少なくとも１つのＲＲＣメッセージ、例えば、少なくとも１つのＲＲＣ再構成メッセージが、ＵＥに伝送され、ＳＣｅｌｌをリリースし、次いでＳＣｅｌｌをｐＴＡＧの一部として構成することによって、ＴＡＧ構成を再構成してもよい（ＳＣｅｌｌが、ＴＡＧインデックスなしで追加／構成される場合には、ＳＣｅｌｌは、ｐＴＡＧに明示的に割り当てられてもよい）。ＰＣｅｌｌが、そのＴＡグループを変更せず、ｐＴＡＧのメンバであってもよい。
【００３３】
ＲＲＣ接続再構成プロシージャの目的は、ＲＲＣ接続を修正すること（例えば、ＲＢを確立、修正、および／または解放すること、ハンドオーバを実行すること、測定値を設定、修正、および／または解放すること、ＳＣｅｌｌを追加、修正、および／または解放すること）であり得る。受信されたＲＲＣ接続再構成メッセージが、ｓＣｅｌｌＴｏＲｅｌｅａｓｅＬｉｓｔを含む場合、ＵＥが、ＳＣｅｌｌリリースを行ってもよい。受信されたＲＲＣ接続再構成メッセージが、ｓＣｅｌｌＴｏＡｄｄＭｏｄＬｉｓｔを含む場合、ＵＥが、ＳＣｅｌｌ追加または修正を行ってもよい。
【００３４】
ＬＴＥリリース−１０およびリリース−１１ＣＡでは、ＰＵＣＣＨが、ＰＣｅｌｌ（ＰＳＣｅｌｌ）上でのみｅＮＢに伝送されてもよい。ＬＴＥ−リリース１２およびそれ以前では、ＵＥが、ＰＵＣＣＨ情報を１つのセル（ＰＣｅｌｌまたはＰＳＣｅｌｌ）上で所与のｅＮＢに伝送してもよい。
【００３５】
ＣＡ対応ＵＥの数、また、アグリゲーションされたキャリアの数が増加するにつれて、ＰＵＣＣＨの数、また、ＰＵＣＣＨペイロードサイズも、増加してもよい。ＰＣｅｌｌ上のＰＵＣＣＨ伝送への対応が、ＰＣｅｌｌ上の高ＰＵＣＣＨ負荷につながってもよい。ＳＣｅｌｌ上のＰＵＣＣＨが、ＰＵＣＣＨリソースをＰＣｅｌｌからオフロードするために導入されてもよい。２つ以上のＰＵＣＣＨ、例えば、ＰＣｅｌｌ上のＰＵＣＣＨおよびＳＣｅｌｌ上の別のＰＵＣＣＨが、構成されてもよい。例示的な実施形態では、１つ、２つ、またはそれ以上のセルは、ＣＳＩ／ＡＣＫ／ＮＡＣＫを基地局に伝送するために、ＰＵＣＣＨリソースを用いて構成されてもよい。セルは、複数のＰＵＣＣＨグループにグループ化されてもよく、グループ内の１つ以上のセルは、ＰＵＣＣＨを用いて構成されてもよい。例示的な構成では、１つのＳＣｅｌｌが、１つのＰＵＣＣＨグループに属してもよい。構成されたＰＵＣＣＨが基地局に伝送されるＳＣｅｌｌが、ＰＵＣＣＨ  ＳＣｅｌｌと呼ばれてもよく、共通のＰＵＣＣＨリソースが同一の基地局に伝送されるセルグループが、ＰＵＣＣＨグループと呼ばれてもよい。
【００３６】
例示的実施形態では、ＭＡＣエンティティが、ＴＡＧ毎に構成可能なタイマｔｉｍｅＡｌｉｇｎｍｅｎｔＴｉｍｅｒを有してもよい。アップリンク時間整合されるべき関連付けられたＴＡＧに属するサービングセルをＭＡＣエンティティが考慮する時間の長さを制御するために、ｔｉｍｅＡｌｉｇｎｍｅｎｔＴｉｍｅｒが使用され得る。ＭＡＣエンティティは、タイミングアドバンスコマンドＭＡＣ制御要素が受信されるとき、示されるＴＡＧにタイミングアドバンスコマンドを適用し、示されるＴＡＧと関連付けられたｔｉｍｅＡｌｉｇｎｍｅｎｔＴｉｍｅｒを始動または再始動させ得る。ＭＡＣエンティティは、タイミングアドバンスコマンドが、ＴＡＧに属するサービングセルのためのランダムアクセス応答メッセージ内で受信されるとき、および／またはランダムアクセスプリアンブルが、ＭＡＣエンティティによって選択されなかった場合に、このＴＡＧにタイミングアドバンスコマンドを適用し、このＴＡＧと関連付けられたｔｉｍｅＡｌｉｇｎｍｅｎｔＴｉｍｅｒを始動または再始動させ得る。一方、このＴＡＧと関連付けられたｔｉｍｅＡｌｉｇｎｍｅｎｔＴｉｍｅｒがアクティブ化中ではない場合には、このＴＡＧに対するタイミングアドバンスコマンドが適用され得、このＴＡＧと関連付けられたｔｉｍｅＡｌｉｇｎｍｅｎｔＴｉｍｅｒが始動され得る。競合解決が成功ではないと見なされる場合には、このＴＡＧと関連付けられたｔｉｍｅＡｌｉｇｎｍｅｎｔＴｉｍｅｒが停止され得る。そうでなければ、ＭＡＣエンティティが、受信されたタイミングアドバンスコマンドを無視してもよい。
【００３７】
例示的実施形態では、タイマは、いったん始動されると、停止または満了するまで、アクティブ化中である。そうでなければ、アクティブ化していなくてもよい。タイマは、アクティブ化中ではない場合に始動可能であり、または、アクティブ化中である場合に再始動可能である。例えば、タイマがその初期値から始動または再始動されてもよい。
【００３８】
本開示の例示的実施形態が、マルチキャリア通信を実行可能としてもよい。別の例示的実施形態が、１つ以上のプロセッサによって実行されてマルチキャリア通信を実行させる複数の命令を備える、非一時的な有形のコンピュータ可読媒体を備えてもよい。さらに他の例示的な実施形態は、プログラマブルハードウェアが、デバイス（例えば、無線通信機、ＵＥ、基地局など）にマルチキャリア通信を行わせることを可能にする命令がコード化されている非一時的な有形のコンピュータ可読機械アクセス可能媒体を備える製造物品を含んでもよい。デバイスは、プロセッサ、メモリ、インターフェース、および／または同等物を含み得る。他の例示的実施形態が、基地局、無線デバイス（またはユーザ機器：ＵＥ）、サーバ、スイッチ、アンテナ、および／または同等物などのデバイスを備える通信ネットワークを含んでもよい。
【００３９】
図１１Ａ、図１１Ｂ、図１１Ｃ、図１１Ｄ、図１１Ｅ、および図１１Ｆは、本開示の一実施形態の一態様による、５Ｇ  ＲＡＮとＬＴＥ  ＲＡＮとの間の緊密なインターワーキングのアーキテクチャの例示的な図である。この緊密なインターワーキングにより、ＲＲＣ＿ＣＯＮＮＥＣＴＥＤ内の複数のＲＸ／ＴＸＵＥが、ＬＴＥ  ｅＮＢとｇＮＢとの間のＸｘインターフェース、またはｅＬＴＥ  ｅＮＢとｇＮＢとの間のＸｎインターフェース上の非理想的もしくは理想的バックホールを介して接続された２つの基地局（例えば（ｅ）ＬＴＥ  ｅＮＢおよびｇＮＢ）内に置かれた２つのスケジューラによって提供される無線リソースを利用するように構成されることを可能にすることができる。特定のＵＥに関する緊密なインターワーキングで使用される基地局は、２つの異なる役割を引き受けることができ、すなわち、基地局は、マスタ基地局として、またはセカンダリ基地局としてのどちらかの役割をも果たすことができる。緊密なインターワーキングでは、ＵＥは、１つのマスタ基地局および１つのセカンダリ基地局に接続され得る。緊密なインターワーキングで実装されるメカニズムは、３つ以上の基地局をカバーするように拡張され得る。
【００４０】
図１１Ａおよび図１１Ｂでは、マスタ基地局は、ＬＴＥ  ｅＮＢとしてもよく、当該ＬＴＥ  ｅＮＢは、ＥＰＣノード（例えば、Ｓ１−Ｃインターフェースを介してＭＭＥに、およびＳ１−Ｕインターフェースを介してＳ−ＧＷに）に接続されてもよく、セカンダリ基地局は、ｇＮＢとしてもよく、当該ｇＮＢは、Ｘｘ−Ｃインターフェースを介した、ＬＴＥ  ｅＮＢへの制御プレーン接続を有するノンスタンドアローンノードであってもよい。図１１Ａの緊密なインターワーキングアーキテクチャでは、ｇＮＢに関するユーザプレーンは、ＬＴＥ  ｅＮＢとｇＮＢとの間のＸｘ−Ｕインターフェース、およびＬＴＥ  ｅＮＢとＳ−ＧＷとの間のＳ１−Ｕインターフェースを介して、ＬＴＥ  ｅＮＢを通ってＳ−ＧＷに接続されてもよい。図１１Ｂのアーキテクチャでは、ｇＮＢに関するユーザプレーンは、ｇＮＢとＳ−ＧＷとの間のＳ１−Ｕインターフェースを介してＳ−ＧＷに直接接続されてもよい。
【００４１】
図１１Ｃおよび図１１Ｄでは、マスタ基地局は、ｇＮＢであってもよく、当該ｇＮＢは、ＮＧＣノードに（例えば、ＮＧ−Ｃインターフェースを介して制御プレーンコアノードに、およびＮＧ−Ｕインターフェースを介してユーザプレーンコアノードに）接続されてもよく、セカンダリ基地局は、ｅＬＴＥ  ｅＮＢであってもよく、当該ｅＬＴＥ  ｅＮＢは、Ｘｎ−Ｃインターフェースを介した、ｇＮＢへの制御プレーン接続を有するノンスタンドアローンノードであってもよい。図１１Ｃの緊密なインターワーキングアーキテクチャでは、ｅＬＴＥ  ｅＮＢに関するユーザプレーンは、ｅＬＴＥ  ｅＮＢとｇＮＢとの間のＸｎ−Ｕインターフェース、およびｇＮＢとユーザプレーンコアノードとの間のＮＧ−Ｕインターフェースを介して、ｇＮＢを通るユーザプレーンコアノードに接続されてもよい。図１１Ｄのアーキテクチャでは、ｅＬＴＥ  ｅＮＢに関するユーザプレーンは、ｅＬＴＥ  ｅＮＢとユーザプレーンコアノードとの間のＮＧ−Ｕインターフェースを介してユーザプレーンコアノードに直接接続されてもよい。
【００４２】
図１１Ｅおよび図１１Ｆでは、マスタ基地局は、ｅＬＴＥ  ｅＮＢであってもよく、当該ｅＬＴＥ  ｅＮＢは、ＮＧＣノード（例えば、ＮＧ−Ｃインターフェースを介して制御プレーンコアノードに、およびＮＧ−Ｕインターフェースを介してユーザプレーンコアノード）に接続されてもよく、セカンダリ基地局は、ｇＮＢであってもよく、当該ｇＮＢは、Ｘｎ−Ｃインターフェースを介したｅＬＴＥ  ｅＮＢへの制御プレーン接続を有するノンスタンドアローンノードであってもよい。図１１Ｅの緊密なインターワーキングアーキテクチャでは、ｇＮＢに関するユーザプレーンは、ｅＬＴＥ  ｅＮＢとｇＮＢとの間のＸｎ−Ｕインターフェース、およびｅＬＴＥ  ｅＮＢとユーザプレーンコアノードとの間のＮＧ−Ｕインターフェースを介して、ｅＬＴＥ  ｅＮＢを通るユーザプレーンコアノードに接続されてもよい。図１１Ｆのアーキテクチャでは、ｇＮＢに関するユーザプレーンは、ｇＮＢとユーザプレーンコアノードとの間のＮＧ−Ｕインターフェースを介して、ユーザプレーンコアノードに直接接続されてもよい。
【００４３】
図１２Ａ、図１２Ｂ、および図１２Ｃは、本開示の一実施形態の一態様による、緊密なインターワーキングベアラの無線プロトコル構造の例示的な図である。図１２Ａでは、ＬＴＥ  ｅＮＢが、マスタ基地局であってもよく、ｇＮＢが、セカンダリ基地局であってもよい。図１２Ｂでは、ｇＮＢが、マスタ基地局であってもよく、ｅＬＴＥ  ｅＮＢが、セカンダリ基地局であってもよい。図１２Ｃでは、ｅＬＴＥ  ｅＮＢが、マスタ基地局であってもよく、ｇＮＢが、セカンダリ基地局であってもよい。５Ｇネットワークでは、特定のベアラが使用する無線プロトコルアーキテクチャは、ベアラがどのように設定されるかに依存し得る。図１２Ａ、図１２Ｂ、および図１２Ｃに示されるように、ＭＣＧベアラ、ＳＣＧベアラ、および分割ベアラの３つの実施例が含まれる。ＮＲ  ＲＲＣは、マスタ基地局内に配置されてもよく、ＳＲＢは、ＭＣＧベアラタイプとして構成されてもよく、マスタ基地局の無線リソースを使用してもよい。緊密なインターワーキングはまた、セカンダリ基地局によって提供された無線リソースを使用するように構成された少なくとも１つのベアラを有するものとしても説明され得る。緊密なインターワーキングは、本開示の例示的な実施形態では、構成／実施されても、されなくてもよい。
【００４４】
緊密なインターワーキングの場合には、ＵＥは、２つのＭＡＣエンティティ、すなわちマスタ基地局のための１つのＭＡＣエンティティ、およびセカンダリ基地局のための１つのＭＡＣエンティティを用いて構成されてもよい。緊密なインターワーキングでは、ＵＥのために構成されたサービングセルのセットは、２つのサブセット、すなわちマスタ基地局のサービングセルを収容するマスタセルグループ（ＭＣＧ）、およびセカンダリ基地局のサービングセルを収容するセカンダリセルグループ（ＳＣＧ）から成り得る。ＳＣＧの場合、以下のうちの１つ以上が、適用されてもよく、すなわち、ＳＣＧ内の少なくとも１つのセルは、構成されたＵＬ  ＣＣを有し、それらのうちの１つは、ＰＳＣｅｌｌと呼ばれ（もしくはＳＣＧのＰＣｅｌｌ、または場合によっては、ＰＣｅｌｌと呼ばれる）、ＰＵＣＣＨリソースを用いて構成され、ＳＣＧが構成されたときには、少なくとも１つのＳＣＧベアラまたは１つの分割ベアラが存在してもよく、ＰＳＣｅｌｌ上で物理レイヤ問題もしくはランダムアクセス問題、またはＳＣＧと関連付けられて到達された（ＮＲ）  ＲＬＣ再伝送の最大回数の検出時に、またはＳＣＧ追加もしくはＳＣＧ変更中のＰＳＣｅｌｌに関するアクセス問題の検出時に、ＲＲＣ接続再確立プロシージャが、トリガされなくてもよく、ＳＣＧのセルに向かうＵＬ伝送が、停止され、マスタ基地局が、ＳＣＧ故障タイプについてＵＥによって通知されてもよく、分割ベアラの場合には、マスタ基地局にわたるＤＬデータ転送が、維持され、ＲＬＣ  ＡＭベアラは、分割ベアラのために構成されてもよく、同様に、ＰＣｅｌｌ、ＰＳＣｅｌｌが、不活性化されなくてもよく、ＰＳＣｅｌｌが、ＳＣＧ変更を用いて（例えば、セキュリティキー変更およびＲＡＣＨプロシージャを用いて）、変更されてもよく、ならびに／または分割ベアラとＳＣＧベアラとの間の直接ベアラタイプ変更も、またはＳＣＧおよび分割ベアラの同時構成もまた、サポートされない。
【００４５】
マスタ基地局とセカンダリ基地局との間のやり取りに関しては、以下の原理のうちの１つ以上が、適用され得、すなわち、マスタ基地局は、ＵＥのＲＲＭ測定構成を維持してもよく、（例えば、受信した測定レポート、トラフィック条件、またはベアラタイプに基づいて）、ＵＥのための追加のリソース（サービングセル）を提供するように、セカンダリ基地局に依頼することを決定してもよく、マスタ基地局からの要求を受信すると、セカンダリ基地局が、ＵＥのために追加したサービングセルの構成をもたらすコンテナを作り出す（またはそのように作り出すのに利用可能なリソースを有していないことを判定する）ことができ、ＵＥ機能調整の場合、マスタ基地局は、ＡＳ構成（の一部）およびＵＥ機能をセカンダリ基地局に提供してもよく、マスタ基地局およびセカンダリ基地局は、ＸｎまたはＸｘメッセージ内で搬送されるＲＲＣコンテナ（ノード間メッセージ）の使用によって、ＵＥ構成についての情報を交換してもよく、セカンダリ基地局は、その既存のサービングセルの再構成を開始してもよく（例えば、セカンダリ基地局に向かうＰＵＣＣＨ）、セカンダリ基地局が、どのセルが、ＳＣＧ内のＰＳＣｅｌｌであるかを決定してもよく、マスタ基地局は、セカンダリ基地局によって提供されるＲＲＣ構成の内容を変更しなくてもよく、ＳＣＧ追加およびＳＣＧ  ＳＣｅｌｌ追加の場合には、マスタ基地局は、ＳＣＧセル（複数可）のための最新の測定結果を提供してもよく、マスタ基地局およびセカンダリ基地局の両方が、ＯＡＭにより、互いのＳＦＮおよびサブフレームオフセットを認識してもよい（例えば、ＤＲＸアライメント、および測定ギャップの識別のため）。一例では、新たなＳＣＧ  ＳＣｅｌｌを追加する場合に、ＳＣＧのＰＳＣｅｌｌのＭＩＢから獲得されたＳＦＮを除き、ＣＡに関するセルの要求されるシステム情報を伝送するために、専用のＲＲＣシグナリングが、使用されてもよい。
【００４６】
図１３Ａおよび図１３Ｂは、本開示の一実施形態の一態様によるｇＮＢ展開シナリオの例示的な図である。図１３Ａの非集中型展開シナリオでは、全プロトコルスタック（例えば、ＮＲ  ＲＲＣ、ＮＲ  ＰＤＣＰ、ＮＲ  ＲＬＣ、ＮＲ  ＭＡＣ、およびＮＲ  ＰＨＹ）は、１つのノードでサポートされ得る。図１３Ｂの集中型展開シナリオでは、ｇＮＢの上位レイヤは、集約基地局（ＣＵ）に配置されてもよく、ｇＮＢの下位レイヤは、分散基地局（ＤＵ）に配置されてもよい。ＣＵおよびＤＵを接続するＣＵ−ＤＵインターフェース（例えば、Ｆｓインターフェース）は、理想的または非理想的であってもよい。Ｆｓ−Ｃは、Ｆｓインターフェース上に制御プレーン接続を提供してもよく、Ｆｓ−Ｕは、Ｆｓインターフェース上にユーザプレーン接続を提供してもよい。集中型展開では、ＣＵとＤＵとの間の異なる機能的分割オプションが、異なるプロトコルレイヤ（ＲＡＮ機能）をＣＵおよびＤＵに配置することによって、可能になる場合がある。機能分割は、柔軟性をサポートして、サービス要件やネットワーク環境に応じて、ＣＵとＤＵとの間でＲＡＮ機能を移動させることができる。機能分割オプションは、Ｆｓインターフェース設定プロシージャ後の動作中に変更してもよく、またはＦｓ設定プロシージャ内のみで（すなわち、Ｆｓ設定プロシージャ後の動作中に静的に）変更してもよい。
【００４７】
図１４は、本開示の一実施形態の一態様による、集中型ｇＮＢ展開シナリオの異なる機能分割オプション例に関する例示的な図である。分割オプション例１では、ＮＲ  ＲＲＣは、ＣＵ内にあってもよく、ＮＲ  ＰＤＣＰ、ＮＲ  ＲＬＣ、ＮＲ  ＭＡＣ、ＮＲ  ＰＨＹ、およびＲＦは、ＤＵ内にあってもよい。分割オプション例２では、ＮＲ  ＲＲＣおよびＮＲ  ＰＤＣＰは、ＣＵ内にあってもよく、ＮＲ  ＲＬＣ、ＮＲ  ＭＡＣ、ＮＲ  ＰＨＹ、およびＲＦは、ＤＵ内にあってもよい。分割オプション例３では、ＮＲ  ＲＲＣ、ＮＲ  ＰＤＣＰ、およびＮＲ  ＲＬＣの部分的機能は、ＣＵ内にあってもよく、ＮＲ  ＲＬＣの部分的機能、ＮＲ  ＭＡＣ、ＮＲ  ＰＨＹ、およびＲＦは、ＤＵ内にあってもよい。分割オプション例４では、ＮＲ  ＲＲＣ、ＮＲ  ＰＤＣＰ、およびＮＲ  ＲＬＣは、ＣＵ内にあってもよく、ＮＲ  ＭＡＣ、ＮＲ  ＰＨＹ、およびＲＦは、ＤＵ内にあってもよい。分割オプション例５では、ＮＲ  ＲＲＣ、ＮＲ  ＰＤＣＰ、ＮＲ  ＲＬＣ、およびＮＲ  ＭＡＣの部分的機能は、ＣＵ内にあってもよく、ＮＲ  ＭＡＣの他の部分的機能、ＮＲ  ＰＨＹ、およびＲＦは、ＤＵ内にあってもよい。分割オプション例６では、ＮＲ  ＲＲＣ、ＮＲ  ＰＤＣＰ、ＮＲ  ＲＬＣ、およびＮＲ  ＭＡＣは、ＣＵ内にあってもよく、ＮＲ  ＰＨＹおよびＲＦは、ＤＵ内にあってもよい。分割オプション例７では、ＮＲ  ＲＲＣ、ＮＲ  ＰＤＣＰ、ＮＲ  ＲＬＣ、ＮＲ  ＭＡＣ、および  ＮＲ  ＰＨＹの部分的機能は、ＣＵ内にあってもよく、ＮＲ  ＰＨＹの他の部分的機能、およびＲＦは、ＤＵ内にあってもよい。分割オプション例８では、ＮＲ  ＲＲＣ、ＮＲ  ＰＤＣＰ、ＮＲ  ＲＬＣ、ＮＲ  ＭＡＣ、およびＮＲ  ＰＨＹは、ＣＵ内にあってもよく、ＲＦは、ＤＵ内にあってもよい。
【００４８】
機能分割は、ＣＵ毎、ＤＵ毎、ＵＥ毎、ベアラ毎、スライス毎に、または他の粒度で構成されてもよい。ＣＵ毎の分割では、ＣＵは、固定された分割を有してもよく、ＤＵは、ＣＵの分割オプションに一致するように構成されてもよい。ＤＵ毎の分割では、ＤＵは、異なる分割で構成されてもよく、ＣＵは、異なるＤＵに対して異なる分割オプションを提供してもよい。ＵＥ毎の分割では、ｇＮＢ（ＣＵおよびＤＵ）は、異なるＵＥに対して異なる分割オプションを提供してもよい。ベアラ毎の分割では、異なる分割オプションは、異なるベアラタイプに対して利用されてもよい。スライス毎のスプライスでは、異なる分割オプションは、異なるスライスに適用されてもよい。
【００４９】
例示的な実施形態では、新しい無線アクセスネットワーク（新しいＲＡＮ）は、異なるネットワークスライスをサポートしてもよく、そのスライスは、端末相互間の範囲で異なるサービス要件をサポートするためにカスタマイズされた差別化した取り扱いを可能にし得る。新しいＲＡＮは、事前に構成され得る異なるネットワークスライスのために、差別化されたトラフィック処理を提供することができ、シングルＲＡＮノードが複数のスライスをサポートすることを可能にし得る。新ＲＡＮは、ＵＥまたはＮＧＣ（例えば、ＮＧ  ＣＰ）により提供される１つ以上のスライスＩＤ（複数可）またはＮＳＳＡＩ（複数可）によって、所与のネットワークスライスに対するＲＡＮ部分の選択をサポートし得る。スライスＩＤ（複数可）またはＮＳＳＡＩ（複数可）は、ＰＬＭＮ内の事前に構成されたネットワークスライスのうちの１つ以上を識別することができる。初期アタッチの場合、ＵＥは、スライスＩＤおよび／またはＮＳＳＡＩを提供することができ、ＲＡＮノード（例えば、ｇＮＢ）は、初期ＮＡＳシグナリングをＮＧＣ制御プレーン機能（例えば、ＮＧ  ＣＰ）にルーティングするために、スライスＩＤまたはＮＳＳＡＩを使用することができる。ＵＥが、いずれのスライスＩＤまたはＮＳＳＡＩも提供しない場合、ＲＡＮノードは、ＮＡＳシグナリングをデフォルトのＮＧＣ制御プレーン機能に伝送することができる。後続のアクセスのために、ＵＥは、スライス識別のための一時的なＩＤを提供することができ、そのＩＤは、ＮＧＣ制御プレーン機能によって割り当てられて、ＲＡＮノードにＮＡＳメッセージを適切なＮＧＣ制御プレーン機能にルーティングさせることができる。新しいＲＡＮは、スライス間のリソース分離をサポートすることができる。ＲＡＮリソース分離は、１つのスライス内の共有リソースの不足により、別のスライスに対するサービスレベルの同意に違反することを回避することによって、達成され得る。
【００５０】
Ｎｅｗ  Ｒａｄｉｏ（ＮＲ）システムは、シングルビームとマルチビームの両方の操作をサポートし得る。マルチビームシステムでは、基地局（例えば、ｇＮＢ）は、ダウンリンクビーム掃引を実行して、ダウンリンク同期信号（ＳＳ）および共通制御チャネルのカバレッジを提供し得る。ユーザ機器（ＵＥ）は、アップリンク方向のアップリンクビーム掃引を実行して、セルにアクセスすることができる。シングルビームシナリオでは、ｇＮＢは、１つのＳＳブロックの時間反復伝送を設定することができる。これは、少なくともプライマリ同期信号（ＰＳＳ）、セカンダリ同期信号（ＳＳＳ）、および物理ブロードキャストチャネル（ＰＢＣＨ）を、ワイドビームで含むことができる。マルチビームのシナリオでは、ｇＮＢは、これらの信号と物理チャネルの少なくとも一部を複数のビームで構成することができる。ＵＥは、少なくともＯＦＤＭシンボルインデックス、無線フレーム内のスロットインデックス、およびＳＳブロックからの無線フレーム番号を識別し得る。
【００５１】
一実施例では、ＲＲＣ＿ＩＮＡＣＴＩＶＥ状態またはＲＲＣ＿ＩＤＬＥ状態では、ＵＥは、ＳＳブロックがＳＳバーストを形成し、ＳＳバーストセットを形成すると想定する場合がある。ＳＳバーストセットには、一定の周期性がある場合がある。マルチビームシナリオでは、ＳＳブロックは、複数のビームで送信され、一緒にＳＳバーストを形成することができる。１つ以上のＳＳブロックが、１つのビームで送信され得る。ビームは、ステアリング方向を有する。複数のＳＳバーストがビームで送信される場合、これらのＳＳバーストは、図１５に示されるようにＳＳバーストセットを一緒に形成してもよい。基地局１５０１（例えば、ＮＲのｇＮＢ）は、期間１５０３中にＳＳバースト１５０２Ａ〜１５０２Ｈを送信することができる。複数のこれらのＳＳバーストは、ＳＳバーストセット１５０４（例えば、ＳＳバースト１５０２Ａおよび１５０２Ｅ）などのＳＳバーストセットを含み得る。ＳＳバーストセットは、任意の数の複数のＳＳバースト１５０２Ａ〜１５０２Ｈを含むことができる。ＳＳバーストセット内の各ＳＳバーストは、期間１５０３中に固定または可変の周期で送信され得る。
【００５２】
ＳＳは、巡回プレフィックス直交周波数分割多重化（ＣＰ−ＯＦＤＭ）に基づく場合がある。ＳＳは、少なくとも２つのタイプの同期信号（ＮＲ−ＰＳＳ（プライマリ同期信号）およびＮＲ−ＳＳＳ（セカンダリ同期信号））を含んでいてもよい。ＮＲ−ＰＳＳは、少なくともＮＲセルへの初期シンボル境界同期のために定義され得る。ＮＲ−ＳＳＳは、ＮＲセルＩＤまたはＮＲセルＩＤの少なくとも一部の検出用に定義され得る。ＮＲ−ＳＳＳ検出は、少なくとも所与の周波数範囲およびＣＰオーバーヘッド内のデュプレックスモードおよびビーム操作タイプに関係なく、ＮＲ−ＰＳＳリソース位置との固定時間／周波数関係に基づいている場合がある。ＮＲ−ＰＳＳおよびＮＲ−ＳＳＳでは、通常のＣＰがサポートされ得る。
【００５３】
ＮＲは、少なくとも１つの物理ブロードキャストチャネル（ＮＲ−ＰＢＣＨ）を含み得る。ｇＮＢがＮＲ−ＰＢＣＨを送信（またはブロードキャスト）する場合、ＵＥは、少なくとも所与の周波数範囲およびＣＰオーバーヘッド内のデュプレックスモードおよびビーム操作タイプに関係なく、ＮＲ−ＰＳＳおよび／またはＮＲ−ＳＳＳリソース位置との固定関係に基づいてＮＲ−ＰＢＣＨをデコードし得る。ＮＲ−ＰＢＣＨは、キャリア周波数範囲に応じて仕様で事前定義された固定ペイロードサイズおよび周期性を備えた最小システム情報の少なくとも一部を伝送する、スケジュールされていないブロードキャストチャネルであり得る。
【００５４】
シングルビームおよびマルチビームのシナリオでは、ＮＲは、ＮＲ−ＰＳＳ、ＮＲ−ＳＳＳ、およびＮＲ−ＰＢＣＨの時間（周波数、および／または空間）分割多重化をサポートし得る、ＳＳブロックを含むことができる。ｇＮＢは、ＳＳブロック内でＮＲ−ＰＳＳ、ＮＲ−ＳＳＳおよび／またはＮＲ−ＰＢＣＨを送信し得る。所定の周波数帯域では、ＳＳブロックは、デフォルトのサブキャリア間隔に基づいてＮ個のＯＦＤＭシンボルに対応する場合があり、Ｎは定数である場合がある。信号多重化構造は、ＮＲで固定され得る。無線デバイスは、例えば、ＳＳブロックから、ＯＦＤＭシンボルインデックス、無線フレーム内のスロットインデックス、およびＳＳブロックからの無線フレーム番号を識別してもよい。
【００５５】
ＮＲは、１つ以上のＳＳブロックを含むＳＳバーストをサポートし得る。ＳＳバーストセットは、１つ以上のＳＳバーストを含み得る。例えば、ＳＳバーストセット内のＳＳバーストの数は、有限である場合がある。物理層の仕様の観点から、ＮＲは、ＳＳバーストセットの少なくとも１つの周期性をサポートすることができる。ＵＥの観点から、ＳＳバーストセット送信は、定期的であり得、ＵＥは、ＳＳバーストセット周期性で所与のＳＳブロックが繰り返されると仮定し得る。
【００５６】
ＳＳバーストセットの周期性内で、１つ以上のＳＳブロックで繰り返されるＮＲ−ＰＢＣＨが変更される場合がある。可能なＳＳブロックの時間位置のセットは、ＲＲＣメッセージの周波数帯域ごとに指定され得る。ＳＳバーストセット内のＳＳブロックの最大数は、キャリア周波数に依存する場合がある。実際に送信されたＳＳブロックの位置（複数可）は、少なくともＣＯＮＮＥＣＴＥＤ／ＩＤＬＥモードの測定を支援するため、ＣＯＮＮＥＣＴＥＤモードＵＥが１つ以上のＳＳブロックでダウンリンク（ＤＬ）データ／制御を受信することを支援するため、またはＩＤＬＥモードＵＥが１つ以上のＳＳブロックでＤＬデータ／制御を受信することを支援するために通知され得る。ＵＥは、ｇＮＢが同じ数の物理ビーム（複数可）を送信すると想定しない場合がある。ＵＥは、ＳＳバーストセット内の異なるＳＳブロックにわたる同じ物理ビーム（複数可）を想定しない場合がある。初期セル選択では、ＵＥは、ＲＲＣメッセージを介してブロードキャストされ、周波数帯域に依存し得る、デフォルトのＳＳバーストセットの周期性を想定し得る。少なくともマルチビーム動作の場合では、ＳＳブロックの時間インデックスをＵＥに示すことができる。
【００５７】
ＣＯＮＮＥＣＴＥＤおよびＩＤＬＥモードのＵＥの場合、ＮＲは、ＳＳバーストセットの周期性および情報のネットワーク表示をサポートして、測定のタイミング／期間（ＮＲ−ＳＳ検出の時間窓など）を導き出すことができる。ｇＮＢは、（例えば、ＲＲＣメッセージのブロードキャストを介して）周波数キャリアごとに１つのＳＳバーストセット周期性情報をＵＥに提供し得、可能であれば測定タイミング／持続時間を導出するための情報を提供し得る。１つのＳＳバーストセットの周期性、およびタイミング／持続時間に関する１つの情報が示されている場合、ＵＥは、同じキャリア上のすべてのセルの周期性およびタイミング／持続時間を想定することができる。ｇＮＢがＳＳバーストセット周期性の表示および測定タイミング／持続時間を導出するための情報を提供しない場合、ＵＥは、ＳＳバーストセット周期性として既定の周期性、例えば、５ｍｓを想定し得る。ＮＲは、適応およびネットワーク表示のためにＳＳバーストセットの周期値のセットをサポートし得る。
【００５８】
初期アクセスの場合、ＵＥは、ＮＲ仕様によって与えられた所与の周波数帯域内のＮＲ−ＰＳＳ／ＳＳＳの特定のサブキャリア間隔に対応する信号を想定することができる。ＮＲ−ＰＳＳの場合、Ｚａｄｏｆｆ−Ｃｈｕ（ＺＣ）シーケンスを、ＮＲ−ＰＳＳのシーケンスとして用いることができる。ＮＲは、シーケンスベースのＳＳ設計の場合、ＳＳの少なくとも１つの基本シーケンス長を定義することができる。ＮＲ−ＰＳＳのアンテナポートの数は、１であり得る。ＮＲ−ＰＢＣＨ送信の場合、ＮＲは、固定数のアンテナポート（複数可）をサポートすることができる。ＵＥは、ＮＲ−ＰＢＣＨ送信方式またはアンテナポートの数のブラインド検出には必要ない場合がある。ＵＥは、ＮＲ−ＳＳと同じＰＢＣＨ数秘術を想定する場合がある。最小限のシステム情報配信のために、ＮＲ−ＰＢＣＨは、最小限のシステム情報の一部を含む場合がある。ＮＲ−ＰＢＣＨコンテンツは、ＳＦＮ（システムフレーム番号）またはＣＲＣの少なくとも一部を含むことができる。ｇＮＢは、ＮＲ−ＰＤＳＣＨを介して共有ダウンリンクチャネルで残りの最小システム情報を送信し得る。
【００５９】
マルチビームの例では、例えばセル選択、セル再選択、および／または初期アクセスプロシージャをサポートするために、セルに対してＰＳＳ、ＳＳＳ、またはＰＢＣＨ信号のうちの１つ以上を繰り返すことができる。ＳＳバーストの場合、関連付けられたＰＢＣＨまたは物理ダウンリンク共有チャネル（ＰＤＳＣＨ）スケジューリングシステム情報は、基地局によって複数の無線デバイスにブロードキャストされ得る。ＰＤＳＣＨは、共通検索空間内の物理ダウンリンク制御チャネル（ＰＤＣＣＨ）によって示され得る。システム情報は、ビームの物理ランダムアクセスチャネル（ＰＲＡＣＨ）構成を含むことができる。ビームに関して、基地局（例えば、ＮＲのｇＮＢ）は、ＰＲＡＣＨプリアンブルプール、時間および／または周波数無線リソース、ならびに他の電力関連パラメータを含み得る、ＲＡＣＨ構成を有してもよい。無線デバイスは、ＲＡＣＨ構成からのＰＲＡＣＨプリアンブルを使用して、競合ベースのＲＡＣＨプロシージャまたは競合のないＲＡＣＨプロシージャを開始することができる。無線デバイスは、競合ベースのＲＡＣＨプロシージャまたは競合のないＲＡＣＨプロシージャであり得る、４ステップＲＡＣＨプロシージャを実行することができる。無線デバイスは、最良の受信信号品質を有する可能性のある、ＳＳブロックと関連付けられたビームを選択してもよい。無線デバイスは、セルと関連付けられたセル識別子を正常に検出し、かつＲＡＣＨ構成を使用してシステム情報をデコードすることができる。無線デバイスは、１つのＰＲＡＣＨプリアンブルを使用し、選択されたビームと関連付けられたシステム情報によって示されるＲＡＣＨリソースから１つのＰＲＡＣＨリソースを選択し得る。ＰＲＡＣＨリソースは、ＰＲＡＣＨプリアンブルを示すＰＲＡＣＨインデックス、ＰＲＡＣＨフォーマット、ＰＲＡＣＨ数秘術、時間および／または周波数無線リソース割り当て、ＰＲＡＣＨ送信の電力設定、ならびに／または他の無線リソースパラメータのうちの少なくとも１つを含み得る。競合のないＲＡＣＨプロシージャの場合、ＰＲＡＣＨプリアンブルおよびリソースは、ＤＣＩまたは他の高層シグナリングで示される場合がある。
【００６０】
図１６は、基地局による１つ以上のＳＳブロックの送信を含むことができる、ランダムアクセスプロシージャ（例えば、ＲＡＣＨを介した）の実施例を示している。無線デバイス１６２０（例えば、ＵＥ）は、１つ以上のプリアンブルを基地局１６２１（例えば、ＮＲのｇＮＢ）に送信することができる。無線デバイスによる各プリアンブル送信は、図１６に示されるような別個のランダムアクセスプロシージャと関連付けられ得る。ランダムアクセスプロシージャは、基地局１６２１（例えばＮＲのｇＮＢ）が第１のＳＳブロックを無線デバイス１６２１（例えば、ＵＥ）に送信するステップ１６０１で開始することができる。ＳＳブロックのいずれかは、ＰＳＳ、ＳＳＳ、三次同期信号（ＴＳＳ）、またはＰＢＣＨ信号のうちの１つ以上を含み得る。ステップ１６０１の第１のＳＳブロックは、第１のＰＲＡＣＨ構成と関連付けられ得る。ステップ１６０２で、基地局１６２１は、第２のＰＲＡＣＨ構成と関連付けられ得る第２のＳＳブロックを、無線デバイス１６２０に送信し得る。ステップ１６０３で、基地局１６２１は、第３のＰＲＡＣＨ構成と関連付けられ得る第３のＳＳブロックを、無線デバイス１６２０に送信し得る。ステップ１６０４で、基地局１６２１は、第４のＰＲＡＣＨ構成と関連付けられ得る第４のＳＳブロックを、無線デバイス１６２０に送信し得る。任意の数のＳＳブロックが、ステップ１６０３および１６０４に加えて、またはそれらと置換して、同じ様式で送信されてもよい。ＳＳバーストは、任意の数のＳＳブロックを含み得る。例えば、ＳＳバースト１６１０は、ステップ１６０２〜１６０４の間に送信された３つのＳＳブロックを含む。
【００６１】
無線デバイス１６２０は、ステップ１６０５で、例えば、１つ以上のＳＳブロックまたはＳＳバーストを受信した後またはそれに応じて、基地局１６２１にプリアンブルを送信してもよい。プリアンブルは、ＰＲＡＣＨプリアンブルを含んでもよく、ＲＡ  Ｍｓｇ１と呼ばれてもよい。ＰＲＡＣＨプリアンブルは、最良のＳＳブロックビームであると判定され得るＳＳブロック（例えば、ステップ１６０１〜１６０４からのＳＳブロックのうちの１つ）で受信され得るＰＲＡＣＨ構成に従って、またはそれに基づいて、ステップ１６０５で送信され得る。無線デバイス１６２０は、ＰＲＡＣＨプリアンブルを送信する前に受信し得るＳＳブロックの中から最良のＳＳブロックビームを判定し得る。基地局１６２１は、ステップ１６０６で、例えば、ＰＲＡＣＨプリアンブルを受信した後、またはそれに応じて、ＲＡ  Ｍｓｇ２と呼ばれ得るランダムアクセス応答（ＲＡＲ）を送信することができる。ＲＡＲは、ステップ１６０６で、ＰＲＡＣＨ構成と関連付けられたＳＳブロックビームに対応するＤＬビームを介して送信され得る。基地局１６２１は、ＰＲＡＣＨプリアンブルを受信する前に以前に送信したＳＳブロックの中から最良のＳＳブロックビームを判定し得る。基地局１６２１は、最良のＳＳブロックビームと関連付けられたＰＲＡＣＨ構成に従って、またはそれに基づいてＰＲＡＣＨプリアンブルを受信することができる。
【００６２】
無線デバイス１６２０は、ステップ１６０７で、例えば、ＲＡＲを受信した後、またはそれに応じて、ＲＡ  Ｍｓｇ３と呼ばれ得るＲＲＣ接続要求および／またはＲＲＣ接続再開要求メッセージを、基地局１６２１に送信し得る。基地局１６２１は、例えば、ＲＲＣ接続要求および／またはＲＲＣ接続再開要求メッセージを受信した後、またはそれに応じて、ステップ１６０８で、ＲＡ  Ｍｓｇ４と呼ばれ得るＲＲＣ接続設定および／またはＲＲＣ接続再開メッセージを、無線デバイス１６２０に送信し得る。無線デバイス１６２０は、ステップ１６０９で、例えば、ＲＲＣ接続設定および／またはＲＲＣ接続再開を受信した後またはそれに応じて、ＲＡ  Ｍｓｇ５と呼ばれ得るＲＲＣ接続設定完了および／またはＲＲＣ接続再開完了メッセージを、基地局１６２１に送信し得る。無線デバイス１６２０と基地局１６２１との間にＲＲＣ接続を確立することができ、ランダムアクセスプロシージャは、例えば、ＲＲＣ接続設定完了および／またはＲＲＣ接続再開完了メッセージの受信後またはそれに応じて終了することができる。
【００６３】
最良のＳＳブロックビームを含むがこれに限定されない最良のビームは、チャネル状態情報基準信号（ＣＳＩ−ＲＳ）に基づいて判定され得る。無線デバイスは、無線デバイスと基地局との間のリンクのビーム品質を推定するためにマルチビームシステムでＣＳＩ−ＲＳを使用してもよい。例えば、ＣＳＩ−ＲＳの測定に基づいて、無線デバイスは、ダウンリンクチャネル適応のＣＳＩを報告することができる。ＣＳＩパラメータは、プリコーディング行列インデックス（ＰＭＩ）、チャネル品質インデックス（ＣＱＩ）値、および／またはランクインジケータ（ＲＩ）を含み得る。無線デバイスは、ＣＳＩ−ＲＳでの基準信号受信電力（ＲＳＲＰ）測定に基づいてビームインデックスを報告することができる。無線デバイスは、ダウンリンクビーム選択のためにＣＳＩリソース表示（ＣＲＩ）でビームインデックスを報告してもよい。基地局は、１つ以上のアンテナポートを介して、または１つ以上の時間および／もしくは周波数無線リソースを介してなど、ＣＳＩ−ＲＳリソースを介してＣＳＩ−ＲＳを送信することができる。ビームは、ＣＳＩ−ＲＳと関連付けることができる。ＣＳＩ−ＲＳは、ビーム方向の表示を含み得る。複数のビームの各々は、複数のＣＳＩ−ＲＳのうちの１つと関連付けられ得る。ＣＳＩ−ＲＳリソースは、セル固有の方法で、例えば、共通のＲＲＣシグナリングを介して設定され得る。追加または代替として、ＣＳＩ−ＲＳリソースは、例えば、専用ＲＲＣシグナリングならびに／または層１および／もしくは層２（Ｌ１／Ｌ２）シグナリングを介して、無線デバイス固有の方法で構成され得る。セル内の、またはセルによって提供される複数の無線デバイスは、セル固有のＣＳＩ−ＲＳリソースを測定することができる。セル内の、またはセルによって提供される無線デバイスの専用サブセットは、無線デバイス固有のＣＳＩ−ＲＳリソースを測定することができる。基地局は、非定期的な送信を使用して、またはマルチショットもしくは半永続的な送信を使用して、ＣＳＩ−ＲＳリソースを定期的に送信し得る。定期的な送信では、基地局は、時間領域で設定された周期性を使用して、設定されたＣＳＩ−ＲＳリソースを送信することができる。非定期的送信では、基地局は、構成されたＣＳＩ−ＲＳリソースを専用タイムスロットで送信することができる。マルチショットまたは半永続的送信では、基地局は、設定された期間に設定されたＣＳＩ−ＲＳリソースを送信することができる。基地局は、様々な目的のために、様々な用語で様々なＣＳＩ−ＲＳリソースを構成することができる。異なる用語には、例えば、セル固有、デバイス固有、定期的、非定期的、マルチショット、または他の用語が含まれ得る。様々な目的には、例えば、ビーム管理、ＣＱＩレポート、またはその他の目的が含まれ得る。
【００６４】
図１７は、ビームに対して定期的にＣＳＩ−ＲＳを送信する実施例を示している。基地局１７０１は、期間１７０３の間になど、時間領域で所定の順序でビームを送信することができる。送信１７０２Ｃおよび／または１７０３ＥのＣＳＩ−ＲＳ１７０４などのＣＳＩ−ＲＳ送信のために使用されるビームは、ＳＳブロック１７０２Ａ、１７０２Ｂ、１７０２Ｄ、および１７０２Ｆ〜１７０２ＨなどのＳＳブロック送信のビーム幅に対して異なるビーム幅を有する場合がある。追加的または代替的に、ＣＳＩ−ＲＳ送信のために使用されるビームのビーム幅は、ＳＳブロックのビーム幅と同じ値を有し得る。１つ以上のＣＳＩ−ＲＳの一部またはすべては、１つ以上のビームに含まれてもよい。ＳＳブロックは、同期シーケンス信号を搬送する、いくつかのＯＦＤＭシンボル（例えば、４）、およびいくつかのサブキャリア（例えば、２４０）を占有し得る。同期シーケンス信号は、セルを識別することができる。
【００６５】
図１８は、時間領域および周波数領域にマッピングされ得るＣＳＩ−ＲＳの実施例を示している。図１８に示される各正方形は、セルの帯域幅内のリソースブロックを表し得る。各リソースブロックは、いくつかのサブキャリアを含んでもよい。セルは、いくつかのリソースブロックで構成される帯域幅を有することができる。基地局（例えば、ＮＲのｇＮＢ）は、１つ以上のＣＳＩ−ＲＳについてのＣＳＩ−ＲＳリソース構成パラメータを含む、１つ以上の無線リソース制御（ＲＲＣ）メッセージを送信してもよい。各ＣＳＩ−ＲＳリソース構成についての上位層シグナリングによって、以下のパラメータ：ＣＳＩ−ＲＳリソース構成識別、ＣＳＩ−ＲＳポートの数、ＣＳＩ−ＲＳ構成（例えば、サブフレーム内のシンボルおよびＲＥの位置）、ＣＳＩ−ＲＳサブフレーム構成（例えば、無線フレーム内のサブフレームの位置、オフセット、および周期性）、ＣＳＩ−ＲＳ電力パラメータ、ＣＳＩ−ＲＳシーケンスパラメータ、ＣＤＭタイプのパラメータ、周波数密度、送信コム、ＱＣＬパラメータ（例えば、ＱＣＬ−ｓｃｒａｍｂｌｉｎｇｉｄｅｎｔｉｔｙ、ｃｒｓ−ｐｏｒｔｓｃｏｕｎｔ、ｍｂｓｆｎ−ｓｕｂｆｒａｍｅｃｏｎｆｉｇｌｉｓｔ、ｃｓｉ−ｒｓ−ｃｏｎｆｉｇＺＰｉｄ、ｑｃｌ−ｃｓｉ−ｒｓ−ｃｏｎｆｉｇＮＺＰｉｄ）、および／またはその他の無線リソースパラメータ、のうちの１つ以上を構成することができる。
【００６６】
図１８は、例えば、無線デバイス固有の構成で、無線デバイス用に構成され得る３つのビームを示している。任意の数の追加のビーム（例えば、空白の正方形の列で表される）またはより少ないビームが、含まれてもよい。ビーム１には、第１のシンボルのリソースブロック（ＲＢ）内のいくつかのサブキャリアで送信され得るＣＳＩ−ＲＳ１が、割り振られ得る。ビーム２には、第２のシンボルのＲＢのいくつかのサブキャリアで送信され得るＣＳＩ−ＲＳ  ２が、割り振られ得る。ビーム３には、第３のシンボルのＲＢ内のいくつかのサブキャリアで送信され得るＣＳＩ−ＲＳ３が、割り振られ得る。ＲＢ内のすべてのサブキャリアは、そのＣＳＩ−ＲＳの関連付けられたビーム（例えば、ビーム１）で特定のＣＳＩ−ＲＳ（例えば、ＣＳＩ−ＲＳ１）を送信するために必ずしも使用されない場合がある。周波数分割多重化（ＦＤＭ）を使用することにより、同じＲＢの無線デバイスについてのビーム１に使用されない他のサブキャリアを、他の無線デバイスについての異なるビームと関連付けられた他のＣＳＩ−ＲＳ送信のために使用することができる。追加または代替として、時間領域多重化（ＴＤＭ）を使用することにより、無線デバイスのために使用されるビームは、無線デバイスについての異なるビーム（例えば、ビーム１、ビーム２、およびビーム３）が他の無線デバイスのビームとは異なるいくつかのシンボルを使用して送信され得るように構成されてもよい。
【００６７】
ビーム管理では、デバイス固有の構成済みＣＳＩ−ＲＳを使用することができる。ビーム管理プロシージャにおいて、無線デバイスは、基地局（例えば、ＮＲのｇＮＢ）による送信ビーム、および無線デバイス（例えば、ＵＥ）による受信ビームを含む、ビームペアリンクのチャネル品質を監視することができる。複数のビームと関連付けられた複数のＣＳＩ−ＲＳが構成されている場合、無線デバイスは、基地局と無線デバイスとの間の複数のビームペアリンクを監視することができる。
【００６８】
無線デバイスは、１つ以上のビーム管理レポートを基地局に送信することができる。ビーム管理レポートは、例えば、構成されたビームのサブセットの１つ以上のビーム識別、ＲＳＲＰ、ＰＭＩ、ＣＱＩ、および／またはＲＩを含む、１つ以上のビームペア品質パラメータを示し得る。
【００６９】
基地局および／または無線デバイスは、ダウンリンクＬ１／Ｌ２ビーム管理プロシージャを実行してもよい。図２０Ａおよび図２０Ｂにそれぞれ示すように、１つ以上のダウンリンクＬ１／Ｌ２ビーム管理プロシージャは、１つまたは複数の送信および受信ポイント（ＴＲＰ）内で実行され得る。
【００７０】
図１９は、３つのビーム管理プロシージャ、Ｐ１、Ｐ２、およびＰ３の実施例を示している。プロシージャＰ１を使用して、ＴＲＰ（または複数のＴＲＰ）の異なる送信（Ｔｘ）ビームでの無線デバイス測定を可能にし、それにより、例えば、Ｔｘビームおよび／または無線デバイス受信（Ｒｘ）ビーム（複数可）（Ｐ１の上の行と下の行にそれぞれ陰影付きの楕円として表示されている）の選択をサポートすることができる。ＴＲＰ（または複数のＴＲＰ）でのビームフォーミングには、例えば、１組の異なるビームからのＴＲＰ内および／またはＴＲＰ間のＴｘビームスイープ（Ｐ１およびＰ２の上の行で、破線の矢印で示される反時計回りの方向に回転する陰影のない楕円として示されている）が含まれてもよい。無線デバイス１９０１でのビームフォーミングには、例えば、１組の異なるビームからの無線デバイスＲｘビームスイープ（Ｐ１およびＰ３の下の行で、破線の矢印で示される時計回りの方向に回転する陰影のない楕円として示されている）が含まれてもよい。プロシージャＰ２を使用して、例えば、ＴＲＰ間および／またはＴＲＰ内Ｔｘビーム（複数可）を変更し得る、ＴＲＰ（または複数のＴＲＰ）の異なるＴｘビーム（Ｐ２の上の行で、破線の矢印で示される反時計回りの方向に回転する陰影のない楕円として示されている）での無線デバイス測定を可能にすることができる。プロシージャＰ２は、例えば、プロシージャＰ１よりもビーム洗練化のためのより小さな１組のビームで実行されてもよい。Ｐ２は、Ｐ１の特定の実施例であり得る。プロシージャＰ３を使用して、例えば、無線デバイス１９０１がビームフォーミングを使用する場合に無線デバイスＲｘビームを変更するために、同じＴｘビーム（Ｐ３において陰影付きの楕円として示される）での無線デバイス測定を可能にすることができる。
【００７１】
無線デバイス１９０１（例えば、ＵＥ）および／または基地局１９０２（例えば、ｇＮＢ）は、ビーム障害回復メカニズムをトリガしてもよい。無線デバイス１９０１は、例えば、ビーム障害イベントが発生した場合に、ビーム障害回復（ＢＦＲ）要求送信をトリガしてもよい。ビーム障害イベントには、例えば、関連付けられた制御チャネルのビームペアリンク（複数可）の品質が不十分であるという判定が含まれる場合がある。関連付けられたチャネルのビームペアリンク（複数可）の不十分な品質の判定は、品質が閾値を下回ることおよび／またはタイマの満了に基づいてもよい。
【００７２】
無線デバイス１９０１は、１つ以上の基準信号（ＲＳ）を使用してビームペアリンク（複数可）の品質を測定し得る。１つ以上のＳＳブロック、１つ以上のＣＳＩ−ＲＳリソース、および／またはＰＢＣＨの１つ以上の復調基準信号（ＤＭ−ＲＳ）は、ビームペアリンクの品質を測定するためのＲＳとして使用され得る。１つ以上のＣＳＩ−ＲＳリソースの各々は、ＣＳＩ−ＲＳリソースインデックス（ＣＲＩ）と関連付けられ得る。ビームペアリンクの品質は、ＲＳリソースで測定されたＲＳＲＰ値、基準信号受信品質（ＲＳＲＱ）値、および／またはＣＳＩ値のうちの１つ以上に基づいてもよい。基地局１９０２は、例えば、ビームペアリンク品質を測定するために使用され得るＲＳリソースが、制御チャネルの１つ以上のＤＭ−ＲＳと準共配置される（ＱＣＬｅｄ）ことを示し得る。ＲＳを介した無線デバイス１９０１への送信からのチャネル特性、および制御チャネルを介した無線デバイスへの送信からのチャネル特性が、設定された基準の下で類似または同じである場合、制御チャネルのＲＳリソースおよびＤＭ−ＲＳは、ＱＣＬされ得る。
【００７３】
図２０Ａは、単一のＴＲＰが関与するビーム障害イベントの実施例を示している。基地局２００１などの単一のＴＲＰは、無線デバイス２００２に、第１のビーム２００３および第２のビーム２００４を送信することができる。例えば、第２のビーム２００４などのサービングビームが移動車両２００５またはその他の障害物（例えば、建物、樹木、土地、または任意の物体）によってブロックされている場合、およびサービングビームを含む構成されたビーム（例えば、第１のビーム２００３および／または第２のビーム２００４）が単一のＴＲＰから受信されている場合に、ビーム障害イベントは発生し得る。無線デバイス２００２は、ビーム障害が発生したときに、ビーム障害から回復するためのメカニズムをトリガすることができる。
【００７４】
図２０Ｂは、複数のＴＲＰが関与するビーム障害イベントの実施例を示している。第１の基地局２００６および第２の基地局２００９などでの複数のＴＲＰは、無線デバイス２００８に、第１のビーム２００７（例えば、第１の基地局２００６からの）および第２のビーム２０１０（例えば、第２の基地局２００９からの）を送信することができる。例えば、第２のビーム２０１０などのサービングビームが移動車両２０１１またはその他の障害物（例えば、建物、樹木、土地、または任意の物体）によってブロックされている場合、および構成されたビーム（例えば、第１のビーム２００７および／または第２のビーム２０１０）が複数のＴＲＰから受信されている場合に、ビーム障害イベントは発生し得る。無線デバイス２００８は、ビーム障害が発生したときに、ビーム障害から回復するためのメカニズムをトリガすることができる。
【００７５】
無線デバイスは、ＭビームペアリンクでＮｅｗ  Ｒａｄｉｏ  ＰＤＣＣＨ（ＮＲ−ＰＤＣＣＨ）などのＰＤＣＣＨを同時に監視することができ、ここで、Ｍ≧１であり、かつＭの最大値は、少なくとも無線デバイスの機能に依存し得る。このような監視は、ビームペアリンクのブロッキングに対するロバスト性を向上することができる。基地局は、異なるビームペアリンク（複数可）での、および／または異なるＮＲ−ＰＤＣＣＨ  ＯＦＤＭシンボルにおけるＮＲ−ＰＤＣＣＨを無線デバイスに監視させるように構成された１つ以上のメッセージを、送信することができ、かつ無線デバイスは、それを受信することができる。
【００７６】
基地局は、複数のビームペアリンクでＮＲ−ＰＤＣＣＨを監視するための無線デバイスのＲｘビーム設定に関連するパラメータを含み得る、上位層シグナリングおよび／またはＭＡＣ制御要素（ＭＡＣ  ＣＥ）を送信してもよい。基地局は、第１のＤＬ  ＲＳアンテナポート（複数可）と第２のＤＬ  ＲＳアンテナポート（複数可）との間の空間ＱＣＬ仮定の１つ以上の表示を送信してもよい。第１のＤＬ  ＲＳアンテナポート（複数可）は、セル固有のＣＳＩ−ＲＳ、デバイス固有のＣＳＩ−ＲＳ、ＳＳブロック、ＰＢＣＨのＤＭ−ＲＳを伴うＰＢＣＨ、および／またはＰＢＣＨのＤＭ−ＲＳを伴わないＰＢＣＨのうちの１つ以上のためのものであり得る。第２のＤＬ  ＲＳアンテナポート（複数可）は、ＤＬ制御チャネルの復調のためのものであり得る。ＮＲ−ＰＤＣＣＨについてのビーム表示のシグナリング（ＮＲ−ＰＤＣＣＨを監視するための構成など）は、ＭＡＣ  ＣＥシグナリング、ＲＲＣシグナリング、ＤＣＩシグナリング、または仕様透過的および／もしくは暗黙的方法、ならびにそれらの任意の組み合わせを介して行われ得る。
【００７７】
ユニキャストＤＬデータチャネルの受信の場合、基地局は、ＤＬデータチャネルのＤＬ  ＲＳアンテナポート（複数可）とＤＭ−ＲＳアンテナポート（複数可）との間の空間ＱＣＬパラメータを示すことができる。基地局は、ＲＳアンテナポート（複数可）を示す情報を含むＤＣＩ（例えば、ダウンリンク許可）を送信することができる。情報は、ＤＭ−ＲＳアンテナポート（複数可）でＱＣＬされ得る、ＲＳアンテナポート（複数可）を示している場合がある。ＤＬデータチャネルについてのＤＭ−ＲＳアンテナポート（複数可）の異なるセットは、ＲＳアンテナポート（複数可）の異なるセットを用いてＱＣＬとして示され得る。
【００７８】
基地局がＰＤＣＣＨについてのＣＳＩ−ＲＳとＤＭ−ＲＳとの間の空間ＱＣＬパラメータを示す信号を送信する場合、無線デバイスは、ＰＤＣＣＨについてのＤＭ−ＲＳでＱＣＬされたＣＳＩ−ＲＳを使用して、ビームペアリンクの品質を監視することができる。ビーム障害イベントが発生した場合、無線デバイスは、判定された構成などによって、ビーム障害回復要求を送信することができる。
【００７９】
無線デバイスが、例えば、アップリンク物理チャネルまたは信号を介してビーム障害回復要求を送信する場合、基地局は、アップリンク物理チャネルまたは信号を監視することによって、無線デバイスに対するビーム障害イベントがあることを検出し得る。基地局は、基地局と無線デバイスとの間でＰＤＣＣＨを送信するためのビームペアリンクを回復するために、ビーム回復メカニズムを開始してもよい。基地局は、例えば、ビーム障害回復要求の受信後または受信に応じて、１つ以上の制御信号を、無線デバイスに送信してもよい。ビーム回復メカニズムは、例えば、Ｌ１スキーム、またはより上位層のスキームであり得る。
【００８０】
基地局は、例えば、アップリンク物理チャネルの構成パラメータおよび／またはビーム障害回復要求を送信するための信号を含む、１つ以上のメッセージを送信することができる。アップリンク物理チャネルおよび／または信号は、他のＰＲＡＣＨ送信のリソースに直交するリソースを使用し得る、非競合ベースのＰＲＡＣＨ（例えば、ビーム障害回復ＰＲＡＣＨまたはＢＦＲ−ＰＲＡＣＨ）、ＰＵＣＣＨ（例えば、ビーム障害回復ＰＵＣＣＨまたはＢＦＲ−ＰＵＣＣＨ）、および／または競合ベースのＰＲＡＣＨリソースのうちの少なくとも１つに基づいてもよい。これらの候補信号および／またはチャネルの組み合わせは、基地局によって構成されてもよい。
【００８１】
無線デバイスは、１つ以上のサウンディング基準信号（ＳＲＳ）を送信することができる。基地局は、チャネル品質推定のために１つ以上のＳＲＳを送信するために、無線で表示を送信することができ、これはアップリンク上で周波数選択的スケジューリングを可能にすることであり得る。追加または代替として、ＳＲＳの送信は、電力制御を強化するため、および／または最近スケジュールされていない無線デバイスの様々な起動機能をサポートするためなどの、他の目的に使用されてもよい。そのような起動機能には、例えば、初期変調および符号化方式の選択、データ送信のための初期電力制御、タイミングアドバンス、ならびに／または周波数半選択的スケジューリングが含まれ得る。追加または代替として、ＳＲＳの送信は、アップリンクビーム管理のために使用されてもよい。アップリンクビームフォーミングが無線デバイスでサポートされている場合、アップリンクビーム管理は、少なくとも無線デバイスの送信ビームを調整するために使用されてもよい。
【００８２】
セル内の無線デバイスによってＳＲＳが送信される可能性のあるサブフレームは、セル固有のブロードキャストシグナリングおよび／または無線デバイス固有のシグナリングによって示されてもよい。一般的な構成されたＳＲＳ送信の場合、ＳＲＳ送信についてのサブフレームは、ＲＲＣセル固有のパラメータによって示される場合がある。
【００８３】
無線デバイスは、３つのタイプのＳＲＳ：定期的ＳＲＳ送信（例えば、タイプ０）、非定期的ＳＲＳ送信（例えば、タイプ１）、半永続的ＳＲＳ送信（例えば、タイプ２）のうちの少なくとも１つを送信するための表示を受信し得る。無線からの定期的ＳＲＳ送信は、例えば、２ミリ秒に１回から１６０ミリ秒に１回など、一定の時間間隔で発生する場合がある。ＳＲＳ送信は、図２１に示されるように、構成されたサブフレーム内の最後のいくつかのＳＣ−ＦＤＭＡまたはＯＦＤＭシンボル内にあり得る。
【００８４】
図２１は、ＳＲＳ送信を含み得るサブフレームの例示的な配置を示す。図２１の上の行の各長方形は、１つのサブフレームに対応し得る。ＳＲＳ期間は、Ｎ個のサブフレームなどの複数のサブフレームを含み得る。各サブフレームは、図２１の下の行に示されるような複数のシンボルを含み得る。１つ以上のシンボルは、ＳＲＳ送信を含み得る。ＳＲＳ送信は、各ＳＲＳ期間に含まれてもよい。
【００８５】
基地局（例えば、ｇＮＢ）は、無線デバイスに、ＤＣＩを送信してもよい。基地局は、例えば、スケジューリング許可の一部として、ＰＤＣＣＨを介してＤＣＩを送信してもよく、これは、非定期的ＳＲＳ送信、例えば、ワンショット送信をトリガし得る。定期的および非定期的ＳＲＳの時刻は、高層シグナリングを使用してデバイスごとに設定されてもよい。例えば、無線デバイス固有の定期的ＳＲＳ構成の場合、ＳＲＳ送信のために使用されるサブフレームは、無線デバイス固有のＲＲＣシグナリングによって示され得る。
【００８６】
無線デバイスは、持続時間内に同じまたは異なるＴｘビームでプリコードされたＳＲＳを送信することができる。無線デバイスは、ｇＮＢ透過ＴｘビームをＳＲＳに適用すること（例えば、ワイヤレスデバイスが各ＳＲＳポート／リソースのＴｘビームを判定し得る）、または基地局表示（例えば、ＳＲＩを介する）のうちの１つ以上に基づいて、ＳＲＳ送信についてのＴｘビームを判定し得る。
【００８７】
無線デバイスは、ＲＲＣシグナリングによって示される構成パラメータに従って、多くのＳＲＳポート（例えば、１、２または４）、コムレベル（例えば、２または４）、および／または構成可能な周波数ホッピングでＳＲＳを送信することができる。
【００８８】
無線デバイスは、１つ以上の構成されたＳＲＳパラメータを使用して、ＳＲＳを送信することができる。１つ以上の構成されたＳＲＳパラメータは、ＳＲＳ帯域幅、ＳＲＳ数秘術、周波数領域（例えば、コムレベル）および／または時間領域（例えば、マルチシンボルＳＲＳ送信を含む）における密度、部分的なバンドサイズ、ならびにフルバンドサイズのうちの１つ以上を含み得る。
【００８９】
基地局（例えば、ｇＮＢ）は、１つ以上のＳＲＳ構成を含む１つ以上のＲＲＣメッセージを、無線デバイスに送信してもよい。１つ以上のＳＲＳ構成のうちの少なくとも１つは、１つ以上のＳＲＳリソースを含み得る。１つ以上のＳＲＳリソースのうちの少なくとも１つは、ＳＲＳリソースインデックス（ＳＲＩ）、持続時間および／または周波数スパン内の１組のリソース要素（ＲＥ）、ならびにＮ個のアンテナポート（例えば、ここでＮ≧１である）を含み得る。１つ以上のＳＲＳリソースのうちの少なくとも１つは、非定期的な送信のために使用され得る。無線デバイスは、低ピーク対平均電力比を達成し得る、シーケンス（例えば、Ｚａｄｏｆｆ−Ｃｈｕシーケンス）を使用することによって、１つ以上のＳＲＳを送信することができる。
【００９０】
無線デバイスには、複数のアップリンクＴｘビーム送信を可能にすることができる、複数のＴｘアンテナが装備されていてもよい。無線デバイスは、少なくともダウンリンクビームフォーミングとアップリンクビームフォーミングとの間に相互関係がない場合に、構成によってアップリンクビーム管理を実行することができる。
【００９１】
図２２は、無線デバイス２２０１によってサポートされ得る、３つのタイプのアップリンクビーム管理プロシージャの実施例を示している。基地局２２０２（例えば、ｇＮＢ）および無線デバイス２２０１は、アップリンクビーム管理プロシージャの第１のタイプ（例えば、Ｕ１）を実行して、例えば、無線デバイス２２０１のＴｘビーム（Ｕ１の下の行で、破線の矢印で示される時計回りの方向に回転する陰影のない楕円として示されている）と基地局２２０２のＲｘビーム（Ｕ１の上の行で、破線の矢印で示される反時計回りの方向に回転する陰影のない楕円として示されている）との間の適切なビームペアリンク（Ｕ１で陰影付きの楕円として示される）を選択することができる。この第１のタイプのアップリンクビーム管理プロシージャは、無線デバイスによるビーム掃引および／または基地局２２０２によるビーム掃引を含むことができる。基地局２２０２は、第２のタイプ（例えば、Ｕ２）のアップリンクビーム管理プロシージャを実行して、例えば、Ｒｘビーム掃引（Ｕ２の上の行で、破線の矢印で示される反時計回りの方向に回転する陰影のない楕円として示されている）を実行することなどにより、Ｒｘビームを変更することができる。この第２のタイプのアップリンクビームプロシージャの間、基地局２２０２は、無線デバイス２２０１のＴｘビーム方向が固定されていると仮定することができる（Ｕ２の下の行で陰影付きの楕円として示されている）。無線デバイス２２０１は、第３のタイプ（例えば、Ｕ３）のアップリンクビーム管理プロシージャを実行して、例えば、Ｔｘビーム掃引（Ｕ３の下の行で、破線の矢印で示される時計回りの方向に回転する陰影のない楕円として示されている）を実行することなどにより、Ｔｘビームを変更することができる。この第３のタイプのアップリンクビーム管理プロシージャの間、基地局２２０２は、無線デバイス２２０１に最良のＴｘビーム（Ｕ３の上の行で陰影付きの楕円として示される）を示し得る。
【００９２】
無線デバイス２２０１は、例えば、第１のプロシージャＵ１において、複数のＴｘビームに対してランダムアクセスプロシージャを実行してもよい。基地局２２０２は、例えば、第１のプロシージャＵ１において、ＴｘビームでＲＡＲを送信し得、ＲＡＲは、無線デバイスが使用し得る最良に判定されたＴｘビームの情報を含み得る。
【００９３】
基地局２２０２は、例えば、第２のプロシージャＵ２において、設定された時間についてのＴｘビームを不変に保つ表示を、無線デバイス２２０１に送信することができ、その時間の間に、基地局２２０２は、Ｒｘビーム掃引を実行して、最良に判定されたＲｘビームを見つけ出すことができる。無線デバイス２２０１は、基地局２２０２が最終的にどのＲｘビームを選択することができるかを必ずしも知らない場合がある。
【００９４】
基地局２２０２は、例えば、第３のプロシージャＵ３で無線デバイス２２０１に、設定された時間内に無線デバイス２２０１によるアップリンク送信ビーム掃引をトリガし得るＤＣＩを送信し、その時間の間、基地局２２０２は、ＲＸビームを不変に保つことができる。基地局２２０２は、ビームペアリンクのチャネルを測定し得る。基地局２２０２は、最良に判定されたＴｘビームを無線デバイス２２０１に示し得る。無線デバイス２２０１は、例えば、Ｔｘビームが選択基準を満たす場合、将来のアップリンク送信のために最良に判定されたＴｘビームを使用してもよい。
【００９５】
基地局２２０２は、１つ以上のアップリンク基準信号（例えば、ＳＲＳ）の測定に基づいてビーム選択を実行することができる。基地局２２０２は、１つ以上のＳＲＳ構成を含む１つ以上のメッセージを送信してもよい。１つ以上のＳＲＳ構成は、ＳＲＳリソースインデックス（ＳＲＩ）、ＳＲＳ時間パラメータ（例えば、サブフレーム、オフセット、シンボル、持続時間）、周波数パラメータ（例えば、ＳＲＳ帯域幅、周波数位置、ホッピング帯域幅、コム係数）、サイクリックシフトパラメータ、ビーム掃引パラメータ（例えば、ビーム掃引持続期間、ビーム回転、またはビーム固定維持）のうちの１つ以上を含み得る。基地局２２０２は、アップリンクビーム掃引をトリガし得る、１つ以上の制御情報を送信し得る。１つ以上の制御情報は、少なくとも１つ以上のＳＲＳリソースを含み得る。無線デバイス２２０１は、ＲＲＣメッセージによって構成された、および／またはＤＣＩによって示されたＳＲＳパラメータを使用して、１つ以上のＳＲＳを送信することができる。基地局２２０２は、選択基準（例えば、受信されたＳＲＳの最良のＲＳＲＰ）を使用して、Ｔｘビームを選択してもよい。基地局２２０２は、１つ以上のダウンリンク制御情報を介して無線デバイス２２０１に、選択されたＴｘビームと関連付けられたＳＲＩを示し得る。
【００９６】
無線デバイス２２０１が最良のＴｘビームを示すＤＣＩの受信に失敗した場合、例えば、第３のプロシージャＵ３において、アップリンクビーム障害イベントが発生する可能性がある。アップリンクビーム障害は、Ｌ１より上位の層メカニズムを使用して回復することができる。
【００９７】
基地局２２０２は、ＰＤＣＣＨを介して、スケジューリング判定および電力制御コマンドのためのＤＣＩを送信し得る。ＤＣＩは、ダウンリンクスケジューリング割り当て、アップリンクスケジューリング許可、または電力制御コマンドのうちの１つ以上を含み得る。ダウンリンクスケジューリング割り当ては、ＰＤＳＣＨリソース表示、トランスポートフォーマット、ＨＡＲＱ情報、複数のアンテナスキームに関連する制御情報、またはダウンリンクスケジューリング割り当てに基づいて、もしくはそれに応じてＡＣＫ／ＮＡＣＫの送信に使用されるＰＵＣＣＨの電力制御のためのコマンドのうちの１つ以上を含むことができる。アップリンクスケジューリング許可は、ＰＵＳＣＨリソース表示、トランスポートフォーマット、ＨＡＲＱ関連情報、またはＰＵＳＣＨの電力制御コマンドのうちの１つ以上を含み得る。
【００９８】
様々なタイプの制御情報が、様々なＤＣＩペイロードサイズに対応する場合がある。例えば、周波数領域でＲＢの非連続割り振りで空間多重化をサポートするには、周波数連続割り振りのみを許可し得るアップリンク許可と比較して、より大きなスケジューリングメッセージが必要になる場合がある。ＤＣＩは、様々なＤＣＩフォーマットに分類することができ、フォーマットは、特定のペイロードサイズおよび／または使用法に対応し得る。無線デバイス２２０１は、１つ以上のＤＣＩフォーマットで１つ以上のＤＣＩを検出するために、１つ以上のＰＤＣＣＨを監視してもよい。１つ以上のＰＤＣＣＨは、共通検索空間または無線デバイス固有の検索空間で送信され得る。無線デバイス２２０１は、例えば、電力消費を節約するために、限られた１組のＤＣＩフォーマットのみでＰＤＣＣＨを監視してもよい。無線デバイス２２０１は、いくつかのＤＣＩフォーマット（例えば、ｅＭＴＣ無線デバイスのために使用され得るＤＣＩフォーマット６）でＤＣＩを検出する必要がない場合がある。検出されるべきＤＣＩフォーマットが多いほど、無線デバイス２２０１でより多くの電力が消費される可能性がある。
【００９９】
ダウンリンクスケジューリングのために使用され得るＤＣＩフォーマットの情報は、様々なグループに編成されてもよい。ＤＣＩフォーマットの１つ以上のフィールドは、キャリアインジケータ（例えば、０または３ビット）および／もしくはＲＢ割り振りなどのリソース情報；ＨＡＲＱプロセス番号；ＭＣＳ、ＮＤＩ、および／もしくはＲＶ（例えば、第１のＴＢおよび／または第２のＴＢに関する）；ＰＭＩ、プリコーディング情報、トランスポートブロックスワップフラグ、ＰＤＳＣＨと基準信号との間の電力オフセット、基準信号スクランブリングシーケンス、層の数、および／もしくは送信用のアンテナポート数などのＭＩＭＯ関連情報；ＰＤＳＣＨリソース要素マッピングおよび／もしくはＱＣＩ；ダウンリンク割り当てインデックス（ＤＡＩ）；ＰＵＣＣＨのＴＰＣ；ワンショットＳＲＳ送信の表示またはそのためのトリガを含み得るＳＲＳ要求（例えば、１ビット）；ＡＣＫおよび／もしくはＮＡＣＫオフセット；例えば、ＤＣＩフォーマット１Ａと、ＤＣＩフォーマット０もしくは同じメッセージサイズを有し得る他のフォーマットとを区別するために使用され得る、ＤＣＩフォーマット表示；ならびに／またはパディング（例えば、必要に応じて）、のうちの１つ以上を含んでもよい。
【０１００】
アップリンクスケジューリングのために使用され得るＤＣＩフォーマットの情報は、様々なグループに編成されてもよい。ＤＣＩフォーマットの１つ以上のフィールドは、キャリアインジケータ、リソース割り振りタイプ、および／もしくはＲＢ割り振りなどのリソース情報；ＭＣＳおよび／もしくはＮＤＩ（例えば、第１のＴＢおよび／または第２のＴＢに関する）；アップリンクＤＭＲＳの位相回転；プリコーディング情報；ＣＳＩリクエスト（非定期的なＣＳＩレポートのリクエスト）；最大３つの事前構成された設定のうちの１つを使用し得る非定期的ＳＲＳ送信の表示、もしくはそれのためのトリガを含み得る、ＳＲＳ要求（例えば、２ビットなど）；アップリンクインデックス／ＤＡＩ；ＰＵＳＣＨのＴＰＣ；例えば、ＤＣＩフォーマット１ＡとＤＣＩフォーマット０とを区別するために使用され得る、ＤＣＩフォーマット表示；ならびに／またはパディング（例えば、必要に応じて）、のうちの１つ以上を含んでもよい。
【０１０１】
基地局は、例えば、広帯域幅動作をサポートし得る異なる制御リソースセットで１つ以上のＰＤＣＣＨを送信してもよい。基地局は、１つ以上の制御リソースセットの構成パラメータを含む１つ以上のＲＲＣメッセージを送信し得る。１つ以上の制御リソースセットのうちの少なくとも１つは、第１のＯＦＤＭシンボル（例えば、ＣＯＲＥＳＥＴ＿ＳｔａｒｔＳｙｍｂｏｌ）、多くの連続したＯＦＤＭシンボル（例えば、ＣＯＲＥＳＥＴ＿ＮｕｍＳｙｍｂｏｌ）、１組のリソースブロック（例えば、ＣＯＲＥＳＥＴ＿ＲＢＳｅｔ）、ＣＣＥからＲＥＧへのマッピング（例えば、ＣＯＲＥＳＥＴ＿ｍａｐｐｉｎｇ）、および／またはインターリーブされたＣＣＥからＲＥＧへのマッピング（例えば、ＣＯＲＥＳＥＴ＿ＲＥＧ＿ｂｕｎｄｌｅ）などのＲＥＧバンドルサイズ、のうちの１つ以上を含んでもよい。
【０１０２】
基地局は、１つ以上のアクティブ帯域幅部分（ＢＷＰ）の構成パラメータを含む１つ以上のメッセージを送信してもよい。１つ以上のアクティブなＢＷＰは、異なる数秘術を有してもよい。基地局は、クロスＢＷＰスケジューリングのための１つ以上の制御情報を、無線デバイスに送信してもよい。
【０１０３】
アップリンクビーム管理のためのＳＲＳの送信電力制御
一実施例では、基地局は、アップリンク電力制御の１つ以上のパラメータを含む１つ以上の無線リソース制御メッセージを送信することができる。１つ以上のパラメータは、第１の電力パラメータ（例えば、Ｐ０）、第２の電力パラメータ（例えば、アルファ）、第３の電力パラメータ（例えば、ＰＣＭＡＸ）のうちの少なくとも１つを含み得る。
【０１０４】
一実施例では、ＵＥは、送信電力（ＰＵＳＣＨ）でＰＵＳＣＨを送信し得る。ＵＥは、サービングセルｃのサブフレームｉの送信電力ＰＰＵＳＣＨを、ＰＰＵＳＣＨ，ｃ（ｉ）＝ｍｉｎ｛ＰＣＭＡＸ，ｃ（ｉ），１０ｌｏｇ１０（ＭＰＵＳＣＨ，ｃ（ｉ））＋ＰＯ＿ＰＵＳＣＨ，ｃ（Ｊ）＋αＣ（Ｊ）・ＰＬｃ＋ΔＴＦ，ｃ（ｉ）＋ｆｃ（ｉ）｝［ｄＢｍ］によって、判定することができる。一実施例では、ＰＣＭＡＸ，ｃ（ｉ）は、サービングセルのためのサブフレームｉ内の構成されたＵＥ送信電力であり得る。ccＭＰＵＳＣＨ，ｃ（ｉ）は、リソースブロックの一部で表されるＰＵＳＣＨリソース割り当ての帯域幅値であり得る。ＰＯ＿ＰＵＳＣＨ，ｃ（ｊ）およびαｃ（ｊ）は、サブフレームにおけるサービングセルｃについての高層で構成されたオープンループパラメータであってもよい。iＰＬｃは、無線デバイスによって測定されたパス損失である場合がある。ΔＴＦ，ｃ（ｉ）は、デルタパラメータであり得、ｆｃ（ｉ）は、サービングセルについての現在のＰＵＳＣＨ電力制御調整状態であり得る。
【０１０５】
一実施例では、ＵＥは、高層シグナリングによって示される蓄積パラメータ（例えば、蓄積可能またはｔｐｃ蓄積）に基づいてｆｃ（ｉ）を判定し得る。蓄積が蓄積パラメータに基づいて有効になっている場合、ＵＥは、ｆｃ（ｉ）＝ｆｃ（ｉ−１）＋δＰＵＳＣＨ，ｃ（ｉ−ＫＰＵＳＣＨ）によって、ｆｃ（ｉ）を判定することができる。蓄積パラメータに基づいて蓄積が有効化されない場合、ＵＥは、ｆｃ（ｉ）＝δＰＵＳＣＨ，ｃ（ｉ−ＫＰＵＳＣＨ）を判定してもよい。一実施例では、δＰＵＳＣＨ，ｃ（ｉ−ＫＰＵＳＣＨ）は、サブフレーム／スロットｉ−ＫＰＵＳＣＨ上のＤＣＩフォーマット（例えば、ＬＴＥ／ＬＴＥ＿Ａ仕様のＤＣＩフォーマット０／０Ａ／０Ｂ／４／４Ａ／４Ｂ）において、ＰＤＣＣＨ／ＥＰＤＣＣＨでシグナリングされ得る。ＫＰＵＳＣＨは、事前に定義された値または設定された値であり得る。
【０１０６】
一実施例では、ＣＳＩ取得の場合、ＵＥは、送信電力（ＰＳＲＳ）で１つ以上のＳＲＳを送信し得る。ＵＥは、フレーム構造タイプ２（例えば、ＴＤＤ構成）がサービングセルｃのために構成され、かつＰＵＳＣＨ／ＰＵＣＣＨ送信がサービングセルｃのために構成されていない場合（この場合、サービングセルｃはＰＵＳＣＨなしセルと呼ばれる）に、ＰＳＲＳ（ｉ）＝ｍｉｎ｛ＰＣＭＡＸ，ｃ（ｉ），１０ｌｏｇ１０（ＭＳＲＳ，Ｃ）＋ＰＯ＿ＳＲＳ，ｃ（ｍ）＋αＳＲＳ，ｃ・ＰＬｃ＋ｆＳＲＳ，ｃ（ｉ）｝［ｄＢｍ］によって、サービングセルｃについての送信電力ＰＳＲＳを判定することができる。サービングセルｃのフレーム構造がフレーム構造タイプ２（またはフレーム構造タイプ１（例えば、ＦＤＤ）、またはフレーム構造タイプ２以外の他のフレーム構造）ではない場合、および／またはＰＵＳＣＨ／ＰＵＣＣＨ送信がサービングセルｃのために構成されている場合、ＵＥは、ＰＳＲＳ，ｃ（ｉ）＝ｍｉｎ｛ＰＣＭＡＸ，ｃ（ｉ），ＰＳＲＳ＿ＯＦＦＳＥＴ，ｃ（ｍ）＋１０ｌｏｇ１０（ＭＳＲＳ，ｃ）＋ＰＯ＿ＰＵＳＣＨ，ｃ（ｊ）＋αｃ（ｊ）・ＰＬｃ＋ｆｃ（ｉ）｝［ｄＢｍ］によって、サービングセルｃのサブフレームｉで送信電力ＰＳＲＳを判定することができる。一実施例では、ＰＣＭＡＸ，ｃ（ｉ）は、サービングセルｃのサブフレームｉ内の構成されたＵＥ送信電力であり得る。ｃＰＳＲＳ＿ＯＦＦＳＥＴ，ｃ（ｍ）は、サービングセルｃについてのｍ＝０およびｍ＝１の上位層によって準静的に構成され得る。ＭＳＲＳ，ｃは、リソースブロックの数で表されるサービングセルｃのサブフレームｉにおけるＳＲＳ送信の帯域幅であり得る。ｆｃ（ｉ）は、サービングセルの現在のＰＵＳＣＨ電力制御調整状態であり得る。ｃｃＰＯ＿ＰＵＳＣＨ，Ｃ（ｊ）およびαｃ（ｊ）は、サブフレームの高層によって構成されたオープンループパラメータであってもよい。ｃαＳＲＳ，ｃは、サービングセルｃの上位層によって構成された上位層パラメータ（例えば、アルファＳＲＳ）であってもよい。ＰＯ＿ＳＲＳ，ｃ（ｍ）は、ｍ＝０または１の上位層から提供されるｐ０−Ｎｏｍｉｎａｌ−ＰｅｒｉｏｄｉｃＳＲＳまたはｐ０−Ｎｏｍｉｎａｌ−ＡｐｅｒｉｏｄｉｃＳＲＳである、コンポーネントＰＯ＿ＮＯＭＩＮＡＬ＿ＳＲＳ，ｃ（ｍ）と、サービングセルｃの上位層によって提供されるｐ０−ＵＥ−ＰｅｒｉｏｄｉｃＳＲＳまたはｐ０−ＵＥ−ＡｐｅｒｉｏｄｉｃＳＲＳである、コンポーネントＰＯ＿ＵＥ＿ＳＲＳ，ｃ（ｍ）と、の合計で構成されるオープンループパラメータであり得る。
【０１０７】
一実施例では、サービングセルｃがフレーム構造タイプ２で構成され、かつサービングセルｃがＰＵＳＣＨ／ＰＵＣＣＨ送信で構成されていない場合、無線デバイスは、累積が有効な場合に、パラメータｆＳＲＳ，ｃ（ｉ）を、ｆＳＲＳ，ｃ（ｉ）＝ｆＳＲＳ，ｃ（ｉ−１）＋δＳＲＳ，ｃ（ｉ−ＫＳＲＳ）によって判定することができる。無線デバイスは、蓄積が上位層パラメータに基づいて有効化されていない（例えば、蓄積有効またはｔｐｃ−蓄積）場合、ｆＳＲＳ，ｃ（ｉ）＝δＳＲＳ，ｃ（ｉ−ＫＳＲＳ）によって、パラメータｆＳＲＳ，ｃ（ｉ）を判定することができる。δＳＲＳ，ｃ（ｉ−ＫＳＲＳ）は、最新のサブフレームｉ−ＫＳＲＳにおいてＤＣＩフォーマット（例えば、ＤＣＩフォーマット３Ｂ）でＰＤＣＣＨでシグナリングされるＳＲＳ送信電力制御（ＴＰＣ）コマンドとも呼ばれる補正値であり、ここで、ＫＳＲＳ＞＝４である。
【０１０８】
一実施例では、補正値δＳＲＳは、ＤＣＩフォーマット（例えば、ＤＣＩフォーマット３Ｂ）におけるＴＰＣコマンドフィールド（例えば、１ビットまたは２ビット）によって示され得る。蓄積が有効である場合、「００」に設定された２ビットＴＰＣコマンドフィールドは、補正値δＳＲＳが−１ｄＢであることを示してもよく、「０１」に設定されたＴＰＣコマンドフィールドは、補正値δＳＲＳが０ｄＢであることを示してもよく、「１０」に設定されたＴＰＣコマンドフィールドは、補正値δＳＲＳが１ｄＢであることを示してもよく、「１１」に設定されたＴＰＣコマンドフィールドは、補正値δＳＲＳが３ｄＢであることを示してもよい。蓄積が有効でない場合、「００」に設定されたＴＰＣコマンドフィールドは、補正値δＳＲＳが−４ｄＢであることを示してもよく、「０１」に設定されたＴＰＣコマンドフィールドは、補正値δＳＲＳが−１ｄＢであることを示してもよく、「１０」に設定されたＴＰＣコマンドフィールドは、補正値δＳＲＳが１ｄＢであることを示してもよく、「１１」に設定されたＴＰＣコマンドフィールドは、補正値δＳＲＳが４ｄＢであることを示してもよい。
【０１０９】
ＬＴＥ／ＬＴＥ＿Ａシステムでは、ＳＲＳ送信は、ＰＵＳＣＨ送信と１つ以上の電力制御パラメータを共有する場合がある。例えば、高層シグナリングで構成された累積パラメータ「ａｃｃｕｍｕｌａｔｉｏｎＥｎａｂｌｅｄ」または「ｔｐｃ−Ａｃｃｕｍｕｌａｔｉｏｎ」は、ＰＵＳＣＨおよびＳＲＳの両方に適用することができる。ＤＣＩにおけるＴＰＣコマンドは、ＰＵＳＣＨおよびＳＲＳの両方に適用することができる。一実施例では、セルがＰＵＳＣＨレスセル（例えば、ＰＵＳＣＨ／ＰＵＣＣＨ送信なしで構成される）であり、かつＴＤＤフレーム構造で構成される場合、基地局は、蓄積が有効または無効であるかどうかを示す別個／専用パラメータを、ＳＲＳ送信のために構成することを可能にし得る。無線デバイスは、別個／専用パラメータに従って、ｆＳＲＳ，ｃ（ｉ）および／またはＰＳＲＳ（ｉ）を判定してもよい。セルがＰＵＳＣＨ／ＰＵＣＣＨ送信で構成されている場合、および／またはＦＤＤフレーム構造（またはＴＤＤ以外の他のフレーム構造）で構成されている場合、基地局は、蓄積が有効または無効であるかどうかを示す別個／専用パラメータを、ＳＲＳ送信のために構成することができない場合がある。無線デバイスは、ＰＵＳＣＨ送信のために構成された蓄積パラメータに基づいて、ｆＳＲＳ，ｃ（ｉ）および／またはＰＳＲＳ（ｉ）を常に判定してもよい。例えば、セルがＰＵＳＣＨ／ＰＵＣＣＨ送信で構成されているとき、および／またはＦＤＤフレーム構造（またはＴＤＤ以外の他のフレーム構造）で構成されているときに、ＲＲＣメッセージにおける累積パラメータ（例えば、Ａｃｃｕｍｕｌａｔｉｏｎ−ｅｎａｂｌｅｄ、またはｔｐｃ−Ａｃｃｕｍｕｌａｔｉｏｎ）が「有効」に設定されている場合、無線デバイスは、ｆｃ（ｉ）に基づいてＰＳＲＳ（ｉ）を判定することができ、ここで、ｆｃ（ｉ）＝ｆｃ（ｉ−１）＋δＰＵＳＣＨ，ｃ（ｉ−ＫＰＵＳＣＨ）である。セルがＰＵＳＣＨ／ＰＵＣＣＨ送信で構成されているとき、および／またはＦＤＤフレーム構造（またはＴＤＤ以外の他のフレーム構造）で構成されているときに、ＲＲＣメッセージにおける累積パラメータ（例えば、Ａｃｃｕｍｕｌａｔｉｏｎ−ｅｎａｂｌｅｄ、またはｔｐｃ−Ａｃｃｕｍｕｌａｔｉｏｎ）が「有効でない」（または「無効」）に設定されている場合、無線デバイスは、ｆｃ（ｉ）に基づいてＰＳＲＳ（ｉ）を判定することができ、ここで、ｆｃ（ｉ）＝δＰＵＳＣＨ，ｃ（ｉ−ＫＰＵＳＣＨ）である。一実施例において、ＰＵＳＣＨ送信およびＳＲＳ送信のためのいくつかの電力制御パラメータ（例えば、蓄積パラメータを含む）の共有は、アップリンク送信ビームフォーミングがサポートされていない可能性がある、ＬＴＥ／ＬＴＥ＿Ａシステムに対して有効かつ簡単であり得る。ＬＴＥ／ＬＴＥ＿Ａシステムでは、無線デバイスは、ＣＳＩ取得のためにＳＲＳを送信し得る。無線デバイスは、ＬＴＥ／ＬＴＥ＿Ａシステムでのアップリンクビーム管理のためにＳＲＳを送信する必要がない場合がある。
【０１１０】
ＮＲシステムでは、無線デバイスは、複数のＴｘビームをサポートすることができる。無線デバイスは、ＣＳＩ取得またはアップリンクビーム管理のためにＳＲＳを送信してもよい。アップリンクビーム管理のためのＳＲＳ送信は、ビーム幅および／またはアンテナ電力数の点で、ＣＳＩ取得のためのＳＲＳ送信とは異なる場合がある。例えば、ＵＥは、広いビーム幅および／または少数のアンテナポート（例えば、１または２）でアップリンクビーム管理のための１つ以上の第１のＳＲＳを送信し得る。ＵＥは、狭いビーム幅および／または多数のアンテナポート（例えば、４または８）でＣＳＩ取得のための１つ以上の第２のＳＲＳを送信し得る。一実施例では、アップリンクビーム管理プロシージャを実行するとき、基地局は、異なるビーム方向を有する受信された１つ以上のＳＲＳに基づいて１つ以上のＴｘビームを選択し得る。一実施例では、ＣＳＩ取得を実行するとき、基地局は、複数のアンテナポートを有する受信された１つ以上のＳＲＳに基づいてＣＳＩ値（複数可）を推定し得る。一実施例では、基地局は、アップリンクビーム管理のためのＳＲＳ送信とＣＳＩ取得のためのＳＲＳ送信に、異なる受信電力を必要とする場合がある。異なる受信電力には、異なる電力制御メカニズムが必要になる場合がある。
【０１１１】
一実施例において、アップリンクビーム管理（例えば、図２２のＵ１またはＵ３）により、無線デバイスは、基地局が適切なビームペアリンクを識別するのを助けるために、ビーム掃引方法で複数のＳＲＳを送信し得る。無線デバイスは、ビームスイープ方法でＰＵＳＣＨを送信しない場合があり、アップリンクビーム管理で識別されたＴｘビームでＰＵＳＣＨを送信する場合がある。ビーム掃引方法でのＳＲＳ送信には、単一ビームによるＰＵＳＣＨ送信とは異なる電力制御設定が必要になる場合がある。既存の電力制御技術では、無線デバイスが複数のＴｘビーム送信をサポートしている場合に、アップリンクビーム管理の遅延が発生する可能性がある。既存の電力制御技術は、アップリンクビーム管理に余分な電力消費をもたらす可能性がある。例示的な実施形態は、アップリンクビーム管理遅延を改善し、かつ／または電力消費を改善する方法を提供し得る。方法は、ＰＵＳＣＨおよびＳＲＳ送信のための電力制御設定を分離することを含み得る。方法は、基地局によって、ＰＵＳＣＨおよびＳＲＳ送信のための別個の電力制御パラメータを構成することを含み得る。方法は、別個の電力制御パラメータに従って、ＰＵＳＣＨおよびＳＲＳの送信電力を、無線デバイスによって別個に判定することを含み得る。
【０１１２】
一実施例では、基地局は、ＳＲＳリソース構成のうちの１つ以上のパラメータを含む１つ以上の無線リソース制御（例えば、ＲＲＣ）メッセージを送信することができる。１つ以上のパラメータは、ＳＲＳリソースセットのうちの１つ以上のパラメータを含み得る。１つのＳＲＳリソースセットは、第１のセットインデックスと、帯域幅、周波数ホッピング、送信コムおよびオフセット、時間領域リソース割り振り、周波数領域の位置、ならびに／またはアンテナポートのうちの少なくとも１つとによって識別され得る。
【０１１３】
一実施例では、基地局は、１つ以上のＳＲＳリソースセットのアクティブ化または非アクティブ化を示す１つ以上のパラメータを含む、１つ以上のＭＡＣ制御要素を送信し得る。１つ以上のパラメータは、ＳＲＳリソースセットのうちの１つ以上のパラメータを含み得る。１つのＳＲＳリソースセットは、第１のセットインデックスと、帯域幅、周波数ホッピング、送信コムおよびオフセット、時間領域リソース割り振り、周波数領域の位置、ならびに／またはアンテナポートのうちの少なくとも１つとによって識別され得る。
【０１１４】
一実施例では、ＳＲＳリソースのアクティブ化／非アクティブ化のための１つ以上のＭＡＣ制御要素は、ＬＣＩＤを有するＭＡＣサブヘッダによって識別され得る。ＳＲＳリソースＭＡＣ制御要素のＬＣＩＤは、他のタイプのＭＡＣＥ  ＣＥまたはＭＡＣ  ＳＤＵの他のＬＣＩＤとは異なる、固定値を有することができる。１つ以上のＭＡＣ  ＣＥは、ＳＲＳプロセスの数に従って可変サイズを有し得る。一実施例では、ＳＲＳプロセスの数は、ＲＲＣシグナリングで構成され得る。アクティブ化／非アクティブ化ＳＲＳコマンドは、１つ以上のＳＲＳリソースセットと関連付けられたＳＲＳプロセスのＳＲＳリソースをアクティブ化または非アクティブ化することができる。ＵＥは、１つ以上のＳＲＳプロセスで構成され得る。
【０１１５】
一実施例では、基地局は、ＳＲＳ送信のうちの１つ以上の電力制御パラメータを含む１つ以上のＲＲＣメッセージを送信し得る。１つ以上の電力制御パラメータは、１つ以上のＳＲＳ電力制御パラメータセットを含み得る。１つのＳＲＳ電力制御パラメータセットは、第２のセットインデックス、絶対電力制御調整、もしくは累積電力制御調整がＳＲＳ送信に対して有効になっているかどうかを示すＳＲＳ表示パラメータ、および／または１つ以上のＳＲＳ電力制御パラメータ、のうちの少なくとも１つを含み得る。１つ以上のＳＲＳ電力制御パラメータは、許容送信電力（例えば、ＰＣＭＡＸ）、ターゲット受信電力（例えば、ＰＯ）、電力補償係数（例えば、アルファ）、および／または１つ以上の電力オフセット、のうちの少なくとも１つを含み得る。
【０１１６】
一実施例では、基地局は、ＣＳＩ取得のためにＳＲＳ送信をトリガする、第１のＤＣＩを送信し得る。第１のＤＣＩは、１つ以上のＳＲＳリソースセットインデックス、１つ以上のＳＲＳ電力制御パラメータセットインデックス、および／または１つ以上の電力制御コマンド、のうちの１つを含んでもよい。
【０１１７】
一実施例では、第１のＤＣＩの受信に応じて、無線デバイスは、１つ以上のＳＲＳリソースセットインデックスにより示される１つ以上のＳＲＳリソースを使用することにより、送信電力で１つ以上のＳＲＳを送信し得る。一実施例では、無線デバイスは、１つ以上のＳＲＳ電力制御パラメータセットインデックスによって示される１つ以上のＳＲＳ電力制御パラメータセットのうちの１つと関連付けられた１つ以上のＳＲＳ電力制御パラメータに基づいて、送信電力を判定し得る。送信電力は、電力制御調整を含んでもよい。一実施例では、無線デバイスは、１つ以上のＳＲＳ電力制御パラメータセットインデックスによって示される１つ以上のＳＲＳ電力制御パラメータセットのうちの１つと関連付けられたＳＲＳ表示パラメータが、絶対電力制御調整が有効であることを示す場合に、第１のＤＣＩでシグナリングされる電力制御コマンドに基づいて、電力制御調整を判定し得る。ＵＥは、ＳＲＳ表示パラメータが累積電力制御調整が有効であることを示す場合、以前のＳＲＳ送信電力調整と第１のＤＣＩでシグナリングされる電力制御コマンドとの組み合わせに基づいて、電力制御調整を判定し得る。
【０１１８】
一実施例では、基地局は、アップリンクビーム管理のためにＳＲＳ送信をトリガする第２のＤＣＩを送信してもよい。第２のＤＣＩは、１つ以上の第２のＳＲＳリソースセットインデックス、１つ以上の第２のＳＲＳ電力制御パラメータセットインデックス、および／または１つ以上の第２のＳＲＳ電力制御コマンド、のうちの１つを含んでもよい。
【０１１９】
一実施例では、第２のＤＣＩの受信に応じて、無線デバイスは、１つ以上の第２のＳＲＳリソースセットインデックスに示される１つ以上のＳＲＳリソースを使用することにより、送信電力で１つ以上のＳＲＳを送信し得る。一実施例では、無線デバイスは、１つ以上の第２のＳＲＳ電力制御パラメータセットインデックスに示される１つ以上のＳＲＳ電力制御パラメータセットのうちの１つと関連付けられた１つ以上のＳＲＳ電力制御パラメータに基づいて、送信電力を判定し得る。送信電力は、電力制御調整を含んでもよい。一実施例では、無線デバイスは、１つ以上の第２のＳＲＳ電力制御パラメータセットインデックスによって示される１つ以上のＳＲＳ電力制御パラメータセットのうちの１つと関連付けられたＳＲＳ表示パラメータが、絶対電力制御調整が有効であることを示す場合に、第２のＤＣＩでシグナリングされる第２の電力制御コマンドに基づいて、電力制御調整を判定し得る。一実施例では、無線デバイスは、ＳＲＳ表示パラメータが累積電力制御調整が有効であることを示す場合、以前のＳＲＳ送信電力調整と第２のＤＣＩでシグナリングされる第２の電力制御コマンドとの組み合わせに基づいて、電力制御調整を判定し得る。
【０１２０】
一実施例では、異なるＳＲＳ（例えば、ＣＳＩ取得のためのＳＲＳ、アップリンクビーム管理のためのＳＲＳ）に対して異なる電力制御パラメータ構成を使用することにより、無線デバイスは、基地局における信号品質の要件を満たすために、異なる送信電力で異なるＳＲＳを送信することができる。
【０１２１】
一実施例では、基地局は、ＳＲＳリソース構成のうちの１つ以上のパラメータを含む１つ以上のＲＲＣメッセージを送信することができる。１つ以上のパラメータは、ＳＲＳリソースセットのうちの１つ以上を含み得る。１つのＳＲＳリソースセットは、帯域幅、周波数ホッピング、送信コムおよびオフセット、時間領域リソース割り振り、周波数領域の位置、ならびに／またはアンテナポートのうちの少なくとも１つを含み得る。
【０１２２】
一実施例では、基地局は、ＳＲＳ送信のうちの１つ以上の電力制御パラメータを含む１つ以上のＲＲＣメッセージを送信し得る。１つ以上の電力制御パラメータは、アップリンクビーム管理のための１つ以上の第１のＳＲＳ電力制御パラメータセットと、ＣＳＩ取得のための１つ以上の第２のＳＲＳ電力制御パラメータセットと、を含み得る。１つ以上の第１のＳＲＳ電力制御パラメータセットのうちの１つは、絶対電力制御調整または累積電力制御調整がＳＲＳ送信に対して有効であるかどうかを示す、ＳＲＳ表示パラメータ、ならびに許容送信電力（例えば、ＰＣＭＡＸ）、ターゲット受信電力（例えば、ＰＯ）、電力補償係数（例えば、アルファ）、および／または１つ以上の電力オフセットのうちの少なくとも１つを含む１つ以上のＳＲＳ電力制御パラメータ、のうちの少なくとも１つを含むことができる。１つ以上の第２のＳＲＳ電力制御パラメータセットのうちの１つは、絶対電力制御調整または累積電力制御調整がＳＲＳ送信のために使用されてもよいかどうかを示す、ＳＲＳ表示パラメータ、ならびに許容送信電力（例えば、ＰＣＭＡＸ）、ターゲット受信電力（例えば、ＰＯ）、電力補償係数（例えば、アルファ）、および／または１つ以上の電力オフセットのうちの少なくとも１つを含む１つ以上のＳＲＳ電力制御パラメータ、のうちの少なくとも１つを含むことができる。
【０１２３】
一実施例では、基地局は、ＣＳＩ取得のためにＳＲＳ送信をトリガする、第１のＤＣＩを送信し得る。１つ以上のＤＣＩは、１つ以上のＳＲＳリソースセットインデックス、および／または１つ以上の電力制御コマンドのうちの１つを含んでもよい。第１のＤＣＩの受信に応じて、無線デバイスは、１つ以上のＳＲＳリソースセットインデックスで示される１つ以上のＳＲＳリソースセットのうちの１つと関連付けられた１つ以上のＳＲＳリソースを使用することにより、送信電力で１つ以上のＳＲＳを送信し得る。一実施例では、無線デバイスは、１つ以上の第１のＳＲＳ電力制御パラメータセットで示される１つ以上のＳＲＳ電力制御パラメータに基づいて、送信電力を判定することができる。送信電力は、少なくとも電力制御調整を含んでもよい。電力制御調整は、１つ以上の第１のＳＲＳ電力制御パラメータセットと関連付けられたＳＲＳ表示パラメータに依存し得る。
【０１２４】
一実施例では、基地局は、アップリンクビーム管理のためにＳＲＳ送信をトリガする第２のＤＣＩを送信してもよい。第２のＤＣＩは、１つ以上のＳＲＳリソースセットインデックスと、１つ以上のＳＲＳ電力制御コマンドと、のうちの１つを含んでもよい。第２のＤＣＩの受信に応じて、無線デバイスは、１つ以上のＳＲＳリソースセットインデックスで示される１つ以上のＳＲＳリソースセットのうちの１つと関連付けられた１つ以上のＳＲＳリソースを使用することにより、送信電力で１つ以上のＳＲＳを送信し得る。無線デバイスは、１つ以上の第２のＳＲＳ電力制御パラメータセットで示される１つ以上のＳＲＳ電力制御パラメータに基づいて、送信電力を判定することができる。送信電力は、少なくとも電力制御調整を含んでもよい。電力制御調整は、１つ以上の第２のＳＲＳ電力制御パラメータセットと関連付けられたＳＲＳ表示パラメータに依存し得る。
【０１２５】
一実施例では、基地局は、ＳＲＳリソース構成のうちの１つ以上のパラメータを含む１つ以上のＲＲＣメッセージを送信することができる。１つ以上のパラメータは、１つ以上のＳＲＳリソースセットを含み得る。１つのＳＲＳリソースセットは、帯域幅、周波数ホッピング、送信コムおよびオフセット、時間領域リソース割り振り、周波数領域の位置、および／またはアンテナポートのうちの少なくとも１つを含み得る。
【０１２６】
一実施例では、基地局は、ＳＲＳ送信のうちの１つ以上の電力制御パラメータを含む１つ以上のＲＲＣメッセージを送信し得る。１つ以上の電力制御パラメータは、１つ以上の第１のＳＲＳ電力制御パラメータセットと、１つ以上の第２のＳＲＳ電力制御パラメータセットと、を含み得る。１つ以上の第１のＳＲＳ電力制御パラメータセットのうちの１つは、絶対電力制御調整または累積電力制御調整がＳＲＳ送信のために使用されてもよいかどうかを示す、ＳＲＳ表示パラメータ、ならびに許容送信電力（例えば、ＰＣＭＡＸ）、ターゲット受信電力（例えば、ＰＯ）、電力補償係数（例えば、アルファ）、および／または１つ以上の電力オフセットのうちの少なくとも１つを含む１つ以上のＳＲＳ電力制御パラメータ、のうちの少なくとも１つを含むことができる。１つ以上の第２のＳＲＳ電力制御パラメータセットのうちの１つは、絶対電力制御調整または累積電力制御調整がＳＲＳ送信のために使用されてもよいかどうかを示す、ＳＲＳ表示パラメータ、ならびに許容送信電力（例えば、ＰＣＭＡＸ）、ターゲット受信電力（例えば、ＰＯ）、電力補償係数（例えば、アルファ）、および／または１つ以上の電力オフセットのうちの少なくとも１つを含む１つ以上のＳＲＳ電力制御パラメータ、のうちの少なくとも１つを含むことができる。
【０１２７】
一実施例では、１つ以上の第１のＳＲＳ電力制御パラメータセットは、ＣＳＩ取得のためのＳＲＳ送信に使用され得る。１つ以上の第２のＳＲＳ電力制御パラメータセットは、アップリンクビーム管理のためのＳＲＳ送信に使用され得る。
【０１２８】
一実施例では、基地局は、ＣＳＩ取得のためにＳＲＳ送信をトリガする、第１のＤＣＩを送信し得る。第１のＤＣＩは、１つ以上のＳＲＳリソースセットインデックス、１つ以上の第１のＳＲＳ電力制御パラメータセットインデックス、および／または１つ以上の電力制御コマンド、のうちの１つを含んでもよい。第１のＤＣＩの受信に応じて、無線デバイスは、１つ以上のＳＲＳリソースセットインデックスで示される１つ以上のＳＲＳリソースセットのうちの１つと関連付けられた１つ以上のＳＲＳリソースを使用することにより、送信電力で１つ以上のＳＲＳを送信し得る。無線デバイスは、１つ以上の第１のＳＲＳ電力制御パラメータセットインデックスによって示される１つ以上の第１のＳＲＳ電力制御パラメータセットのうちの１つと関連付けられた１つ以上のＳＲＳ電力制御パラメータ、および電力制御調整に基づいて、送信電力を判定し得る。電力制御調整は、１つ以上の第１のＳＲＳ電力制御パラメータセットインデックスにより示される１つ以上の第１のＳＲＳ電力制御パラメータセットのうちの１つと関連付けられたＳＲＳ表示パラメータに依存し得る。
【０１２９】
一実施例では、基地局は、アップリンクビーム管理のためにＳＲＳ送信をトリガする第２のＤＣＩを送信してもよい。第２のＤＣＩは、１つ以上のＳＲＳリソースセットインデックスと、１つ以上の第２のＳＲＳ電力制御パラメータセットインデックスと、１つ以上のＳＲＳ電力制御コマンドと、のうちの１つを含んでもよい。第２のＤＣＩの受信に応じて、無線デバイスは、１つ以上のＳＲＳリソースセットインデックスで示される１つ以上のＳＲＳリソースセットのうちの１つと関連付けられた１つ以上のＳＲＳリソースを使用することにより、送信電力で１つ以上のＳＲＳを送信し得る。無線デバイスは、１つ以上の第２のＳＲＳ電力制御パラメータセットインデックスによって示される１つ以上の第２のＳＲＳ電力制御パラメータセットのうちの１つと関連付けられた１つ以上のＳＲＳ電力制御パラメータに基づいて、送信電力を判定し得る。送信電力は、少なくとも電力制御調整を含んでもよい。電力制御調整は、１つ以上の第２のＳＲＳ電力制御パラメータセットインデックスにより示される１つ以上の第２のＳＲＳ電力制御パラメータセットのうちの１つと関連付けられたＳＲＳ表示パラメータに依存し得る。
【０１３０】
一実施例では、基地局は、ＳＲＳリソース構成のうちの１つ以上のパラメータを含む１つ以上のＲＲＣメッセージを送信することができる。１つ以上のパラメータは、ＳＲＳリソースセットのうちの１つ以上を含み得る。１つのＳＲＳリソースセットは、帯域幅、周波数ホッピング、送信コムおよびオフセット、時間領域リソース割り振り、周波数領域の位置、ならびに／またはアンテナポートのうちの少なくとも１つを含み得る。
【０１３１】
一実施例では、基地局は、１つ以上の第１のＳＲＳ電力制御パラメータセットおよび１つ以上の第２のＳＲＳ電力制御パラメータセットを含むＳＲＳ送信のうちの１つ以上の電力制御パラメータを含む、１つ以上のＲＲＣメッセージを送信し得る。１つ以上の第１のＳＲＳ電力制御パラメータセットのうちの１つは、絶対電力制御調整がＳＲＳ送信のために使用されてもよいか、または累積電力制御調整がＳＲＳ送信のために使用されてもよいかどうかを示す、ＳＲＳ表示パラメータ、および１つ以上のＳＲＳ電力制御パラメータ、のうちの少なくとも１つを含むことができる。１つ以上の第２のＳＲＳ電力制御パラメータセットのうちの１つは、１つ以上のＳＲＳ電力制御パラメータを含み得る。
【０１３２】
一実施例では、１つ以上の第１のＳＲＳ電力制御パラメータセットは、ＣＳＩ取得のために使用され得る。１つ以上の第２のＳＲＳ電力制御パラメータセットは、アップリンクビーム管理のために使用され得る。
【０１３３】
一実施例では、基地局は、ＣＳＩ取得のためにＳＲＳ送信をトリガする、第１のＤＣＩを送信し得る。第１のＤＣＩは、１つ以上のＳＲＳリソースセットインデックス、１つ以上の第１のＳＲＳ電力制御パラメータセットインデックス、および／または１つ以上の電力制御コマンド、のうちの１つを含んでもよい。第１のＤＣＩの受信に応じて、無線デバイスは、１つ以上のＳＲＳリソースセットインデックスで示される１つ以上のＳＲＳリソースセットのうちの１つと関連付けられた１つ以上のＳＲＳリソースを用いて、送信電力で１つ以上のＳＲＳを送信し得る。無線デバイスは、１つ以上の第１のＳＲＳ電力制御パラメータセットインデックスによって示される１つ以上の第１のＳＲＳ電力制御パラメータセットのうちの１つと関連付けられた１つ以上のＳＲＳ電力制御パラメータに基づいて、送信電力を判定し得る。送信電力は、少なくとも電力制御調整を含んでもよい。電力制御調整は、１つ以上の第１のＳＲＳ電力制御パラメータセットインデックスにより示される１つ以上の第１のＳＲＳ電力制御パラメータセットのうちの１つと関連付けられたＳＲＳ表示パラメータに依存し得る。
【０１３４】
一実施例では、基地局は、アップリンクビーム管理のためにＳＲＳ送信をトリガする第２のＤＣＩを送信してもよい。第２のＤＣＩは、１つ以上のＳＲＳリソースセットインデックス、１つ以上の第２のＳＲＳ電力制御パラメータセットインデックス、および／または１つ以上の電力制御コマンド、のうちの１つを含んでもよい。第２のＤＣＩの受信に応じて、無線デバイスは、１つ以上のＳＲＳリソースセットインデックスで示される１つ以上のＳＲＳリソースセットのうちの１つと関連付けられた１つ以上のＳＲＳリソース上で、送信電力で１つ以上のＳＲＳを送信し得る。無線デバイスは、１つ以上の第２のＳＲＳ電力制御パラメータセットインデックスによって示される１つ以上の第２のＳＲＳ電力制御パラメータセットのうちの１つと関連付けられた１つ以上のＳＲＳ電力制御パラメータに基づいて、送信電力を判定し得る。送信電力は、少なくとも電力制御調整を含んでもよい。電力制御調整は、絶対電力調整に基づいてもよい。電力制御調整は、第２のＤＣＩを有するＰＤＣＣＨ上でシグナリングされた電力制御コマンドに基づいてもよい。
【０１３５】
一実施例では、基地局は、ＰＵＳＣＨ送信のうちの１つ以上の電力制御パラメータを含む１つ以上のＲＲＣメッセージを送信し得る。１つ以上の電力制御パラメータは、１つ以上のＰＵＳＣＨ電力制御パラメータセットを含み得る。ＰＵＳＣＨ電力制御パラメータセットで、第１のセットインデックス、絶対電力制御調整または累積電力制御調整がＰＵＳＣＨ送信のために使用されてもよいかどうかを示す、ＰＵＳＣＨ表示パラメータ、ならびに許容送信電力（例えば、ＰＣＭＡＸ）、ターゲット受信電力（例えば、ＰＯ）、および／または電力補償係数（例えば、アルファ）のうちの少なくとも１つを含む１つ以上のＰＵＳＣＨ電力制御パラメータ、のうちの少なくとも１つを含むことができる。
【０１３６】
一実施例では、基地局は、ＰＵＳＣＨスケジューリングを示すＤＣＩを送信し得る。ＤＣＩは、１つ以上のＰＵＳＣＨリソース構成と、１つ以上のＰＵＳＣＨ電力制御パラメータセットインデックスと、１つ以上のＰＵＳＣＨ電力制御コマンドと、のうちの１つを含んでもよい。一実施例では、ＤＣＩを受信するときに、無線デバイスは、１つ以上のＰＵＳＣＨリソース構成で示される１つ以上のＰＵＳＣＨリソース上で、送信電力で１つ以上のＰＵＳＣＨを送信し得る。無線デバイスは、１つ以上のＰＵＳＣＨ電力制御パラメータセットインデックスで示される１つ以上のＰＵＳＣＨ電力制御パラメータに基づいて、ＰＵＳＣＨ送信のための送信電力を判定してもよい。送信電力は、少なくとも電力制御調整を含んでもよい。電力制御調整は、１つ以上のＰＵＳＣＨ電力制御パラメータセットと関連付けられたＰＵＳＣＨ表示パラメータに依存し得る。
【０１３７】
一実施例では、基地局は、ＳＲＳリソース構成のうちの１つ以上のパラメータを含む１つ以上のＲＲＣメッセージを送信することができる。１つ以上のパラメータは、帯域幅、周波数ホッピング、送信コムおよびオフセット、時間領域リソース割り振り、周波数領域の位置、ならびに／またはアンテナポートのうちの少なくとも１つを含む、ＳＲＳリソースセットのうちの１つ以上を含み得る。基地局は、ＳＲＳ送信の１つ以上の電力制御パラメータを含む１つ以上のＲＲＣメッセージを送信し得る。１つ以上の電力制御パラメータは、１つ以上のＳＲＳ電力制御パラメータセットを含み得る。１つのＳＲＳ電力制御パラメータセットは、絶対電力制御調整または累積電力制御調整がＳＲＳ送信のために使用されてもよいかどうかを示す、ＳＲＳ表示パラメータ、および１つ以上のＳＲＳ電力制御パラメータ、のうちの少なくとも１つを含み得る。基地局は、ＰＵＳＣＨ送信のうちの１つ以上の電力制御パラメータを含む１つ以上のＲＲＣメッセージを送信し得る。１つ以上の電力制御パラメータは、１つ以上のＰＵＳＣＨ電力制御パラメータセットを含み得る。１つのＰＵＳＣＨ電力制御パラメータセットは、絶対電力制御調整、もしくは累積電力制御調整が使用されてもよいかどうかを示すＰＵＳＣＨ表示パラメータ、および／または１つ以上のＰＵＳＣＨ電力制御パラメータ、のうちの少なくとも１つを含み得る。
【０１３８】
一実施例では、基地局は、アップリンクビーム管理のためのＳＲＳ送信をトリガする１つ以上の第１のＤＣＩフォーマットを有する第１のＤＣＩを、無線デバイスに送信することができる。第１のＤＣＩは、第１の無線ネットワーク一時識別子（ＲＮＴＩ）によって、ＣＲＣスクランブルされてもよい。第１のＤＣＩは、１つ以上の第１のＳＲＳリソースセットインデックス、および１つ以上の第１のＳＲＳ電力制御コマンドのうちの少なくとも１つを含んでもよい。アップリンクビーム管理のためのＳＲＳ送信をトリガする第１のＤＣＩの受信に応じて、無線デバイスは、１つ以上の第１のＳＲＳリソースセットインデックスに示される１つ以上の無線リソースを介して、送信電力でＳＲＳを送信し得る。無線デバイスは、１つ以上のＳＲＳ電力制御パラメータセット内の１つ以上のＳＲＳ電力制御パラメータに基づいて、送信電力を判定することができる。
【０１３９】
一実施例では、基地局は、ＰＵＳＣＨ送信およびＣＳＩ取得のための非定期的ＳＲＳ送信をスケジューリングする１つ以上の第２のＤＣＩフォーマットを有する第２のＤＣＩを、無線デバイスに送信することができる。１つ以上の第２のＤＣＩフォーマットを有する第２のＤＣＩは、第１のＲＮＴＩによりＣＲＣスクランブルされてもよい。第２のＤＣＩは、ＰＵＳＣＨリソース情報、１つ以上の第２のＳＲＳリソースセットインデックス、およびＰＵＳＣＨの１つ以上のＴＰＣのうちの少なくとも１つを含んでもよい。第２のＤＣＩの受信に応じて、無線デバイスは、１つ以上のＰＵＳＣＨ電力制御パラメータセットと関連付けられたＰＵＳＣＨ表示パラメータに基づいて、送信電力でＰＵＳＣＨを送信することができる。第２のＤＣＩの受信に応じて、無線デバイスは、１つ以上のＰＵＳＣＨ電力制御パラメータセット内の１つ以上の電力制御パラメータに基づいて、送信電力でＣＳＩ取得のためのＳＲＳを送信してもよい。
【０１４０】
一実施例では、基地局は、ＳＲＳリソース構成のうちの１つ以上のパラメータを含む１つ以上のＲＲＣメッセージを送信することができる。１つ以上のパラメータは、ＳＲＳリソースセットのうちの１つ以上を含み得る。１つのＳＲＳリソースセットは、帯域幅、周波数ホッピング、送信コムおよびオフセット、時間領域リソース割り振り、周波数領域の位置、ならびに／またはアンテナポートのうちの少なくとも１つを含み得る。基地局は、ＳＲＳ送信の１つ以上の電力制御パラメータを含む１つ以上のＲＲＣメッセージを送信し得る。１つ以上の電力制御パラメータは、１つ以上の第１のＳＲＳ電力制御パラメータセットと、１つ以上の第２のＳＲＳ電力制御パラメータセットと、を含み得る。１つ以上の第１のＳＲＳ電力制御パラメータセットのうちの１つは、絶対電力制御調整または累積電力制御調整がＳＲＳ送信のために使用されてもよいかどうかを示す、ＳＲＳ表示パラメータ、および１つ以上のＳＲＳ電力制御パラメータ、のうちの少なくとも１つを含むことができる。１つ以上の第２のＳＲＳ電力制御パラメータセットのうちの１つは、絶対電力制御調整または累積電力制御調整がＳＲＳ送信のために使用されてもよいかどうかを示す、ＳＲＳ表示パラメータ、および１つ以上のＳＲＳ電力制御パラメータ、のうちの少なくとも１つを含み得る。
【０１４１】
一実施例では、１つ以上の第１のＳＲＳ電力制御パラメータセットは、アップリンクビーム管理のために使用され得る。１つ以上の第２のＳＲＳ電力制御パラメータセットは、ＣＳＩ取得のために使用され得る。
【０１４２】
一実施例では、基地局は、アップリンクビーム管理のためにＳＲＳ送信をトリガする第１のＤＣＩを送信してもよい。基地局は、ＣＳＩ取得のためにＳＲＳ送信をトリガする、第２のＤＣＩを送信し得る。第１のＤＣＩは、第２のＤＣＩとは異なるＤＣＩフォーマットを有する場合がある。第１のＤＣＩは、第２のＤＣＩと同じまたは類似のＤＣＩペイロードサイズを有する場合がある。第１のＤＣＩは、第１のＲＮＴＩによってＣＲＣスクランブルされている場合がある。第２のＤＣＩは、第２のＲＮＴＩによってＣＲＣスクランブルされている場合がある。第１のＲＮＴＩは、第２のＲＮＴＩとは異なる場合がある。この実施例では、第１のＤＣＩは、１つ以上の第１のＳＲＳリソースセットインデックス、および１つ以上の第１のＳＲＳ電力制御コマンドのうちの少なくとも１つを含んでもよい。第２のＤＣＩは、１つ以上の第２のＳＲＳリソースセットインデックス、および１つ以上の第２のＳＲＳ電力制御コマンドのうちの少なくとも１つを含んでもよい。一実施例では、１つ以上の第２のＳＲＳ電力制御コマンドの各々は、１つのＵＥ、サービングセル、またはＴＲＰに対応し得る。アップリンクビーム管理のためのＳＲＳ送信をトリガする第１のＤＣＩの受信に応じて、無線デバイスは、１つ以上の第１のＳＲＳ電力制御パラメータセットと関連付けられた１つ以上の電力制御パラメータと、第１のＤＣＩ内の電力制御コマンドとに基づいて、送信電力でＳＲＳを送信することができる。ＣＳＩ取得のためのＳＲＳ送信をトリガする第２のＤＣＩの受信に応じて、無線デバイスは、１つ以上の第２のＳＲＳ電力制御パラメータセットと関連付けられた１つ以上の電力制御パラメータと、第２のＤＣＩ内の電力制御コマンドとに基づいて、送信電力でＳＲＳを送信することができる。
【０１４３】
一実施例では、基地局は、１つ以上の第１のＳＲＳリソースセットおよび１つ以上の第２のＳＲＳリソースセットを含むＳＲＳリソース構成のうちの１つ以上のパラメータを含む、１つ以上のＲＲＣメッセージを送信し得る。１つ以上の第１のＳＲＳリソースセットのうちの１つは、帯域幅、周波数ホッピング、送信コムおよびオフセット、時間領域リソース割り振り、周波数領域の位置帯域幅、ならびに／またはアンテナポートのうちの少なくとも１つを含み得る。１つ以上の第２のＳＲＳリソースセットのうちの１つは、帯域幅、周波数ホッピング、送信コムおよびオフセット、時間領域リソース割り振り、周波数領域の位置帯域幅、ならびに／またはアンテナポートのうちの少なくとも１つを含み得る。
【０１４４】
一実施例では、１つ以上の第１のＳＲＳリソースセットは、アップリンクビーム管理のために使用され得る。１つ以上の第２のＳＲＳリソースセットは、ＣＳＩ取得のために使用され得る。
【０１４５】
一実施例では、基地局は、ＳＲＳ送信のうちの１つ以上の電力制御パラメータを含む１つ以上のＲＲＣメッセージを送信し得る。１つ以上の電力制御パラメータは、１つ以上の第１のＳＲＳ電力制御パラメータセットと、１つ以上の第２のＳＲＳ電力制御パラメータセットと、を含み得る。１つ以上の第１のＳＲＳ電力制御パラメータセットのうちの１つは、絶対電力制御調整または累積電力制御調整がＳＲＳ送信に対して有効であるかどうかを示す、ＳＲＳ表示パラメータ、および１つ以上のＳＲＳ電力制御パラメータ、のうちの少なくとも１つを含むことができる。１つ以上の第２のＳＲＳ電力制御パラメータセットのうちの１つは、絶対電力制御調整がＳＲＳ送信のために使用されてもよいか、または累積電力制御調整がＳＲＳ送信のために使用されてもよいかどうかを示す、ＳＲＳ表示パラメータ、および１つ以上のＳＲＳ電力制御パラメータ、のうちの少なくとも１つを含むことができる。
【０１４６】
一実施例では、１つ以上の第１のＳＲＳ電力制御パラメータセットは、アップリンクビーム管理のために使用され得る。１つ以上の第２のＳＲＳ電力制御パラメータセットは、ＣＳＩ取得のために使用され得る。
【０１４７】
一実施例では、基地局は、アップリンクビーム管理および／またはＣＳＩ取得のためにＳＲＳ送信をトリガするＤＣＩを送信してもよい。ＤＣＩは、１つ以上のＳＲＳリソースセットインデックス、および／または１つ以上のＳＲＳ電力制御コマンドのうちの少なくとも１つを含んでもよい。ＳＲＳ送信をトリガするＤＣＩの受信に応じて、無線デバイスは、１つ以上のＳＲＳリソースセットインデックスが１つ以上の第１のＳＲＳリソースセットのうちの１つを示す場合に、１つ以上のＳＲＳリソースセットインデックスによって示された１つ以上の第１のＳＲＳリソースのうちの１つと関連付けられた１つ以上のＳＲＳリソースを使用することによって、１つ以上のＳＲＳを送信することができる。無線デバイスは、１つ以上のＳＲＳリソースセットインデックスが１つ以上の第２のＳＲＳリソースセットのうちの１つを示す場合に、１つ以上のＳＲＳリソースセットインデックスによって示された１つ以上の第２のＳＲＳリソースのうちの１つと関連付けられた１つ以上のＳＲＳリソースを使用することによって、１つ以上のＳＲＳを送信することができる。無線デバイスは、１つ以上のＳＲＳリソースセットインデックスが１つ以上の第１のＳＲＳリソースセットのうちの１つを示す場合に、１つ以上の第１のＳＲＳ電力制御パラメータセットのうちの１つと関連付けられた１つ以上のＳＲＳ電力制御パラメータに基づいて、１つ以上のＳＲＳのための送信電力を判定することができる。一実施例では、無線デバイスは、１つ以上のＳＲＳリソースセットインデックスが１つ以上の第２のＳＲＳリソースセットのうちの１つを示す場合に、１つ以上の第２のＳＲＳ電力制御パラメータセットのうちの１つと関連付けられた１つ以上のＳＲＳ電力制御パラメータに基づいて、送信電力を判定することができる。
【０１４８】
一実施例では、基地局は、同じＤＣＩフォーマットを有し、同じＲＮＴＩによってＣＲＣスクランブルされたＤＣＩを送信して、ＣＳＩ取得またはアップリンクビーム管理のためのＳＲＳ送信をトリガすることができる。実施形態のうちの１つ以上を用いて、ＰＤＣＣＨのブラインドデコーディングの複雑さは、ＵＥ受信機で低減され得る。
【０１４９】
一実施例では、基地局は、電力制御調整タイミングの１つ以上のパラメータを含む、１つ以上のＲＲＣメッセージを送信することができる。１つ以上のパラメータは、ＰＵＳＣＨ（例えば、ＫＰＵＳＣＨ）についての１つの電力制御調整タイミング、ＣＳＩ取得のためのＳＲＳについての１つの電力制御調整タイミング（例えば、ＫＳＲＳ−ＣＳＩ）、および／またはアップリンクビーム管理のためのＳＲＳについての１つの電力制御調整タイミング（例えば、ＫＳＲＳ−ＢＭ）、のうちの少なくとも１つを含み得る。
【０１５０】
一実施例では、アップリンクビーム管理は、アップリンクＣＳＩ取得のための通常のＳＲＳ送信よりも厳しいタイミング要件を有し得るため、アップリンクビーム管理のためのＳＲＳ送信についてのＫＳＲＳ−ＢＭは、ＫＳＲＳ−ＣＳＩよりも短く構成され得る。一実施例では、アップリンクビーム管理はＰＵＳＣＨ送信よりも厳しいタイミング要件を有し得るため、アップリンクビーム管理のためのＳＲＳ送信のためのＫＳＲＳ−ＢＭは、ＫＰＵＳＣＨよりも短く構成され得る。
【０１５１】
一実施例では、ＫＰＵＳＣＨ、ＫＳＲＳ−ＣＳＩ、および／またはＫＳＲＳ−ＢＭの電力制御調整時間は、数秘術を伴うサブフレーム、またはスロット、またはシンボルの単位であり得る。数秘術は、基準ダウンリンクもしくはアップリンク数秘術（例えば、ＰＳＳ／ＳＳＳ、またはＰＢＣＨ、またはＰＤＣＣＨ、またはＰＵＣＣＨ、ＰＵＳＣＨに使用されるもの）、または構成された数秘術であり得る。
【０１５２】
一実施例では、基地局は、ＰＵＳＣＨスケジューリングのための第１のＤＣＩを、無線デバイスに送信し得る。１つ以上の第１のＤＣＩは、１つ以上のＰＵＳＣＨリソース割り振り、および／または１つ以上のＰＵＳＣＨ電力制御コマンド、のうちの少なくとも１つを含んでもよい。１つ以上の第１のＤＣＩの受信に応じて、ＵＥは、送信電力でＰＵＳＣＨを送信し得る。送信電力は、少なくとも電力制御調整を含んでもよい。無線デバイスは、１つ以上のＰＵＳＣＨ電力制御パラメータセットと関連付けられたＰＵＳＣＨ表示パラメータが、累積電力制御調整が使用されている（または有効にされている）ことを示す場合に、ｆｃ（ｉ）＝ｆｃ（ｉ）＋δＰＵＳＣＨ，ｃ（ｉ−ＫＰＵＳＣＨ）により、サービングセルｃのサブフレームｉにおけるＰＵＳＣＨ送信の電力制御調整（例えば、ｆｃ（ｉ））を判定し得る。ＵＥは、１つ以上のＰＵＳＣＨ電力制御パラメータセットと関連付けられたＰＵＳＣＨ表示パラメータが、絶対電力制御調整が使用されている（または累積電力制御調整が有効にされていない）ことを示す場合に、ｆｃ（ｉ）＝δＰＵＳＣＨ，ｃ（ｉ−ＫＰＵＳＣＨ）によってＰＵＳＣＨ送信の電力制御調整を判定し得る。一実施例では、δＰＵＳＣＨ，ｃ（ｉ−ＫＰＵＳＣＨ）は、サブフレームｉ−ＫＰＵＳＣＨでサービングセルｃのための第１のＤＣＩ内の１つ以上のＰＵＳＣＨ電力制御コマンドによって示される、電力制御値であり得る。
【０１５３】
一実施例では、基地局は、ＣＳＩ取得のためのＳＲＳ送信のための第２のＤＣＩを、無線デバイスに送信し得る。第２のＤＣＩは、１つ以上のＳＲＳリソースセット、および／または１つ以上のＳＲＳ電力制御コマンドのうちの少なくとも１つを含んでもよい。第２のＤＣＩの受信に応じて、無線デバイスは、送信電力でＳＲＳを送信し得る。送信電力は、ＣＳＩ取得のための１つ以上の電力制御パラメータセットと関連付けられたＳＲＳ表示パラメータに基づいて、少なくとも電力制御調整を含んでいてもよい。無線デバイスは、ＣＳＩ取得のための１つ以上のＳＲＳ電力制御パラメータセットと関連付けられたＳＲＳ表示パラメータが、累積電力制御調整が使用されている（または有効にされている）ことを示す場合に、ｆＳＲＳ，ｃ（ｉ）＝ｆＳＲＳ，ｃ（ｉ−１）＋δＳＲＳ，ｃ（ｉ−ＫＳＲＳ−ＣＳＩ）により、サービングセルｃのサブフレームｉにおけるＳＲＳの送信の電力制御調整パラメータ（例えば、ｆＳＲＳ（ｉ））を判定し得る。無線デバイスは、ＣＳＩ取得のための１つ以上のＳＲＳ電力制御パラメータセットと関連付けられたＳＲＳ表示パラメータが、絶対電力制御調整が使用されている（または累積電力制御調整が有効にされていない）ことを示す場合に、ｆＳＲＳ，ｃ（ｉ）＝δＳＲＳ，ｃ（ｉ−ＫＳＲＳ−ＣＳＩ）により、サービングセルｃのサブフレームｉにおけるＳＲＳ送信の電力制御調整パラメータ（例えば、ｆＳＲＳ（ｉ））を判定し得る。一実施例では、δＳＲＳ，ｃ（ｉ−ＫＳＲＳ−ＣＳＩ）は、サブフレームｉ−ＫＳＲＳ−ＣＳＩでサービングセルｃのための第２のＤＣＩに示される、電力制御値であり得る。
【０１５４】
一実施例では、基地局は、アップリンクビーム管理のためのＳＲＳ送信のための第３のＤＣＩを、無線デバイスに送信し得る。第３のＤＣＩは、１つ以上のＳＲＳリソースセット、および／または１つ以上のＳＲＳ電力制御コマンドのうちの少なくとも１つを含んでもよい。第３のＤＣＩの受信に応じて、無線デバイスは、送信電力でＳＲＳを送信し得る。送信電力は、アップリンクビーム管理のための１つ以上の電力制御パラメータセットと関連付けられたＳＲＳ表示パラメータに基づいて、少なくとも電力制御調整を含んでいてもよい。無線デバイスは、アップリンクビーム管理のための１つ以上のＳＲＳ電力制御パラメータセットと関連付けられたＳＲＳ表示パラメータが、累積電力制御調整が使用されている（または有効にされている）ことを示す場合に、ｆＳＲＳ，ｃ（ｉ）＝ｆＳＲＳ，ｃ（ｉ−１）＋δＳＲＳ，ｃ（ｉ−ＫＳＲＳ−ＢＭ）により、サービングセルｃのサブフレームｉにおけるＳＲＳの送信の電力制御調整パラメータ（例えば、ｆＳＲＳ（ｉ））を判定し得る。無線デバイスは、アップリンクビーム管理のための１つ以上のＳＲＳ電力制御パラメータセットと関連付けられたＳＲＳ表示パラメータが、絶対電力制御調整が使用されている（または累積電力制御調整が有効にされていない）ことを示す場合に、ｆＳＲＳ，ｃ（ｉ）＝δＳＲＳ，ｃ（ｉ−ＫＳＲＳ−ＢＭ）により、サービングセルｃのサブフレームｉにおけるＳＲＳ送信の電力制御調整パラメータ（例えば、ｆＳＲＳ（ｉ））を判定し得る。一実施例では、δＳＲＳ，ｃ（ｉ−ＫＳＲＳ−ＢＭ）は、サブフレームｉ−ＫＳＲＳ−ＢＭでサービングセルｃのための第３のＤＣＩに示される、電力制御値であり得る。
【０１５５】
一実施例では、基地局は、電力制御コマンド調整タイミングの１つ以上のパラメータを含む、１つ以上のＲＲＣメッセージを送信することができる。１つ以上のパラメータは、ＰＵＳＣＨ（例えば、ＫＰＵＳＣＨ）についての１つの電力制御調整タイミング、および／またはＳＲＳ（例えば、ＫＳＲＳ）についての１つの電力制御調整タイミング、のうちの少なくとも１つを含み得る。
【０１５６】
一実施例では、無線デバイスは、少なくとも電力制御調整を含む送信電力で１つ以上のＰＵＳＣＨを送信することができる。電力制御調整は、現在のサブフレームの前にＫＰＵＳＣＨサブフレームで受信されたＤＣＩで示される、電力制御値に依存し得る。
【０１５７】
一実施例では、無線デバイスは、送信電力および電力制御調整を伴うＣＳＩ取得および／またはアップリンクビーム管理のために、１つ以上のＳＲＳを送信することができる。電力制御調整は、現在のサブフレームの前に少なくともＫＳＲＳサブフレーム（またはスロット、またはシンボル）を受信したＤＣＩで示される、電力制御値に依存し得る。
【０１５８】
一実施例では、基地局は、少なくとも１つの電力制御コマンド適用時間（例えば、Ｋ）を含む１つ以上のＲＲＣメッセージを送信し得る。一実施例では、無線デバイスは、少なくとも電力制御調整を含む送信電力で１つ以上のＰＵＳＣＨを送信することができる。電力制御調整は、現在のサブフレームの前にＫサブフレームで受信されたＤＣＩで示される、電力制御値に依存し得る。一実施例では、ＵＥは、少なくとも電力制御調整を含む送信電力でのＣＳＩ取得および／またはアップリンクビーム管理のために、１つ以上のＳＲＳを送信することができる。電力制御調整は、現在のサブフレームの前に少なくともＫサブフレーム（またはスロット、またはシンボル）で受信したＤＣＩで示される、電力制御値に依存し得る。
【０１５９】
一実施例では、ＫＰＵＳＣＨ、ＫＳＲＳ−ＣＳＩ、および／またはＫＳＲＳ−ＢＭについての電力制御調整時間は、ＲＲＣ構成なしで固定値であり得る。一実施例では、１つ以上のシステムパラメータセット（例えば、数秘術、ＦＤＤもしくはＴＤＤ構成、および／または１つ以上のシステムパラメータ構成）は、電力制御調整時間と関連付けられ得る。
【０１６０】
一実施例では、基地局は、ＰＵＳＣＨスケジューリングのための第１のＤＣＩを、無線デバイスに送信し得る。第１のＤＣＩは、ＰＵＳＣＨリソース割り振り、１つ以上のＰＵＳＣＨ電力制御コマンド、および／またはＰＵＳＣＨについての１つの電力制御調整タイミング（例えば、ＫＰＵＳＣＨ）のうちの少なくとも１つを含んでもよい。第１のＤＣＩの受信に応じて、無線デバイスは、少なくとも電力制御調整を含む送信電力でＰＵＳＣＨを送信し得る。電力制御調整は、１つ以上のＰＵＳＣＨ電力制御パラメータセットにおけるＰＵＳＣＨ表示パラメータに基づいてもよい。無線デバイスは、１つ以上のＰＵＳＣＨ電力制御パラメータセットにおけるＰＵＳＣＨ表示パラメータが、累積電力制御調整が使用されている（または有効にされている）ことを示す場合に、ｆｃ（ｉ）＝ｆｃ（ｉ）＋δＰＵＳＣＨ，ｃ（ｉ−ＫＰＵＳＣＨ）により、ＰＵＳＣＨ送信の電力制御調整を判定し得る。無線デバイスは、１つ以上のＰＵＳＣＨ電力制御パラメータセットにおけるＰＵＳＣＨ表示パラメータが、絶対電力制御調整が使用されている（または累積電力制御調整が有効にされていない）ことを示す場合に、ｆｃ（ｉ）＝δＰＵＳＣＨ，ｃ（ｉ−ＫＰＵＳＣＨ）により、ＰＵＳＣＨ送信の電力制御調整を判定し得る。一実施例では、δＰＵＳＣＨ，ｃ（ｉ−ＫＰＵＳＣＨ）は、サブフレームｉ−ＫＰＵＳＣＨでサービングセルｃのための第１のＤＣＩに示される、電力制御値であり得る。
【０１６１】
一実施例では、基地局は、ＣＳＩ取得のためのＳＲＳ送信のための第２のＤＣＩを、無線デバイスに送信し得る。第２のＤＣＩは、１つ以上のＳＲＳリソースセット、１つ以上のＳＲＳ電力制御コマンド、および／またはＣＳＩ取得のためのＳＲＳについての１つの電力制御調整タイミング（例えば、ＫＳＲＳ−ＣＳＩ）のうちの少なくとも１つを含んでもよい。第２のＤＣＩの受信に応じて、無線デバイスは、少なくとも電力制御調整を含む送信電力でＳＲＳを送信してもよい。電力制御調整は、ＣＳＩ取得のための１つ以上のＳＲＳ電力制御パラメータセットにおけるＳＲＳ表示パラメータに基づいてもよい。無線デバイスは、１つ以上のＳＲＳ電力制御パラメータセットにおけるＳＲＳ表示パラメータが、累積電力制御調整が使用されている（または有効にされている）ことを示す場合に、ｆＳＲＳ，ｃ（ｉ）＝ｆＳＲＳ，ｃ（ｉ−１）＋δＳＲＳ，ｃ（ｉ−ＫＳＲＳ−ＣＳＩ）により、ＳＲＳ送信の電力制御調整を判定し得る。無線デバイスは、１つ以上のＳＲＳ電力制御パラメータセットにおけるＳＲＳ表示パラメータが、絶対電力制御調整が使用されている（または累積電力制御調整が有効にされていない）ことを示す場合に、ｆＳＲＳ，ｃ（ｉ）＝δＳＲＳ，ｃ（ｉ−ＫＳＲＳ−ＣＳＩ）により、ＳＲＳ送信の電力制御調整を判定し得る。一実施例では、δＳＲＳ，ｃ（ｉ−ＫＳＲＳ−ＣＳＩ）は、サブフレームｉ−ＫＳＲＳ−ＣＳＩでサービングセルｃのための第２のＤＣＩに示される、電力制御値であり得る。
【０１６２】
一実施例では、基地局は、アップリンクビーム管理のためのＳＲＳ送信のための第３のＤＣＩを、無線デバイスに送信し得る。第３のＤＣＩは、１つ以上のＳＲＳリソースセット、１つ以上のＳＲＳ電力制御コマンド、および／またはアップリンクビーム管理のためのＳＲＳについての１つの電力制御調整タイミング（例えば、ＫＳＲＳ−ＢＭ）のうちの少なくとも１つを含んでもよい。第３のＤＣＩの受信に応じて、無線デバイスは、少なくとも電力制御調整を含む送信電力でＳＲＳを送信してもよい。電力制御調整は、アップリンクビーム管理のための１つ以上のＳＲＳ電力制御パラメータセットにおけるＳＲＳ表示パラメータに基づいてもよい。無線デバイスは、１つ以上のＳＲＳ電力制御パラメータセットにおけるＳＲＳ表示パラメータが、累積電力制御調整が使用されている（または有効にされている）ことを示す場合に、ｆＳＲＳ，ｃ（ｉ）＝ｆＳＲＳ，ｃ（ｉ−１）＋δＳＲＳ，ｃ（ｉ−ＫＳＲＳ−ＢＭ）により、ＳＲＳ送信の電力制御調整を判定し得る。無線デバイスは、１つ以上のＳＲＳ電力制御パラメータセットにおけるＳＲＳ表示パラメータが、絶対電力制御調整が使用されている（または累積電力制御が有効にされていない）ことを示す場合に、ｆＳＲＳ，ｃ（ｉ）＝δＳＲＳ，ｃ（ｉ−ＫＳＲＳ−ＢＭ）により、サービングセルｃのサブフレームｉにおけるＳＲＳ送信の電力制御調整パラメータ（例えば、ｆＳＲＳ（ｉ））を判定し得る。一実施例では、δＳＲＳ，ｃ（ｉ−ＫＳＲＳ−ＢＭ）は、サブフレームｉ−ＫＳＲＳ−ＢＭでサービングセルｃのための第３のＤＣＩに示される、電力制御値であり得る。
【０１６３】
一実施例では、基地局は、ＰＵＳＣＨスケジューリングのための第１のＤＣＩを、無線デバイスに送信し得る。第１のＤＣＩは、ＰＵＳＣＨリソース割り振り、１つ以上のＰＵＳＣＨ電力制御コマンド、および／またはＰＵＳＣＨについての１つの電力制御調整タイミング（例えば、ＫＰＵＳＣＨ）のうちの少なくとも１つを含んでもよい。第１のＤＣＩの受信に応じて、無線デバイスは、少なくとも電力制御調整を含む送信電力でＰＵＳＣＨを送信し得る。電力制御調整は、１つ以上のＰＵＳＣＨ電力制御パラメータセットにおけるＰＵＳＣＨ表示パラメータに基づいてもよい。無線デバイスは、１つ以上のＰＵＳＣＨ電力制御パラメータセットにおけるＰＵＳＣＨ表示パラメータが、累積電力制御調整が使用されている（または有効にされている）ことを示す場合に、ｆｃ（ｉ）＝ｆｃ（ｉ）＋δＰＵＳＣＨ，ｃ（ｉ−ＫＰＵＳＣＨ）により、ＰＵＳＣＨ送信の電力制御調整を判定し得る。無線デバイスは、１つ以上のＰＵＳＣＨ電力制御パラメータセットにおけるＰＵＳＣＨ表示パラメータが、絶対電力制御調整が使用されている（または累積電力制御調整が有効にされていない）ことを示す場合に、ｆｃ（ｉ）＝δＰＵＳＣＨ，ｃ（ｉ−ＫＰＵＳＣＨ）により、ＰＵＳＣＨ送信の電力制御調整を判定し得る。一実施例では、δＰＵＳＣＨ，ｃ（ｉ−ＫＰＵＳＣＨ）は、サブフレームｉ−ＫＰＵＳＣＨでサービングセルｃのための第１のＤＣＩに示される、電力制御値であり得る。
【０１６４】
一実施例では、基地局は、ＣＳＩ取得またはアップリンクビーム管理のためのＳＲＳ送信のための第２のＤＣＩを、無線デバイスに送信し得る。第２のＤＣＩは、１つ以上のＳＲＳリソースセットと、１つ以上のＳＲＳ電力制御コマンドと、ＳＲＳについての１つの電力制御調整タイミング（例えば、ＫＳＲＳ）と、のうちの少なくとも１つを含み得る。第２のＤＣＩの受信に応じて、無線デバイスは、少なくとも電力制御調整を含む送信電力でＳＲＳを送信してもよい。電力制御調整は、１つ以上のＳＲＳ電力制御パラメータセットにおけるＳＲＳ表示パラメータに基づいてもよい。無線デバイスは、１つ以上のＳＲＳ電力制御パラメータセットにおけるＳＲＳ表示パラメータが、累積電力制御調整が使用されている（または有効にされている）ことを示す場合に、ｆＳＲＳ，ｃ（ｉ）＝ｆＳＲＳ，ｃ（ｉ−１）＋δＳＲＳ，ｃ（ｉ−ＫＳＲＳ）により、ＳＲＳ送信の電力制御調整を判定し得る。無線デバイスは、１つ以上のＳＲＳ電力制御パラメータセットにおけるＳＲＳ表示パラメータが、絶対電力制御調整が使用されている（または累積電力制御調整が有効にされていない）ことを示す場合に、ｆＳＲＳ，ｃ（ｉ）＝δＳＲＳ，ｃ（ｉ−ＫＳＲＳ）により、ＳＲＳ送信の電力制御調整を判定し得る。一実施例では、δＳＲＳ，ｃ（ｉ−ＫＳＲＳ）は、サブフレームｉ−ＫＳＲＳでサービングセルｃのための第２のＤＣＩに示される、電力制御値であり得る。
【０１６５】
一実施例では、基地局は、ＳＲＳリソース構成のうちの１つ以上のパラメータを含む１つ以上のＲＲＣメッセージを送信することができる。１つ以上のパラメータは、帯域幅、周波数ホッピング、送信コムおよびオフセット、時間領域リソース割り振り、周波数領域の位置帯域幅、ならびに／またはアンテナポートのうちの少なくとも１つを含む、１つ以上のＳＲＳリソースセットを含み得る。基地局は、ＳＲＳ送信の１つ以上の電力制御パラメータを含む１つ以上のＲＲＣメッセージを送信し得る。１つ以上の電力制御パラメータは、絶対電力制御調整または累積電力制御調整がＳＲＳ送信のために使用されてもよいかどうかを示す、ＳＲＳ表示パラメータ、および１つ以上のＳＲＳ電力制御パラメータ、のうちの少なくとも１つを含むことができる。
【０１６６】
一実施例では、基地局は、ＣＳＩ取得またはアップリンクビーム管理のためにＳＲＳ送信をトリガするＤＣＩを、無線デバイスに送信してもよい。ＤＣＩは、１つ以上のＳＲＳリソースセットインデックスと、１つ以上のＳＲＳ電力制御コマンドと、のうちの少なくとも１つを含んでもよい。ＤＣＩの受信に応じて、無線デバイスは、ＰＳＲＳ（ｉ，ｊ）＝ｍｉｎ｛ＰＣＭＡＸ，ｃ（ｉ，ｍ），１０ｌｏｇ１０（ＭＳＲＳ，ｃ，ｊ）＋ＰＯ＿ＳＲＳ，ｃ（ｍ）＋αＳＲＳ，ｃ（ｍ）・ＰＬｃ＋ｆＳＲＳ，ｃ（ｉ）｝［ｄＢｍ］により判定された少なくとも電力制御調整を含む送信電力で、サービングセルｃのサブフレームｉにおける１つ以上のＳＲＳリソースセットインデックス（例えば、ｊ）によって示される１つ以上のＳＲＳリソースセットのうちの１つと関連付けられた１つ以上のＳＲＳリソースを使用することにより、１つ以上のＳＲＳを送信し得る。一実施例では、ＰＳＲＳ（ｉ，ｊ）は、サブフレームｉ内のサービングセルｃのＳＲＳリソースセットｊについて計算されたＳＲＳ送信電力であり得る。ＰＣＭＡＸ，ｃ（ｉ，ｍ）は、１つ以上のＲＲＣシグナリングにおけるサービングセルｃのＳＲＳ送信のためのサブフレームｉにおける構成された無線デバイス送信電力であり得る。ＰＣＭＡＸ，ｃ（ｉ，ｍ）は、１つ以上のＳＲＳ電力制御パラメータセットｍ内の１つ以上のＳＲＳ電力制御パラメータと関連付けられた送信電力であり得る。一実施例では、ｍ＝０は、１つ以上のＳＲＳ電力制御パラメータセットのうちの第１の１つによる定期的ＳＲＳ送信に対応し得る。ｍ＝１は、１つ以上のＳＲＳ電力制御パラメータセットのうちの第２の１つによるＣＳＩ取得のための非定期的ＳＲＳ送信に対応し得る。ｍ＝２は、１つ以上のＳＲＳ電力制御パラメータセットのうちの第３の１つによるアップリンクビーム管理のための非定期的ＳＲＳ送信に対応し得る。ＭＳＲＳ，ｃ，ｊは、１つ以上のＲＲＣシグナリングで構成されるリソースブロックの数で表されるサービングセルｃのサブフレームｉにおけるＳＲＳリソースセットｊのＳＲＳ送信の帯域幅であり得る。ｃαＳＲＳ，ｃ（ｍ）は、サービングセルｃの１つ以上のＲＲＣシグナリングで構成されたアルファ−ＳＲＳの値であってもよい。ｃαＳＲＳ，ｃ（ｍ）は、１つ以上のＳＲＳ電力制御パラメータセットｍ内の１つ以上のＳＲＳ電力制御パラメータと関連付けられたアルファ−ＳＲＳであり得る。一実施例では、ｍ＝０は、１つ以上のＳＲＳ電力制御パラメータセットのうちの第１の１つによる定期的ＳＲＳ送信に対応し得る。ｍ＝１は、１つ以上のＳＲＳ電力制御パラメータセットのうちの第２の１つによるＣＳＩ取得のための非定期的ＳＲＳ送信に対応し得る。ｍ＝２は、１つ以上のＳＲＳ電力制御パラメータセットのうちの第３の１つによるアップリンクビーム管理のための非定期的ＳＲＳ送信に対応し得る。ＰＬｃは、サービングセルｃについての無線デバイスによって計算されたダウンリンク経路損失値であり得る。ｃＰＯ＿ＳＲＳ，ｃ（ｍ）は、ＳＲＳ送信のターゲット受信電力パラメータであり得る。ＰＯ＿ＳＲＳ，ｃ（ｍ）は、１つ以上のＳＲＳ電力制御パラメータセットｍ内の１つ以上のＳＲＳ電力制御パラメータと関連付けられたターゲット受信電力であり得る。一実施例では、ｍ＝０は、１つ以上のＳＲＳ電力制御パラメータセットのうちの第１の１つによる定期的ＳＲＳ送信に対応し得る。ｍ＝１は、１つ以上のＳＲＳ電力制御パラメータセットのうちの第２の１つによるＣＳＩ取得のための非定期的ＳＲＳ送信に対応し得る。ｍ＝２は、１つ以上のＳＲＳ電力制御パラメータセットのうちの第３の１つによるアップリンクビーム管理のための非定期的ＳＲＳ送信に対応し得る。無線デバイスは、１つ以上のＳＲＳ電力制御パラメータセットにおけるＳＲＳ表示パラメータが、累積電力制御調整が使用されている（または有効にされている）ことを示す場合に、ｆＳＲＳ，ｃ（ｉ）＝ｆＳＲＳ，ｃ（ｉ−１）＋δＳＲＳ，ｃｉ−ＫＳＲＳ）によって、ｆＳＲＳ，ｃ（ｉ）を判定し得る。無線デバイスは、１つ以上のＳＲＳ電力制御パラメータセットにおけるＳＲＳ表示パラメータが、絶対電力制御調整が使用されている（または累積電力制御調整が有効にされていない）ことを示す場合に、ｆＳＲＳ，ｃ（ｉ）＝δＳＲＳ，ｃ（ｉ−ＫＳＲＳ）により、ｆＳＲＳ，ｃ（ｉ）を判定し得る。一実施例では、δＳＲＳ，ｃ（ｉ−ＫＳＲＳ）は、サブフレームｉ−ＫＳＲＳでサービングセルｃのための第２のＤＣＩに示される、電力制御値であり得る。一実施例では、ＫＳＲＳは、１つ以上のＲＲＣまたはＤＣＩで構成される。
【０１６７】
一実施例では、無線デバイスは、１つ以上のフレーム構造（例えば、ＰＵＳＣＨ／ＰＵＣＣＨ送信およびＴＤＤではない）について、１つ以上の実施形態に基づいて送信電力および電力制御調整を判定し得る。
【０１６８】
一実施例では、基地局は、ＳＲＳリソース構成のうちの１つ以上のパラメータを含む１つ以上のＲＲＣメッセージを送信することができる。１つ以上のパラメータは、帯域幅、周波数ホッピング、送信コムおよびオフセット、時間領域リソース割り振り、周波数領域の位置帯域幅、ならびに／またはアンテナポートのうちの少なくとも１つを含む、ＳＲＳリソースセットのうちの少なくとも１つ以上を含み得る。基地局は、ＰＵＳＣＨ送信のうちの１つ以上の電力制御パラメータを含む１つ以上のＲＲＣメッセージを送信し得る。１つ以上の電力制御パラメータは、１つ以上のＰＵＳＣＨ電力制御パラメータセットを含み得る。１つのＰＵＳＣＨ電力制御パラメータセットは、絶対電力制御調整または累積電力制御調整がＰＵＳＣＨ送信のために使用されてもよいかどうかを示す、ＰＵＳＣＨ表示パラメータ、および／または１つ以上のＰＵＳＣＨ電力制御パラメータ、のうちの少なくとも１つを含み得る。
【０１６９】
一実施例では、基地局は、ＤＣＩスケジューリングＰＵＳＣＨ送信を、無線デバイスに送信してもよい。ＤＣＩは、ＰＵＳＣＨリソース情報、または１つ以上のＳＲＳリソースセットインデックス、および／またはＰＵＳＣＨの１つ以上のＴＰＣのうちの少なくとも１つを含んでもよい。ＤＣＩの受信に応じて、無線デバイスは、いくつかのフレーム構造（例えば、ＦＤＤ）について、ＰＳＲＳ，ｃ（ｉ，ｊ）＝ｍｉｎ｛ＰＣＭＡＸ，ｃ（ｉ，ｍ），ＰＳＲＳ＿ＯＦＦＳＥＴ，ｃ（ｍ）＋１０ｌｏｇ１０（ＭＳＲＳ，ｃ，ｊ）＋ＰＯ＿ＰＵＳＣＨ，ｃ（ｎ）＋αｃ（ｎ）・ＰＬｃ＋ｆｃ（ｉ）｝［ｄＢｍ］により判定された少なくとも電力制御調整を含む送信電力で、セルｃのサブフレームｉにおける１つ以上のＳＲＳリソースセットインデックス（例えば、ｊ）と関連付けられた１つ以上のＳＲＳリソースを使用する１つ以上のＳＲＳを送信し得る。一実施例では、ＰＳＲＳ（ｉ，ｊ）は、サブフレームｉ内のサービングセルｃのＳＲＳリソースセットｊについて計算されたＳＲＳ送信電力であり得る。ＰＣＭＡＸ，ｃ（ｉ，ｍ）は、１つ以上のＲＲＣシグナリングにおけるサービングセルｃのＳＲＳ送信のためのサブフレームｉにおける構成された無線デバイス送信電力であり得る。ＰＣＭＡＸ，ｃ（ｉ，ｍ）は、１つ以上のＳＲＳ電力制御パラメータセットｍ内の１つ以上のＳＲＳ電力制御パラメータと関連付けられた送信電力であり得る。一実施例では、ｍ＝０は、１つ以上のＳＲＳ電力制御パラメータセットのうちの第１の１つによる定期的ＳＲＳ送信に対応し得る。ｍ＝１は、１つ以上のＳＲＳ電力制御パラメータセットのうちの第２の１つによるＣＳＩ取得のための非定期的ＳＲＳ送信に対応し得る。ｍ＝２は、１つ以上のＳＲＳ電力制御パラメータセットのうちの第３の１つによるアップリンクビーム管理のための非定期的ＳＲＳ送信に対応し得る。ＭＳＲＳ，ｃ、ｊは、１つ以上のＲＲＣシグナリングで構成されるリソースブロックの数で表されるサービングセルｃのサブフレームｉにおけるＳＲＳリソースセットｊのＳＲＳ送信の帯域幅であり得る。ＰＳＲＳ＿ＯＦＦＳＥＴ，ｃ（ｍ）は、１つ以上のＲＲＣシグナリングによって構成されたＳＲＳ送信のためのＳＲＳ電力オフセットであり得る。ＰＳＲＳ＿ＯＦＦＳＥＴ，ｃ（ｍ）は、１つ以上のＳＲＳ電力制御パラメータセットｍ内の１つ以上のＳＲＳ電力制御パラメータと関連付けられたＳＲＳ電力オフセットであり得る。一実施例では、ｍ＝０は、１つ以上のＳＲＳ電力制御パラメータセットのうちの第１の１つによる定期的ＳＲＳ送信に対応し得る。ｍ＝１は、１つ以上のＳＲＳ電力制御パラメータセットのうちの第２の１つによるＣＳＩ取得のための非定期的ＳＲＳ送信に対応し得る。ｍ＝２は、１つ以上のＳＲＳ電力制御パラメータセットのうちの第３の１つによるアップリンクビーム管理のための非定期的ＳＲＳ送信に対応し得る。ＰＬｃは、サービングセルｃについての無線デバイスによって計算されたダウンリンク経路損失値であり得る。ｃＰＯ＿ＰＵＳＣＨ，ｃ（ｎ）およびαｃ（ｎ）は、１つ以上のＲＲＣシグナリングで構成され得る。ＰＯ＿ＰＵＳＣＨ，ｃ（ｎ）およびαｃ（ｎ）は、ターゲット受信電力、および１つ以上のＰＵＳＣＨ電力制御パラメータセットｎと関連付けられた電力補償係数であってもよい。一実施例では、ｎ＝０は、１つ以上のＰＵＳＣＨ電力制御パラメータセットのうちの第１の１つによるＰＵＳＣＨ  ＳＰＳ送信に対応し得る。ｎ＝１は、１つ以上のＰＵＳＣＨ電力制御パラメータセットのうちの第２の１つによる動的なＰＵＳＣＨ送信に対応し得る。ｎ＝２は、１つ以上のＰＵＳＣＨ電力制御パラメータセットのうちの第３の１つによるランダムアクセス応答許可に対応するＰＵＳＣＨに対応し得る。一実施例では、ｎは固定値（例えば、ｎ＝１）であり得る。ｆｃ（ｉ）は、サービングセルｃについての現在のＰＵＳＣＨ電力制御調整状態であり得る。ｃ無線デバイスは、１つ以上のＰＵＳＣＨ電力制御パラメータセットにおけるＰＵＳＣＨ表示パラメータが、累積電力制御調整が使用されている（または有効にされている）ことを示す場合に、ｆｃ（ｉ）＝ｆｃ（ｉ）＋δＰＵＳＣＨ，ｃ（ｉ−ＫＰＵＳＣＨ）により、ｆｃ（ｉ）を判定し得る。無線デバイスは、１つ以上のＰＵＳＣＨ電力制御パラメータセットにおけるＰＵＳＣＨ表示パラメータが、絶対電力制御調整が使用されている（または累積電力制御調整が有効にされていない、もしくは無効である）ことを示す場合に、ｆｃ（ｉ）＝δＰＵＳＣＨ，ｃ（ｉ−ＫＰＵＳＣＨ）により、ｆｃ（ｉ）を判定し得る。一実施例では、δＰＵＳＣＨ，ｃ（ｉ−ＫＰＵＳＣＨ）は、サブフレームｉ−ＫＰＵＳＣＨでサービングセルｃのためのＤＣＩに示される、電力制御値であり得る。ＫＰＵＳＣＨは、１つ以上のＲＲＣメッセージまたはＤＣＩで構成され得る。
【０１７０】
一実施例では、無線デバイスは、１つ以上のフレーム構造（例えば、ＦＤＤおよび／またはＴＤＤ）について、１つ以上の実施形態に基づいて送信電力および電力制御調整を判定し得る。
【０１７１】
一実施例では、無線デバイスは、基地局から、少なくとも１つのＳＲＳ電力構成、少なくとも１つのＰＵＳＣＨ電力構成、および／または少なくとも１つのＳＲＳリソース構成のうちの少なくとも１つを示す１つ以上のパラメータを含む、少なくとも１つのＲＲＣメッセージを受信することができる。少なくとも１つのＳＲＳ電力構成は、少なくともＳＲＳ送信についての累積電力調整が有効であるかどうかを示すＳＲＳ表示パラメータ、許容最大送信電力、ターゲット受信電力、電力補償係数、および／または１つ以上の電力オフセットを含むことができる。少なくとも１つのＰＵＳＣＨ電力構成は、少なくともＰＵＳＣＨ送信についての累積電力調整が有効であるかどうかを示すＰＵＳＣＨ表示パラメータ、許容最大送信電力、ターゲット受信電力、電力補償係数、および／または１つ以上の電力オフセットを含むことができる。少なくとも１つのＳＲＳリソース構成は、少なくとも１つ以上のＳＲＳ無線リソースパラメータを含むことができる。
【０１７２】
一実施例では、無線デバイスは、１つ以上のＳＲＳリソースインデックス、および／または１つ以上のＳＲＳ電力制御コマンドのうちの少なくとも１つを含む、少なくとも１つの第１のＤＣＩを受信し得る。無線デバイスは、１つ以上のＳＲＳリソースインデックスで示される１つ以上のＳＲＳリソースを使用することにより、送信電力で１つ以上のＳＲＳを送信し得る。無線デバイスは、１つ以上のＳＲＳ電力制御構成で示される１つまたはＳＲＳ電力制御パラメータに基づいて、ＳＲＳ送信の送信電力を判定し得る。送信電力は、１つ以上のＳＲＳ電力構成内のＳＲＳ表示パラメータに基づく少なくとも電力制御調整を含むことができる。
【０１７３】
一実施例では、無線デバイスは、１つ以上のＰＵＳＣＨリソース構成、１つ以上のＰＵＳＣＨ電力制御コマンドのうちの少なくとも１つを含む、少なくとも１つの第２のＤＣＩを受信し得る。無線デバイスは、１つ以上のＰＵＳＣＨリソース構成で示される１つ以上のＰＵＳＣＨリソースを使用することにより、送信電力で１つ以上のＰＵＳＣＨを送信し得る。無線デバイスは、１つ以上のＰＵＳＣＨ電力制御構成で示される１つまたはＰＵＳＣＨ電力制御パラメータに基づいて、ＰＵＳＣＨ送信の送信電力を判定し得る。送信電力は、１つ以上のＰＵＳＣＨ電力構成内のＰＵＳＣＨ表示パラメータに基づく少なくとも電力制御調整を含むことができる。
【０１７４】
他のアップリンクチャネル／信号とオーバーラップするアップリンクビーム管理のＳＲＳ
一実施例では、無線デバイス（またはＵＥ）は、第１のセルを介して、第１の送信電力でアップリンクビーム管理のための第１のＳＲＳを送信し得る。無線デバイスは、第２のセルを介して、第２の送信電力でＣＳＩ取得のための第２のＳＲＳを送信してもよい。無線デバイスは、第３のセルを介したダウンリンクビーム障害回復のために、第１のＲＡＣＨリソースを介して第３の送信電力で第１のＰＲＡＣＨプリアンブルを送信することができる。無線デバイスは、第４のセルを介したアップリンク同期のために、第２のＲＡＣＨリソースを介して第４の送信電力で第２のＰＲＡＣＨプリアンブルを送信することができる。一実施例では、第１のＳＲＳの送信は、第２のＳＲＳ、第１のＰＲＡＣＨプリアンブル、または第２のＰＲＡＣＨプリアンブルのうちの少なくとも１つと時間的にオーバーラップし得る。送信のオーバーラップが発生すると、既存のＬＴＥ／ＬＴＥ＿Ａ技術では、これらの信号についての送信電力を計算するための方法が提供されない場合がある。既存のＬＴＥ／ＬＴＥ＿Ａ技術では、オーバーラップした送信が発生すると、アップリンクビーム管理が失敗する可能性がある。既存のＬＴＥ／ＬＴＥ＿Ａ技術では、オーバーラップした送信が発生すると、アップリンクビーム管理が遅延する可能性がある。例示的な実施形態は、アップリンクビーム管理の遅延を改善するための方法を提供し得る。
【０１７５】
一実施例では、ｇＮＢは、１つまたは複数のセルについて、少なくとも１つのＳＲＳの構成パラメータを含む１つ以上のメッセージ（例えば、ＲＲＣ）を無線デバイスに送信し得る。１つまたは複数のセルは、１つまたは複数のセルグループにグループ化されてもよい。少なくとも１つのＳＲＳの構成パラメータは、ＳＲＳ帯域幅、ＳＲＳ数秘術、周波数領域（例えば、コムレベル）および／または時間領域（マルチシンボルＳＲＳ送信を含む）における密度、部分的なバンドサイズ、ならびにフルバンドサイズのうちの少なくとも１つを含み得る。少なくとも１つのＳＲＳは、ＳＲＳリソースインデックス（ＳＲＩ）と関連付けられ得る。ｇＮＢは、第１のセル、または第１のセルグループの第１のセルにおけるアップリンクビーム管理プロシージャの構成パラメータを含む１つ以上のメッセージ（例えば、ＲＲＣ）を、無線デバイスに送信し得る。アップリンクビーム管理プロシージャの構成パラメータは、少なくとも１つのアップリンクＲＳタイプ（例えば、ＳＲＳ、アップリンクＤＭＲＳ、ＰＲＡＣＨ）、ＲＳ構成（例えば、各々がＳＲＩと関連付けられた１つまたは複数のＳＲＳリソース）、ＱＣＬパラメータ（例えば、ＳＲＳがＰＵＣＣＨ／ＰＵＳＣＨのＤＭＲＳでＱＣＬされているかどうかを示すインジケータ）、ビーム掃引パラメータ（例えば、ビーム掃引持続時間、ビームの回転、またはビーム固定維持）、ＳＲＳ電力制御パラメータのうちの少なくとも１つを含み得る。
【０１７６】
一実施例では、ｇＮＢは、第１のセルを介して、または第１のセルグループの第１のセルを介してアップリンクビーム管理プロシージャを実行するために無線デバイスをトリガするために、第１のＤＣＩおよび／またはＭＡＣ  ＣＥを無線デバイスに送信し得る。第１のＤＣＩおよび／またはＭＡＣ  ＣＥは、少なくとも１つのＳＲＩと関連付けられた少なくとも１つのＳＲＳ構成、ＳＲＳ電力制御コマンドのうちの少なくとも１つを含むことができる。少なくとも１つのＳＲＳ構成は、１つ以上のＲＲＣメッセージ内の１つ以上のＳＲＳ構成から選択されてもよい。
【０１７７】
一実施例では、ｇＮＢは、第１のセル、または第２のセル、または第２のセルグループの第２のセルを介して非定期的ＳＲＳ送信を送信するために無線デバイスをトリガするために、第２の制御情報（例えば、ＤＣＩ）を無線デバイスに送信し得る。第２のＤＣＩは、少なくとも１つのＳＲＩと関連付けられた少なくとも１つのＳＲＳ構成、およびＳＲＳ電力制御コマンドのうちの少なくとも１つを含むことができる。少なくとも１つのＳＲＳ構成は、１つ以上のＲＲＣメッセージ内の１つ以上のＳＲＳ構成から選択されてもよい。
【０１７８】
一実施例では、無線デバイスは、第１の送信電力で、アップリンクビーム管理プロシージャを実行する第１のＤＣＩおよび／またはＭＡＣ  ＣＥトリガに応じて、第１のセルまたは第１のセルグループの第１のセルを介してアップリンクビーム管理のための少なくとも第１のＳＲＳを送信し得る。無線デバイスは、ＳＲＳ構成パラメータ、ＳＲＳ電力制御コマンドのうちの少なくとも１つに基づいて、少なくとも第１のＳＲＳの第１の送信電力を判定してもよい。
【０１７９】
一実施例では、無線デバイスは、第２の送信電力で、第２のＤＣＩに応じて少なくとも第２のＳＲＳの送信をスケジュールすることができる。無線デバイスは、ＳＲＳ構成パラメータ、ＳＲＳ電力制御コマンドのうちの１つに基づいて、少なくとも第２のＳＲＳの第２の送信電力を判定してもよい。
【０１８０】
一実施例では、第１のセル、または第２のセル、または第２のセルグループの第２のセルを介した少なくとも第２のＳＲＳ（例えば、非定期的ＳＲＳ、または定期的ＳＲＳ）の構成／スケジュール送信は、アップリンクビーム管理の少なくとも第１のＳＲＳの送信と時間的にオーバーラップする場合、かつ合計送信電力が第１の許容電力値を超える場合に、無線デバイスは、少なくとも第２のＳＲＳの構成／スケジュール送信の送信電力を調整するか、または少なくとも第２のＳＲＳの構成／スケジュールされた送信をドロップしてもよい。無線デバイスは、少なくとも第１のＳＲＳおよび少なくとも第２のＳＲＳの合計送信電力が第１の許容電力値を超えないように、少なくとも第２のＳＲＳの送信の送信電力を調整することができる。少なくとも第２のＳＲＳは、第２のＤＣＩによってトリガされる非定期的な送信でスケジュールされてもよく、またはＲＲＣによる定期的な送信で構成されてもよい。第１の許容電力値は、１つ以上のＲＲＣメッセージ内のｇＮＢによって示される値であり得る。合計送信電力は、アップリンクビーム管理の少なくとも１つの第１のＳＲＳの第１の送信電力と、少なくとも第２のＳＲＳの構成／スケジュールされた第２の送信電力と、を含み得る。
【０１８１】
実施例において、例示的な実施形態は、少なくとも第２のＳＲＳ（ＣＳＩ取得用）の送信電力と比較して、少なくとも第１のＳＲＳ（アップリンクビーム管理用）の送信電力により高い優先度を割り当て得る。例示的な実施形態は、ＳＲＳ送信のオーバーラップが発生する場合、アップリンクビーム管理の待ち時間を改善し得る。
【０１８２】
一実施例では、無線デバイスは、第１の送信電力で、アップリンクビーム管理をトリガする第１のＤＣＩおよび／またはＭＡＣ  ＣＥに応じて、第１のセルまたは第１のセルグループの第１のセルを介してアップリンクビーム管理のための少なくとも第１のＳＲＳを送信し得る。無線デバイスは、ＳＲＳ構成パラメータ、ＳＲＳ電力制御コマンドのうちの少なくとも１つに基づいて、少なくとも第１のＳＲＳの第１の送信電力を判定してもよい。
【０１８３】
一実施例では、無線デバイスは、第１のセル、または第２のセル、または第２のセルグループの第３のセルを介したアップリンク制御チャネル（例えば、ＰＵＣＣＨ）の送信をスケジュールし得る。アップリンク制御チャネルを介して送信される情報は、ＡＣＫ／ＮＡＣＫのないアップリンク制御情報（例えば、ＣＱＩを伴うＰＵＣＣＨ）を含んでいてもよい。アップリンク制御チャネルのスケジュールされた送信は、アップリンクビーム管理の少なくとも第１のＳＲＳの送信と時間的にオーバーラップしてもよい。一実施例では、無線デバイスは、合計送信電力が第１の許容電力値を超える場合に、アップリンク制御チャネル送信の送信電力を調整するか、またはアップリンク制御チャネルの送信をドロップすることができる。無線デバイスは、少なくとも第１のＳＲＳおよびアップリンク制御チャネルの合計送信電力が第１の許容電力値を超えないように、アップリンク制御チャネルの送信の送信電力を調整することができる。合計送信電力は、アップリンクビーム管理の少なくとも第１のＳＲＳの第１の送信電力と、アップリンク制御チャネルの第２の送信電力と、を含み得る。第１の許容電力値は、１つ以上のＲＲＣメッセージ内のｇＮＢによって示される値であり得る。実施例において、例示的な実施形態は、ＡＣＫ／ＮＡＣＫなしのアップリンク制御チャネルの送信電力と比較して、ＳＲＳの送信電力により高い優先度を割り当てることができる。アップリンクビーム管理のためのＳＲＳ送信は、アップリンクビームの方向を変更するために必要であるため、ＡＣＫ／ＮＡＣＫを使用しない通常のＰＵＣＣＨ送信よりも緊急性が高い場合がある。
【０１８４】
一実施例では、ｇＮＢは、ダウンリンクビーム障害回復（ＢＦＲ）プロシージャのための構成パラメータを含む１つ以上のメッセージ（例えば、ＲＲＣ）を、無線デバイスにさらに送信し得る。ＢＦＲプロシージャの構成パラメータは、少なくとも１つのＲＳタイプ（例えば、ＳＳブロック、またはＣＳＩ−ＲＳ、またはＰＢＣＨのＤＭＲＳ）、ＲＳ構成（例えば、ＣＳＩ−ＲＳリソース構成）、ビーム障害回復要求のチャネル構成（例えば、ＰＲＡＣＨプリアンブル、時間／周波数、ホッピング、電力制御コマンド）、測定設定（例えば、ＣＳＩ、ＲＳＲＰ、ＲＳＲＱ）、レポート設定（例えば、レポートタイプ（例えば、ＣＳＩレポート、またはビーム管理レポート、またはビーム障害レポート）、レポート数量（例えば、ＲＳＲＰ、ＲＳＲＱ、またはＣＳＩ）、レポートタイミング（例えば、非周期、ＵＥトリガ）、およびトリガパラメータのレポート（例えば、タイマ、１つ以上のしきい値））のうちの少なくとも１つを含むことができる。
【０１８５】
一実施例では、ｇＮＢは、第１のＤＣＩおよび／またはＭＡＣ  ＣＥを送信して、アップリンクビーム管理プロシージャを実行するために無線デバイスをトリガすることができる。第１のＤＣＩおよび／またはＭＡＣ  ＣＥは、少なくとも１つのＳＲＳ構成、ＳＲＳ電力制御コマンドのうちの少なくとも１つを含み得る。少なくとも１つのＳＲＳ構成は、１つ以上のＲＲＣメッセージ内の１つ以上のＳＲＳ構成から選択されてもよい。無線デバイスは、第１の送信電力で、アップリンクビーム管理プロシージャを実行する第１のＤＣＩおよび／またはＭＡＣ  ＣＥトリガに応じて、アップリンクビーム管理のための少なくとも第１のＳＲＳを送信し得る。無線デバイスは、ＳＲＳ構成パラメータ、ＳＲＳ電力制御コマンドのうちの少なくとも１つに基づいて、ＳＲＳの第１の送信電力を判定してもよい。
【０１８６】
一実施例では、無線デバイスは、ＢＦＲプロシージャの構成パラメータに基づいて少なくともビーム障害を検出することができる。少なくともビーム障害の検出に応じて、無線デバイスは、プリアンブルを、第２の送信電力でｇＮＢに送信してもよい。無線デバイスは、ＢＦＲプロシージャの構成パラメータに基づいて、プリアンブルの第２の送信電力を判定してもよい。
【０１８７】
一実施例では、無線デバイスは、ランダムアクセスプロシージャを自律的に開始してもよい。無線デバイスは、ＰＤＣＣＨ順序を含むＤＣＩの受信に応じて、ランダムアクセスプロシージャを開始してもよい。無線デバイスは、プリアンブルを、第２の送信電力でｇＮＢに送信してもよい。無線デバイスは、ランダムアクセスプロシージャの構成パラメータに基づいて、プリアンブルの第２の送信電力を判定してもよい。
【０１８８】
一実施例では、プリアンブルの送信は、アップリンクビーム管理の少なくとも第１のＳＲＳの送信と時間的にオーバーラップしてもよい。無線デバイスは、合計送信電力が第１の許容電力値を超える場合、プリアンブル送信の第２の送信電力を調整するか、またはプリアンブルの送信をドロップすることができる。無線デバイスは、プリアンブル送信と少なくとも第１のＳＲＳ送信の合計送信電力が第１の許容電力値を超えないように、プリアンブル送信の第２の送信電力を調整してもよい。合計送信電力は、アップリンクビーム管理の少なくとも第１のＳＲＳの第１の送信電力と、プリアンブルの第２の送信電力と、を含み得る。第１の許容電力値は、１つ以上のＲＲＣメッセージ内のｇＮＢによって示される値であり得る。
【０１８９】
一実施例では、無線デバイスは、ダウンリンクビーム障害回復のためのプリアンブルの送信電力と比較して、アップリンクビーム管理のためのＳＲＳの送信電力により高い優先度を割り当て得る。
【０１９０】
一実施例では、無線デバイスは、アップリンクビーム管理のためのＳＲＳの送信電力と比較して、ダウンリンクビーム障害回復のためのプリアンブルの送信電力により高い優先度を割り当て得る。プリアンブルの送信電力に高い優先度を割り当てることは、プリアンブルの送信がＳＲＳの送信と時間的にオーバーラップするとき、およびプリアンブルの送信とＳＲＳの送信の合計送信電力が第１の許容電力値を超えている場合に、アップリンクビーム管理のためにＳＲＳの送信電力を調整することを含み得る。
【０１９１】
一実施例では、アップリンクビーム管理のためのＳＲＳのための電力割り当ての優先順位、およびダウンリンクビーム障害回復のためのプリアンブルは、１つ以上のＲＲＣメッセージで事前定義または構成され得る。
【０１９２】
一実施例では、無線デバイスは、基地局から、第１のセルおよび第２のセルの少なくとも１つのサウンディング基準信号（ＳＲＳ）の第１の構成パラメータ、および第１のセルのアップリンクビーム管理プロシージャの第２の構成パラメータを含む、１つ以上の無線リソース制御（ＲＲＣ）メッセージを受信することができる。無線デバイスは、第１のセルのアップリンクビーム管理プロシージャを開始するダウンリンク制御情報を受信し得る。無線デバイスは、第１のセルを介してアップリンクビーム管理のための少なくとも１つの第１のＳＲＳを送信し得る。無線デバイスは、第２のセルを介した第２のＳＲＳの構成／スケジュールされた送信がアップリンクビーム管理の少なくとも１つの第１のＳＲＳ送信と時間的にオーバーラップする場合、かつ合計送信電力が第１の許容電力値を超える場合に、第２のＳＲＳの構成／スケジュールされた送信の送信電力を調整するか、または第２のＳＲＳの設定／スケジュールされた送信をドロップしてもよい。一実施例では、無線デバイスは、第２のＳＲＳの送信電力と比較して、第１のＳＲＳの送信電力により高い優先度を割り当てることができる。
【０１９３】
アップリンクビーム障害回復
無線デバイスは、アップリンクビーム管理プロシージャを実行するためにＳＲＳを送信してもよい。無線デバイスは、アップリンクビーム管理プロシージャを開始するＤＣＩ（またはＭＡＣ  ＣＥ）の受信に応じて、アップリンクビーム管理プロシージャを実行し得る。一実施例では、ｇＮＢは、無線デバイスからｇＮＢへの無線チャネルのチャネル品質が悪化するのを観察したときに、ＤＣＩ（またはＭＡＣ  ＣＥ）を無線デバイスに送信することができる。ｇＮＢは、アップリンク送信ビームを調整するために、アップリンクビーム管理を実行するように無線デバイスをトリガしてもよい。アップリンクビーム管理のためのＳＲＳの受信に応じて、ｇＮＢは、ＳＲＳから１つのＳＲＳと関連付けられた最良のビームを選択してもよい。１つのＳＲＳは、ＲＳＲＰ、またはＲＳＲＱ、またはＳＩＮＲに基づいて選択され得る。一実施例では、１つのＳＲＳは、ＳＲＳの中で最良のＲＳＲＰ（またはＲＳＲＱ／ＳＩＮＲ）値を有する１つのＳＲＳであり得る。ｇＮＢが最良のビーム（または１つのＳＲＳ）を選択するとき、ｇＮＢは、最良のビーム（または１つのＳＲＳ）を示す第２のＤＣＩを、無線デバイスに送信してもよい。第２のＤＣＩの受信に応じて、無線デバイスは、第２のＤＣＩに従って送信パラメータを調整し得る。
【０１９４】
一実施例では、無線デバイスは、第２のＤＣＩを誤検出する可能性がある。ｇＮＢは、無線デバイスから送信されたＳＲＳの中から最良の１つのビーム（またはＳＲＳ）を選択しなくてもよい。ｇＮＢは、最良の１つのビームを選択しないことに応じて、第２のＤＣＩを送信しなくてもよい。無線デバイスが第２のＤＣＩを誤検出すると、アップリンクビーム障害イベントが発生する。アップリンクビーム障害イベントに応じて、無線デバイスは、アップリンクビームが示されていないため、アップリンク送信を継続できない場合がある。図２３は、アップリンクビーム障害イベントの一実施例を示している。基地局２３０２（またはｇＮＢ）は、アップリンクビーム管理を示す第１のＤＣＩを、無線デバイス２３０１に送信してもよい。第１のＤＣＩは、１つ以上のＳＲＳを示すフィールドを含み得る。第１のＤＣＩの受信に応じて、無線デバイス２３０１は、１つ以上のＳＲＳの構成パラメータに基づいて１つ以上のＳＲＳを送信してもよい。無線デバイス２３０１は、異なる送信ビームで１つ以上のＳＲＳを送信してもよい。一実施例では、基地局２３０２は、１つ以上のＳＲＳを受信し得る。基地局２３０２は、１つ以上の基準に基づいて、１つ以上のＳＲＳから最良のＳＲＳを選択してもよい。基地局２３０２は、最良のＳＲＳの選択に応じて、無線デバイス２３０１に第２のＤＣＩを送信してもよい。第２のＤＣＩは、最良のＳＲＳを示すＳＲＳインデックスを含み得る。一実施例では、無線デバイス２３０１は、例えば、ダウンリンクビーム障害またはダウンリンク制御チャネルが検出できないために、第２のＤＣＩを誤検出する場合がある。無線デバイス２３０１が第２のＤＣＩを誤検出すると、アップリンクビーム障害が発生する。アップリンクビーム障害が発生すると、無線デバイス２３０１と基地局２３０２との間の通信が、切断され得る。
【０１９５】
既存の技術では、アップリンクビーム障害についての解決策が提供されない場合がある。既存の技術では、そのｇＮＢは、無線デバイスが第２のＤＣＩを受信しないことを識別するのに時間がかかることがあり、かつアップリンクビーム管理を繰り返すことがあるため、アップリンクビーム管理に長い遅延が生じる可能性がある。例示的な実施形態は、アップリンクビーム障害が発生した場合のアップリンクビーム障害回復の方法を提供し得る。アップリンクビーム障害回復は、第２のＤＣＩの受信がないこと、および／またはタイマ満了に応じて、第２の信号を送信することを含むことができる。アップリンクビーム障害の回復により、アップリンクビーム管理の遅延が改善され得る。
【０１９６】
一実施例では、ｇＮＢは、アップリンクビーム管理プロシージャの構成パラメータを含む１つ以上のメッセージを送信し得る。パラメータは、ＲＳタイプ（例えば、ＳＲＳ、またはＤＭＲＳ、ＰＲＡＣＨ）、ＲＳ構成（例えば、各々がＳＲＩと関連付けられた１つまたは複数のＳＲＳリソース）、ＱＣＬパラメータ（例えば、ＳＲＳリソースがＰＵＣＣＨ／ＰＵＳＣＨのＤＭＲＳでＱＣＬされているかどうかを示すインジケータ）、および／またはタイマのタイマ値（または時間窓）のうちの少なくとも１つを含んでもよい。１つ以上のメッセージは、１つ以上のＲＲＣメッセージ、および／または１つ以上のＭＡＣ層メッセージであり得る。
【０１９７】
一実施例では、ｇＮＢ２３０２は、アップリンクビーム管理プロシージャを実行するために、無線デバイス２３０１を示す第１の制御情報（例えば、ＤＣＩ）を送信し得る。アップリンクビーム管理プロシージャを実行するとき、無線デバイスは、１つ以上のメッセージおよび／または第１のＤＣＩで構成されたＳＲＳパラメータに基づいて、異なる送信ビーム（例えば、アップリンクビーム掃引）で１つ以上のＳＲＳを送信してもよい。ｇＮＢは、アップリンクビーム管理プロシージャ中に受信ビームを不変に保つことができる。
【０１９８】
一実施例では、ｇＮＢがいくつかの選択基準によって１つ以上のアップリンク送信ビームを判定したときに、ｇＮＢは、１つ以上のアップリンク送信ビームを示す第２の制御情報（例えば、ＤＣＩ）を送信し得る。選択基準は、１つ以上のＳＲＳにわたるＲＳＲＰ、ＲＳＲＱ、および／またはＣＳＩの測定値に基づいていてもよい。第２のＤＣＩの受信に応じて、無線デバイスは、第２のＤＣＩに従って送信パラメータ（またはビーム）を調整し得る。無線デバイスは、調整された送信パラメータ（またはビーム）を使用してＰＵＣＣＨ／ＰＵＳＣＨを送信してもよい。
【０１９９】
一実施例では、第１のＤＣＩは、少なくとも第２のＤＣＩの構成パラメータを含み得る。第２のＤＣＩの構成パラメータは、第２のＤＣＩが存在するかどうかのインジケータ、時間窓の時間値（例えば、第１のＤＣＩを送信した後に第２のＤＣＩが存在する場合）、第２のＤＣＩが存在する場合のフォーマット、アグリゲーションレベル、および／または第２のＤＣＩが存在する場合に送信するためのＰＤＣＣＨのリソース構成、のうちの少なくとも１つを含むことができる。
【０２００】
一実施例では、第１のＤＣＩにおけるインジケータが第２のＤＣＩが存在しないことを示す場合、無線デバイスは、第２のＤＣＩを検出するためにＰＤＣＣＨを監視する必要がない場合がある。第１のＤＣＩにおけるインジケータが時間窓内に第２のＤＣＩが存在することを示す場合、無線デバイスは、時間窓内で第２のＤＣＩを検出するためにＰＤＣＣＨを監視し得る。無線デバイスが第２のＤＣＩを検出する場合、無線デバイスは、第２のＤＣＩによって示される（ＳＲＳと関連付けられた）アップリンク送信ビームを使用して、データパケットを送信し得る。
【０２０１】
一実施例では、第１のＤＣＩは、アップリンクビーム管理がトリガされたときに第２のＤＣＩが存在するかどうかを示し得る。第１のＤＣＩに基づいて、無線デバイスは、第２のＤＣＩをブラインドデコードするかどうかを判定してもよい。２つのＤＣＩ構造により、アップリンクビーム管理のブラインドデコーディングの消費電力を削減することができる。
【０２０２】
一実施例では、無線デバイスは、第２のＤＣＩを検出しないことに応じて、第２の信号（例えば、プリアンブル）を送信し得る。図２４は、実施形態の一実施例を示している。基地局２４０２（またはｇＮＢ）は、アップリンクビーム管理プロシージャの構成パラメータを含む１つ以上のメッセージ（例えば、ＲＲＣメッセージ）を、無線デバイス２４０１に送信することができる。パラメータは、ＲＳタイプ（例えば、ＳＲＳ、ＤＭＲＳ、および／またはＰＲＡＣＨ）、ＲＳ構成（例えば、各々がＳＲＩと関連付けられた１つ以上のＳＲＳリソース）、ＱＣＬパラメータ（例えば、ＳＲＳリソースがＰＵＣＣＨ／ＰＵＳＣＨのＤＭＲＳでＱＣＬされているかどうかを示すインジケータ）、アップリンクビーム管理レポートのための１つ以上のＰＲＡＣＨリソース（例えば、アップリンクビーム障害回復）、および／またはタイマのタイマ値、のうちの少なくとも１つを含み得る。１つ以上のメッセージは、１つ以上のＲＲＣメッセージおよび／または１つ以上のＭＡＣ  ＣＥであり得る。
【０２０３】
一実施例では、ｇＮＢ２４０２は、アップリンクビーム管理プロシージャの１つ以上の構成パラメータとともに第１の制御情報（例えば、ＤＣＩ）を送信することができる。１つ以上の構成パラメータは、１つ以上のＳＲＩ、１つ以上のＰＲＡＣＨリソース（例えば、アップリンクビーム管理レポートのプリアンブル、時間／周波数リソース構成）、１つ以上のＰＲＡＣＨ送信の電力制御コマンド、および／またはタイマもしくは時間窓、のうちの少なくとも１つを含んでもよい。
【０２０４】
一実施例では、無線デバイス２４０１は、アップリンクビーム管理の実行を示す第１のＤＣＩの受信に応じて、異なる送信ビーム（例えば、アップリンクビーム掃引）で１つ以上のＳＲＳを送信し得る。無線デバイス２４０１は、１つ以上のＳＲＳの送信に応じて、タイマ値に基づいてタイマを開始することができる。
【０２０５】
一実施例では、ｇＮＢ２４０２がいくつかの選択基準によって１つ以上のアップリンク送信ビームを判定したときに、ｇＮＢ２４０２は、１つ以上のアップリンク送信ビームを示す第２の制御情報（例えば、ＤＣＩ）を送信し得る。選択基準は、ＳＲＳにわたるＲＳＲＰ、ＲＳＲＱ、および／またはＣＳＩの測定値に基づいていてもよい。無線デバイス２４０１は、第２のＤＣＩの検出に応じてタイマを停止してもよい。
【０２０６】
一実施例では、無線デバイス２４０１がタイマの動作中に１つ以上のアップリンク送信ビームを示す第２のＤＣＩを検出しない場合、アップリンクビーム障害が発生し得る。ＵＥは、１つ以上のＰＲＡＣＨリソースのうちの１つに基づいてプリアンブルを送信することにより、アップリンクビーム障害回復プロシージャを実行し得る。１つ以上のＰＲＡＣＨリソース（例えば、プリアンブル、時間／周波数リソース構成）は、例えば、ランダムアクセスまたはダウンリンクビーム障害回復プロシージャのためのＰＲＡＣＨリソースとは異なる、アップリンクビーム障害回復プロシージャ専用であり得る。一実施例では、アップリンクビーム障害回復のためのＰＲＡＣＨリソースは、ダウンリンクビーム障害を報告するためにＰＲＡＣＨリソースと共有され得る。
【０２０７】
一実施例では、ｇＮＢは、ＵＥによって送信されたプリアンブルを受信したときに、アップリンクビーム管理の第２のラウンドを示す１つ以上の第３のＤＣＩを、ＵＥに送信し得る。１つ以上の第３のＤＣＩは、アップリンクビーム管理の第２のラウンドの構成パラメータを含み得る。構成パラメータは、１つ以上の第１のＤＣＩの構成パラメータとは異なる場合がある。
【０２０８】
一実施例では、無線デバイスは、第２のＤＣＩを検出しないことに応じて、第２の信号／チャネル（例えば、ＰＵＣＣＨ）を送信し得る。一実施例では、ｇＮＢは、アップリンクビーム管理プロシージャの構成パラメータを含む１つ以上のメッセージを、無線デバイスに送信し得る。パラメータは、ＲＳタイプ（例えば、ＳＲＳ、ＤＭＲＳ、および／またはＰＲＡＣＨ）、ＲＳ構成（例えば、各々がＳＲＩと関連付けられた１つ以上のＳＲＳリソース、ＱＣＬパラメータ（例えば、ＳＲＳがＰＵＣＣＨ／ＰＵＳＣＨのＤＭＲＳでＱＣＬされているかどうか）、アップリンクビーム管理レポートのための１つ以上のＰＵＣＣＨリソース（例えば、アップリンクビーム障害回復）、および／またはタイマのタイマ値、のうちの少なくとも１つを含み得る。１つ以上のメッセージは、１つ以上のＲＲＣメッセージ、および／または１つ以上のＭＡＣ層メッセージ（例えば、ＭＡＣ  ＣＥ）であり得る。
【０２０９】
一実施例では、ｇＮＢは、アップリンクビーム管理プロシージャの１つ以上の構成パラメータとともに第１の制御情報（例えば、ＤＣＩ）を、無線デバイスに送信することができる。１つ以上の構成パラメータは、１つ以上のＳＲＩ、アップリンクビーム管理レポート（例えば、アップリンクビーム障害回復）のための１つ以上のＰＵＣＣＨリソース、１つ以上のＰＵＣＣＨ送信の電力制御コマンド、および／またはタイマもしくは時間窓、のうちの少なくとも１つを含んでもよい。
【０２１０】
一実施例では、無線デバイスは、アップリンクビーム管理の実行を示す第１のＤＣＩを受信したときに、異なる送信ビーム（例えば、アップリンクビーム掃引）で１つ以上のＳＲＳを送信し得る。無線デバイスは、１つ以上のＳＲＳの送信に応じて、タイマを開始してもよい。
【０２１１】
一実施例では、ｇＮＢは、例えば、ｇＮＢがいくつかの選択基準により１つ以上のアップリンク送信ビームを判定するときに、１つ以上のアップリンク送信ビームを示す第２の制御情報（例えば、ＤＣＩ）を、無線デバイスに送信し得る。選択基準は、１つ以上のＳＲＳにわたるＲＳＲＰ、ＲＳＲＱ、および／またはＣＳＩの測定値に基づいていてもよい。無線デバイスは、第２のＤＣＩの検出に応じて、タイマを停止してもよい。
【０２１２】
一実施例では、無線デバイスがタイマの動作中に第２のＤＣＩを検出しない場合、アップリンクビーム障害が発生し得る。無線デバイスは、１つ以上のＰＵＣＣＨリソースのうちの１つを介して信号を送信することにより、アップリンクビーム障害回復プロシージャを実行してもよい。１つ以上のＰＵＣＣＨリソースは、例えば、ＳＲ、ＡＣＫ／ＮＡＣＫ、および／またはＣＱＩフィードバックのためのＰＵＣＣＨリソースとは異なるアップリンクビーム障害回復専用であってもよい。一実施例では、アップリンクビーム障害回復のためのＰＵＣＣＨリソースは、ＳＲ、ＡＣＫ／ＮＡＣＫおよび／またはＣＱＩフィードバックのためのＰＵＣＣＨリソースと共有され得る。
【０２１３】
一実施例では、無線デバイスによって送信されたＰＵＣＣＨの受信に応じて、アップリンクビーム障害回復のために、ｇＮＢは、アップリンクビーム管理の第２のラウンドを示す第３のＤＣＩを、無線デバイスに送信し得る。第３のＤＣＩは、アップリンクビーム管理の第２のラウンドの構成パラメータを含み得る。構成パラメータは、第１のＤＣＩとは異なる場合がある。
【０２１４】
一実施例では、無線デバイスは、基地局から、アップリンクビーム管理プロシージャのための１つ以上のパラメータを含む少なくとも１つの無線リソース制御メッセージを受信することができ、１つ以上のパラメータは、少なくとも１つのＳＲＳ構成であって、少なくとも１つのＳＲＳ構成の識別子を含んでいる、少なくとも１つのＳＲＳ構成と、第１のタイマの第１のタイマ値と、のうちの少なくとも１つを示す。無線デバイスは、アップリンクビーム管理プロシージャの起動を示す少なくとも１つの第１のＤＣＩを受信することができ、少なくとも１つの第１のＤＣＩは、少なくともＳＲＳ構成のうちの１つに対応する１つの識別子、１つのプリアンブル識別子、および／または少なくとも１つのプリアンブルと関連付けられた少なくとも１つの無線リソースを示す１つのフィールド、のうちの少なくとも１つを含む。無線デバイスは、少なくとも１つの識別子と関連付けられた１つ以上のＳＲＳを、基地局に送信することができる。一実施例では、無線デバイスは、１つ以上のＳＲＳの送信に応じて、第１のタイマを開始し得る。無線デバイスは、第１のタイマの動作中にダウンリンク制御チャネルを監視してもよい。無線デバイスは、アップリンクビーム管理が正常に完了したことを確認するＤＣＩの受信に応じて、第１のタイマを停止することができる。第１のタイマの満了に応じて、無線デバイスは、少なくとも１つの無線リソースを介して、少なくとも１つのプリアンブルを基地局に送信してもよい。
【０２１５】
様々な実施形態によれば、例えば、無線デバイス、オフネットワーク無線デバイス、基地局、および／または同様のものなどのデバイスは、１つ以上のプロセッサと、メモリと、を備えることができる。メモリは、１つ以上のプロセッサによって実行されると、デバイスに一連の動作を実行させる命令を格納し得る。例示的な動作の実施形態は、添付の図面および明細書に例解されている。様々な実施形態からの特徴を組み合わせて、なおもさらなる実施形態を作り出すことができる。
【０２１６】
図２５は、本開示の実施形態の態様に基づく、例示的な流れ図である。２５１０において、無線デバイスは、基地局から１つ以上のメッセージを受信することができる。１つ以上のメッセージは、セルの構成パラメータを含むことができる。構成パラメータは、セルのサウンディング基準信号（ＳＲＳ）の構成、ＳＲＳの第１の累積電力制御調整が有効であるかどうか、を示す、第１のパラメータと、第２のパラメータと、を含むことができる。第２のパラメータは、セルのアップリンクデータチャネルの構成、およびアップリンクデータチャネルの第２の累積電力制御調整が有効であるかどうか、を示してもよい。２５２０で、第１の累積電力制御調整および第１の電力制御コマンドに基づいて、セルのＳＲＳについての第１の送信電力が判定され得る。２５３０で、ＳＲＳは、セルを介して、第１の送信電力で送信され得る。２５４０で、第２の累積電力制御調整および第２の電力制御コマンドに基づいて、セルのアップリンクデータチャネルについての第２の送信電力が判定され得る。２５５０で、セルのアップリンクデータチャネルを介して、１つ以上のトランスポートブロックが第２の送信電力で送信され得る。
【０２１７】
例示的な実施形態によれば、ＳＲＳの送信は、アップリンクビーム管理のためにトリガされたＳＲＳの送信を示す第１のダウンリンク制御情報（ＤＣＩ）を受信すること、およびチャネル状態情報（ＣＳＩ）取得のためにトリガされたＳＲＳの送信を示す第２のＤＣＩを受信することのうちの少なくとも１つによってトリガされ得る。例示的な実施形態によれば、ＳＲＳの送信は、定期的送信、非定期的送信、または半永続的送信のうちの１つを含み得る。例示的な実施形態によれば、無線デバイスは、第１の構成パラメータが、ＳＲＳの送信についての累積電力制御調整が有効であることを示すことに応じて、ＳＲＳ送信電力調整状態の第１の電力値と第２の電力値の組み合わせに基づいて第１の送信電力を判定してもよい。ＳＲＳ送信電力調整状態は、無線デバイスが第１の電力制御コマンドを受信する前のＳＲＳ送信電力調整状態を含むことができる。第２の電力値は、第１の電力制御コマンドによって示され得る。例示的な実施形態によれば、無線デバイスは、第１の構成パラメータが、ＳＲＳの送信についての累積電力制御調整が無効であることを示すことに応じて、第１の電力制御コマンドによって示される第２の電力値に基づいて第１の送信電力を判定してもよい。例示的な実施形態によれば、無線デバイスは、第２の構成パラメータが、アップリンクデータチャネルの送信についての累積電力制御調整が有効であることを示すことに応じて、アップリンクデータチャネル送信電力調整状態の第１の電力値と第２の電力値の組み合わせに基づいて第２の送信電力を判定してもよい。アップリンクデータチャネル送信電力調整状態は、無線デバイスが第２の電力制御コマンドを受信する前のアップリンクデータチャネル送信電力調整状態であり得る。第２の電力値は、第２の電力制御コマンドによって示され得る。例示的な実施形態によれば、無線デバイスは、第２の構成パラメータが、アップリンクデータチャネルの送信についての累積電力制御調整が無効であることを示すことに応じて、第２の電力制御コマンドによって示される第２の電力値に基づいて第２の送信電力を判定してもよい。例示的な実施形態によれば、第１のパラメータは、ＳＲＳの送信と関連付けられた第１の電力制御調整タイミング値をさらに示すことができる。例示的な実施形態によれば、第２のパラメータは、アップリンクデータチャネル送信と関連付けられた第２の電力制御調整タイミング値をさらに示すことができる。例示的な実施形態によれば、構成パラメータは、許可された送信電力をさらに示すことができる。例示的な実施形態によれば、第１のパラメータは、１つ以上のＳＲＳリソースを含む１つ以上のＳＲＳリソースセット、第１のターゲット受信電力、第１の電力補償係数、およびＳＲＳの送信のための１つ以上の第１の電力オフセット、のうちの少なくとも１つをさらに示すことができる。例示的な実施形態によれば、第２のパラメータは、第２のターゲット受信電力、第２の電力補償係数、およびアップリンクデータチャネル送信のための１つ以上の第２の電力オフセット、のうちの少なくとも１つをさらに示すことができる。例示的な実施形態によれば、第１のＤＣＩまたは第２のＤＣＩは、ＳＲＳのリソース表示および第１の電力制御コマンドのうちの少なくとも１つを含み得る。例示的な実施形態によれば、アップリンクビーム管理は、第１のスロットでセル上の第１のＤＣＩを受信することと、セルを介して、第２のスロットでＳＲＳを含む１つ以上のＳＲＳを送信することと、第３のスロットで基地局からコマンドを受信することと、のうちの少なくとも１つを含んでもよい。例示的な実施形態によれば、ＣＳＩ取得は、第１のスロットでセル上の第２のＤＣＩを受信することと、セルを介して、第２のスロットでＳＲＳを含む１つ以上のＳＲＳを送信することと、のうちの少なくとも１つを含んでもよい。例示的な実施形態によれば、ＳＲＳの半永続的送信は、媒体アクセス制御制御要素（ＭＡＣ  ＣＥ）によってアクティブ化／非アクティブ化され得る。ＭＡＣ  ＣＥは、論理チャネル識別子（ＬＣＩＤ）を備えたＭＡＣサブヘッダによって識別され得る。例示的な実施形態によれば、無線デバイスは、第１の累積電力制御調整に基づいて、第１のスロットでＳＲＳ送信の第１の送信電力、および第２のスロットで受信された第１の電力制御コマンドを判定してもよい。第１のスロットは、第２のスロットの後の第１の電力制御調整タイミング値で生じ得る。例示的な実施形態によれば、無線デバイスは、第２の累積電力制御調整に基づいて、第１のスロットでアップリンクデータチャネル送信の第２の送信電力、および第２のスロットで受信された第２の電力制御コマンドを判定してもよい。第１のスロットは、第２のスロットの後の第２の電力制御調整タイミング値で生じ得る。例示的な実施形態によれば、無線デバイスは、ＳＲＳの第１の送信電力が、第１のターゲット受信電力、第１の電力補償係数、１つ以上の第１の電力オフセットのうちの少なくとも１つ、およびパス損失値にさらに基づき得ることを判定してもよい。例示的な実施形態によれば、無線デバイスは、アップリンクデータチャネルの第２の送信電力が、第２のターゲット受信電力、第２の電力補償係数、１つ以上の第２の電力オフセットのうちの少なくとも１つ、およびパス損失値にさらに基づき得ることを判定してもよい。例示的な実施形態によれば、無線デバイスは、第１の送信電力で、１つ以上の送信ビームを介して１つ以上のＳＲＳを送信してもよい。例示的な実施形態によれば、コマンドは、１つ以上のＳＲＳのうちの１つを無線デバイスの送信ビームとして示す、１つ以上のパラメータを含み得る。
【０２１８】
図２６は、本開示の実施形態の態様に基づく、例示的な流れ図である。２６１０において、無線デバイスは、基地局から１つ以上の無線リソース制御メッセージを受信することができる。１つ以上の無線リソース制御メッセージは、ビーム管理の第１のサウンディング基準信号（ＳＲＳ）の第１のパラメータ、チャネル状態情報取得の第２のＳＲＳの第２のパラメータ、および合計許容電力値を含み得る。２６２０で、第１のＳＲＳのうちの少なくとも第１のＳＲＳが送信され得る。２６３０において、第２のＳＲＳのうちの少なくとも第２のＳＲＳの送信電力は、少なくとも第２のＳＲＳの送信が少なくとも第１のＳＲＳの送信と時間的にオーバーラップすること、および合計送信電力が合計許容電力値を超えていることに応じて調整され得る。２６４０で、少なくとも第２のＳＲＳは、調整された送信電力で送信され得る。
【０２１９】
例示的な実施形態によれば、構成パラメータは、第１のセルおよび第２のセルを含む複数のセルのパラメータをさらに含むことができる。例示的な実施形態によれば、構成パラメータは、１つ以上のセルグループにグループ化された複数のセルをさらに示してもよい。１つ以上のセルグループのうちの第１のセルグループは、第１のセルを含み得る。１つ以上のセルグループのうちの第２のセルグループは、第２のセルを含み得る。例示的な実施形態によれば、第１のパラメータは、ＳＲＳリソース構成パラメータを含むことができる。第１のパラメータは、準コロケーション（ＱＣＬ）表示パラメータを含む場合がある。第１のパラメータは、ビーム掃引パラメータを含み得る。第１のパラメータは、ＳＲＳ電力設定パラメータを含み得る。
【０２２０】
例示的な実施形態によれば、アップリンクビーム管理は、ダウンリンク制御チャネルを介して送信される第１のダウンリンク制御情報（ＤＣＩ）によってトリガされ得る。例示的な実施形態によれば、アップリンクビーム管理は、媒体アクセス制御制御要素（ＭＡＣ  ＣＥ）によってトリガされてもよい。
【０２２１】
例示的な実施形態によれば、少なくとも第１のＳＲＳは、定期的ＳＲＳまたは半永続的ＳＲＳであり得る。例示的な実施形態によれば、合計送信電力は、少なくとも第１のＳＲＳの第１の送信の第１の送信電力と、少なくとも第２のＳＲＳの第２の送信の第２の送信電力と、を含み得る。例示的な実施形態によれば、無線デバイスは、合計送信電力が合計許容電力値を超えないように、少なくとも第２のＳＲＳの送信電力を調整することができる。例示的な実施形態によれば、第１のセルは、プライマリセルであってもよい。例示的な実施形態によれば、第１のセルは、セカンダリセルであってもよい。例示的な実施形態によれば、第１のセルは、物理アップリンク制御チャネル（ＰＵＣＣＨ）セカンダリセルであり得る。
【０２２２】
例示的な実施形態によれば、第２のセルは、プライマリセルであり得る。例示的な実施形態によれば、第２のセルは、セカンダリセルであってもよい。例示的な実施形態によれば、第２のセルは、ＰＵＣＣＨセカンダリセルであり得る。
【０２２３】
例示的な実施形態によれば、無線デバイスは、第１のセルを介して少なくとも第１のＳＲＳおよび少なくとも第２のＳＲＳを送信することができる。例示的な実施形態によれば、無線デバイスは、第１のセルを介して少なくとも第１のＳＲＳを送信することができる。例示的な実施形態によれば、無線デバイスは、第２のセルを介して少なくとも第２のＳＲＳを送信することができる。
【０２２４】
例示的な実施形態によれば、第１のセルは、第１のセルグループのプライマリセルであり得、および／または第２のセルは、第２のセルグループのプライマリセカンダリセルであり得る。例示的な実施形態によれば、第１のセルは、第１のセルグループのプライマリセルであり得、および／または第２のセルは、第２のセルグループのＰＵＣＣＨセカンダリセルであり得る。例示的な実施形態によれば、第１のセルは、第１のセルグループのプライマリセルであり得、および／または第２のセルは、第２のセルグループのセカンダリセルであり得る。例示的な実施形態によれば、無線デバイスは、第１のセルを介して少なくとも第１のＳＲＳおよび少なくとも第２のＳＲＳを送信することができる。
【０２２５】
例示的な実施形態によれば、無線デバイスは、第１のセルを介して少なくとも第１のＳＲＳを送信することができる。例示的な実施形態によれば、無線デバイスは、第２のセルを介して少なくとも第２のＳＲＳを送信することができる。
【０２２６】
例示的な実施形態によれば、無線デバイスは、第１の送信電力で少なくとも第１のＳＲＳを送信してもよい。第１の送信電力は、ＳＲＳ電力設定パラメータＳＲＳ電力設定パラメータに基づいて判定されてもよい。第１の送信電力は、ＤＣＩによって示されるＳＲＳ電力制御コマンドに基づいて判定され得る。第１の送信電力は、ＳＲＳ電力設定パラメータ、ＳＲＳ電力設定パラメータ、およびＤＣＩによって示されるＳＲＳ電力制御コマンドに基づいて判定され得る。
【０２２７】
例示的な実施形態によれば、ＭＡＣ  ＣＥは、少なくとも第１のＳＲＳと関連付けられたＳＲＳリソースインジケータを示し得る。例示的な実施形態によれば、第１のＤＣＩは、少なくとも１つの第１のＳＲＳと関連付けられたＳＲＳリソースインジケータを示し得る。例示的な実施形態によれば、第１のＤＣＩは、第１のＳＲＳ電力制御コマンドを示し得る。
【０２２８】
図２７は、本開示の実施形態の態様に基づく、例示的な流れ図である。２７１０において、無線デバイスは、基地局から１つ以上の無線リソース制御メッセージを受信することができる。１つ以上の無線リソース制御メッセージは、第１のセルおよび第２のセルを含む複数のセルの第１の構成パラメータと、第１のセルのビーム管理の第１のサウンディング基準信号（ＳＲＳ）の第２の構成パラメータと、を含み得る。２７２０で、第１のＳＲＳのうちの少なくとも第１のＳＲＳが第１のセルを介して送信され得る。２７３０において、第２の信号の構成／スケジュールされた送信は、第２のセルを介した第２の信号の構成／スケジュールされた送信が少なくとも第１のＳＲＳの送信と時間的にオーバーラップすること、および合計送信電力が第１の合計許容電力値を超えていることに応じて、ドロップされてもよい。
【０２２９】
例示的な実施形態によれば、第１の構成パラメータは、ＳＲＳリソース構成パラメータを含むことができる。例示的な実施形態によれば、第１の構成パラメータは、ＱＣＬ表示パラメータを含むことができる。例示的な実施形態によれば、第１の構成パラメータは、ビーム掃引パラメータを含み得る。例示的な実施形態によれば、第１の構成パラメータは、ＳＲＳ電力設定パラメータを含み得る。
【０２３０】
例示的な実施形態によれば、アップリンクビーム管理は、ダウンリンク制御チャネルを介して送信される第１のダウンリンク制御情報（ＤＣＩ）によってトリガされ得る。例示的な実施形態によれば、アップリンクビーム管理は、媒体アクセス制御制御要素（ＭＡＣ  ＣＥ）によってトリガされてもよい。
【０２３１】
例示的な実施形態によれば、少なくとも第１のＳＲＳは、定期的ＳＲＳであり得る。例示的な実施形態によれば、少なくとも第１のＳＲＳは、半永続的ＳＲＳであり得る。例示的な実施形態によれば、合計送信電力は、少なくとも第１のＳＲＳの第１の送信の第１の送信電力と、第２の信号の第２の送信の第２の送信電力と、を含み得る。例示的な実施形態によれば、第２の信号は、ＣＳＩ取得のための第２のＳＲＳ、またはＰＲＡＣＨプリアンブルのうちの少なくとも１つを含んでもよい。例示的な実施形態によれば、無線デバイスは、第１の送信電力で少なくとも第１のＳＲＳを送信してもよい。第１の送信電力は、ＳＲＳ電力設定パラメータに基づいて判定されてもよい。第１の送信電力は、ＤＣＩによって示されるＳＲＳ電力制御コマンドに基づいて判定され得る。例示的な実施形態によれば、第２の信号の構成／スケジュールされた送信は、ＤＣＩによってトリガされ得る。例示的な実施形態によれば、第２の信号の構成／スケジュールされた送信は、ＭＡＣ  ＣＥによってトリガされてもよい。例示的な実施形態によれば、第２の信号の構成／スケジュールされた送信は、ＲＲＣメッセージによってトリガされてもよい。
【０２３２】
図２８は、本開示の実施形態の態様に基づく、例示的な流れ図である。２８１０において、無線デバイスは、基地局から１つ以上の無線リソース制御メッセージを受信することができる。１つ以上の無線リソース制御メッセージは、第１のセルおよび第２のセルを含む複数のセルの第１の構成パラメータと、第１のセルのビーム管理の第１のサウンディング基準信号（ＳＲＳ）の第２の構成パラメータと、を含み得る。２８２０で、第１のＳＲＳのうちの少なくとも第１のＳＲＳが第１のセルを介して送信され得る。２８３０において、第２信号の構成／スケジュールされた送信の送信電力は、第２のセルを介した第２の信号の構成／スケジュールされた送信が少なくとも１つのＳＲＳの送信と時間的にオーバーラップすること、および合計送信電力が第１の合計許容電力値を超えていることに応じて、調整されてもよい。２８４０で、第２の信号は、調整された送信電力で、第２のセルを介して送信され得る。
【０２３３】
例示的な実施形態によれば、第１の構成パラメータは、ＳＲＳリソース構成パラメータを含むことができる。例示的な実施形態によれば、第１の構成パラメータは、ＱＣＬ表示パラメータを含むことができる。例示的な実施形態によれば、第１の構成パラメータは、ビーム掃引パラメータを含み得る。例示的な実施形態によれば、第１の構成パラメータは、ＳＲＳ電力設定パラメータを含み得る。例示的な実施形態によれば、アップリンクビーム管理は、ダウンリンク制御チャネルを介して送信される第１のダウンリンク制御情報（ＤＣＩ）によってトリガされ得る。例示的な実施形態によれば、アップリンクビーム管理は、媒体アクセス制御制御要素（ＭＡＣ  ＣＥ）によってトリガされてもよい。例示的な実施形態によれば、少なくとも第１のＳＲＳは、定期的ＳＲＳであり得る。例示的な実施形態によれば、少なくとも第１のＳＲＳは、半永続的ＳＲＳであり得る。例示的な実施形態によれば、合計送信電力は、少なくとも第１のＳＲＳの第１の送信の第１の送信電力と、第２の信号の第２の送信の第２の送信電力と、を含み得る。
【０２３４】
例示的な実施形態によれば、第２の信号は、ＣＳＩ取得のための第２のＳＲＳを含むことができる。例示的な実施形態によれば、第２の信号は、ＰＲＡＣＨプリアンブルを含むことができる。例示的な実施形態によれば、無線デバイスは、第１の送信電力で少なくとも第１のＳＲＳを送信してもよい。第１の送信電力は、ＳＲＳ電力設定パラメータに基づいて判定されてもよい。第１の送信電力は、ＤＣＩによって示されるＳＲＳ電力制御コマンドに基づいて判定され得る。例示的な実施形態によれば、第２の信号の構成／スケジュールされた送信は、ＤＣＩによってトリガされ得る。例示的な実施形態によれば、第２の信号の構成／スケジュールされた送信は、ＭＡＣ  ＣＥによってトリガされてもよい。例示的な実施形態によれば、第２の信号の構成／スケジュールされた送信は、ＲＲＣメッセージによってトリガされてもよい。例示的な実施形態によれば、無線デバイスは、合計送信電力が合計許容電力値を超えないように、第２の信号の送信電力を調整することができる。例示的な実施形態によれば、第２の信号の送信電力を調整することは、合計送信電力が合計許容電力値を超えないように第２の信号の送信電力を低減することを含み得る。
【０２３５】
図２９は、本開示の実施形態の態様に基づく、例示的な流れ図である。２９１０において、無線デバイスは、基地局から１つ以上のメッセージを受信することができる。１つ以上のメッセージは、第１のサウンディング基準信号（ＳＲＳ）リソースの第１のパラメータと、第２のアップリンクリソースの第２のパラメータと、第１のタイマの第１のタイマ値と、を含み得る。２９２０で、第１のダウンリンク制御情報（ＤＣＩ）が受信され得る。第１のＤＣＩは、アップリンクビーム管理プロシージャのための少なくとも１つのＳＲＳの送信を示し得る。２９３０で、少なくとも１つのＳＲＳは、第１のＳＲＳリソースの少なくとも１つを介して送信され得る。２９４０で、送信に応じて、第１のタイマが、第１のタイマ値に基づいて開始されてもよく、ダウンリンク制御チャネルが、第２のＤＣＩについて監視されてもよい。２９５０で、監視中に第２のＤＣＩを検出しないことに応じて、第２のアップリンクリソースのうちの少なくとも１つを介して、少なくとも第２のアップリンク信号を送信することができる。
【０２３６】
例示的な実施形態によれば、無線デバイスはさらに、監視中に第２のＤＣＩを検出することに応じて、第１のタイマを停止することができる。無線デバイスはさらに、監視中に第２のＤＣＩを検出することに応じて、アップリンクビーム管理プロシージャを正常に完了してもよい。例示的な実施形態によれば、第２のアップリンクリソースは、第２のＳＲＳを含むことができる。例示的な実施形態によれば、第２のアップリンクリソースは、１つ以上の復調ＲＳ（ＤＭ−ＲＳ）を含み得る。例示的な実施形態によれば、第２のアップリンクリソースは、１つ以上のＲＡＣＨリソースと関連付けられた１つ以上のプリアンブルを含み得る。例示的な実施形態によれば、第２のパラメータは、１つ以上のＲＡＣＨリソースを示し得る。１つ以上のＲＡＣＨリソースの各々は、プリアンブルインデックスと関連付けられ得る。１つ以上のＲＡＣＨリソースの各々は、ＰＲＡＣＨ数秘術と関連付けられ得る。１つ以上のＲＡＣＨリソースの各々は、時間および／または周波数無線リソース割り振りと関連付けられ得る。１つ以上のＲＡＣＨリソースの各々は、プリアンブル送信の電力設定と関連付けられ得る。例示的な実施形態によれば、第１のＤＣＩは、第１のＳＲＳリソースのうちの１つを示すＲＳリソース識別子を含み得る。例示的な実施形態によれば、第１のＤＣＩは、プリアンブルインデックスを含むことができる。
【０２３７】
例示的な実施形態によれば、第１のＤＣＩは、第２のＤＣＩの構成パラメータを含むことができる。第２のＤＣＩの構成パラメータは、第２のＤＣＩがいつ存在するかを示す時間値を有する時間窓を含んでいてもよい。第２のＤＣＩの構成パラメータは、第２のＤＣＩのＤＣＩフォーマット表示を含むことができる。第２のＤＣＩの構成パラメータは、第２のＤＣＩのアグリゲーションレベルを含み得る。第２のＤＣＩの構成パラメータは、第２のＤＣＩと関連付けられた制御リソースセットを含み得る。第２のＤＣＩの構成パラメータは、第２のＤＣＩと関連付けられた検索空間を含み得る。第２のＤＣＩの構成パラメータは、第２のＤＣＩを受信するための準コロケーション（ＱＣＬ）表示を含むことができる。例示的な実施形態によれば、少なくとも第２のアップリンク信号は、プリアンブルを含むことができる。例示的な実施形態によれば、少なくとも第２のアップリンク信号は、物理アップリンク共有制御チャネル（ＰＵＣＣＨ）を介した信号を含むことができる。例示的な実施形態によれば、無線デバイスは、第１のタイマが動作しているときの少なくとも一部の間、第２のＤＣＩについてダウンリンク制御チャネルを監視してもよい。例示的な実施形態によれば、第１のパラメータは、第１のＳＲＳリソースのうちの１つ以上の無線リソース構成パラメータを含む。例示的な実施形態によれば、第１のパラメータは、第１のＳＲＳリソースの電力設定パラメータを含む。例示的な実施形態によれば、アップリンクビーム管理プロシージャを正常に完了することは、第２のＤＣＩのうちの１つ以上のフィールドに従って送信ビームを調整することを含み得る。例示的な実施形態によれば、少なくとも１つのアップリンク信号は、１つ以上のプリアンブルから選択されたプリアンブルであってもよい。例示的な実施形態によれば、少なくとも１つのアップリンク信号は、第１のＤＣＩで示される１つ以上のプリアンブルのうちのプリアンブルであり得る。例示的な実施形態によれば、少なくとも１つのアップリンク信号は、第１のＤＣＩで示される第２のＳＲＳのうちのＳＲＳであり得る。例示的な実施形態によれば、少なくとも１つのアップリンク信号は、第１のＤＣＩで示されるＤＲ−ＲＳのうちのＤＭ−ＲＳであり得る。例示的な実施形態によれば、無線デバイスは、１つ以上のＲＡＣＨリソースのうちの１つと関連付けられたプリアンブルを含んでいる、少なくとも１つのアップリンク信号を送信してもよい。例示的な実施形態によれば、無線デバイスは、プリアンブルと関連付けられたＰＲＡＣＨ数秘術と、プリアンブルと関連付けられた時間および／または周波数無線リソース割り振りと、プリアンブルと関連付けられたプリアンブル送信の電力設定と、に従って、プリアンブルを送信することができる。例示的な実施形態によれば、無線デバイスは、時間窓に従って、第２のＤＣＩについてＰＤＣＣＨを監視してもよい。例示的な実施形態によれば、無線デバイスは、ＤＣＩフォーマット表示に従って、第２のＤＣＩについてＰＤＣＣＨを監視してもよい。例示的な実施形態によれば、無線デバイスは、アグリゲーションレベルに従って、第２のＤＣＩについてＰＤＣＣＨを監視してもよい。例示的な実施形態によれば、無線デバイスは、制御リソースセットに従って、第２のＤＣＩについてＰＤＣＣＨを監視してもよい。例示的な実施形態によれば、無線デバイスは、検索空間に従って、第２のＤＣＩについてＰＤＣＣＨを監視してもよい。例示的な実施形態によれば、無線デバイスは、ＱＣＬ表示に従って、第２のＤＣＩについてＰＤＣＣＨを監視してもよい。例示的な実施形態によれば、無線デバイスは、第２のＤＣＩの受信に応じて、ＰＵＣＣＨまたは物理アップリンク共有チャネル（ＰＵＳＣＨ）で、少なくとも第２のアップリンク信号をさらに送信することができる。例示的な実施形態によれば、少なくとも第２の信号の送信のためのＰＵＣＣＨリソースは、第１のＤＣＩで示されてもよい。例示的な実施形態によれば、少なくとも第２の信号の送信のためのＰＵＣＣＨリソースは、１つ以上のＲＲＣメッセージで示されてもよい。
【０２３８】
図３０は、本開示の実施形態の態様に基づく、例示的な流れ図である。３０１０において、無線デバイスは、基地局から１つ以上の無線リソース制御メッセージを受信することができる。１つ以上の無線リソース制御メッセージは、アップリンクビーム管理プロシージャの構成パラメータを含み得る。構成パラメータは、基準信号（ＲＳ）リソースと、第１のタイマの第１のタイマ値と、を示してもよい。３０２０で、第１のダウンリンク制御情報（ＤＣＩ）が受信され得る。第１のＤＣＩは、ＲＳリソースの第１のＲＳを識別するＲＳインデックスと、第２のＤＣＩが存在するかどうかを示すインジケータと、を含むことができる。３０３０で、第１のＲＳは、第１のＤＣＩの受信に応じて送信されてもよい。３０４０で、第２のＤＣＩが存在することを示している第１のＤＣＩのインジケータに応じて、第１のタイマ値に基づいて、第１のタイマを開始することができ、かつ第２のＤＣＩについてＰＤＣＣＨを監視することができる。３０５０で、第２のＤＣＩに応じて、アップリンクビーム管理プロシージャを完了することができる。
【０２３９】
例示的な実施形態によれば、無線デバイスは、第２のＤＣＩについてＰＤＣＣＨを監視せず、かつ第２のＤＣＩが存在しないことを示しているインジケータに応じて、第１のタイマを開始しなくてもよい。例示的な実施形態によれば、アップリンクビーム管理プロシージャを完了することは、第２のＤＣＩのうちの１つ以上のフィールドに従って送信ビームを調整することを含み得る。例示的な実施形態によれば、ＲＳリソースは、サウンディング基準信号（ＳＲＳ）と、１つ以上の復調ＲＳ（ＤＭ−ＲＳ）と、１つ以上のＲＡＣＨリソースと関連付けられた１つ以上のプリアンブルと、のうちの少なくとも１つを含むことができる。例示的な実施形態によれば、監視中に第２のＤＣＩを検出したことに応じて、第１のタイマを停止することができ、かつアップリンクビーム管理プロシージャを正常に完了することができる。例示的な実施形態によれば、監視中に第２のＤＣＩを検出しないことに応じて、第１のタイマを停止することができ、かつ少なくとも第２の信号を送信することができる。例示的な実施形態によれば、少なくとも第２の信号は、第２のＳＲＳと、１つ以上の第２のＤＭ−ＲＳと、１つ以上の第２のプリアンブルと、のうちの少なくとも１つを含むことができる。
【０２４０】
本開示において、「ａ」および「ａｎ」ならびに同様の成句は、「少なくとも１つ」または「１つ以上」と解釈されるべきである。同様に、接尾語「（ｓ）」で終わる任意の用語も、「少なくとも１つ」および「１つ以上」と解釈されるべきである。本開示において、用語「ｍａｙ」は、「場合があり、例えば」と解釈されるべきである。換言すれば、用語「ｍａｙ」は、用語「ｍａｙ」の後に続く成句が、様々な実施形態のうちの１つ以上に用いられるかもしれない、または用いられないかもしれないという多数の好適な可能性のうちの１つの例であることを暗示している。ＡおよびＢが集合であり、Ａの各要素もまた、Ｂの要素である場合、Ａは、Ｂの部分集合と呼ばれる。本明細書では、空でない集合および部分集合のみが考慮されている。例えば、Ｂ＝｛セル１、セル２｝の可能な部分集合は、｛セル１｝、｛セル２｝、および｛セル１、セル２｝である。成句「に基づいて」は、用語「に基づいて」の後に続く成句が、様々な実施形態のうちの１つ以上に使用されるかもしれない、または、されないかもしれないという多数の好適な可能性のうちの１つの例であることを暗示している。成句「に応じて」は、成句「に応じて」の後に続く成句が、様々な実施形態のうちの１つ以上に使用されるかもしれない、または、されないかもしれないという多数の好適な可能性のうちの１つの例であることを暗示している。「含む（ｉｎｃｌｕｄｉｎｇ）」および「含む（ｃｏｍｐｒｉｓｉｎｇ）」という用語は、「含むが、それに限定されない」という意味として解釈されるべきである。
【０２４１】
本開示において、様々な実施形態が開示されている。開示された例示的な実施形態からの制限、特徴、および／または要素を組み合わせて、本開示の範囲内で、さらなる実施形態を作り出すことができる。
【０２４２】
本開示では、パラメータ（情報要素：ＩＥ）は、１つ以上のオブジェクトを含んでもよく、それらのオブジェクトの各々は、１つ以上の他のオブジェクトを含んでもよい。例えば、パラメータ（ＩＥ）Ｎがパラメータ（ＩＥ）Ｍを含み、パラメータ（ＩＥ）Ｍがパラメータ（ＩＥ）Ｋを含み、パラメータ（ＩＥ）Ｋがパラメータ（情報要素）Ｊを含む場合、例えば、ＮはＫを含み、ＮはＪを含む。例示的実施形態においては、１つ以上のメッセージが複数のパラメータを含むとき、それは、複数のパラメータのうちのパラメータが１つ以上のメッセージのうちの少なくとも１つに含まれるが、１つ以上のメッセージの各々に含まれる必要はないことを意味する。
【０２４３】
さらに、上記で提示された多くの特徴は、「ｍａｙ」の使用または括弧の使用を通じて任意選択であると説明されている。簡潔さおよび読みやすさのために、本開示は、１組の任意選択の特徴から選択することによって得ることができるありとあらゆる順列組み合わせを明示的に列挙していない。しかしながら、本開示は、そのような順列組み合わせをすべて明示的に開示していると解釈されるべきである。例えば、３つの任意の特徴を有するものとして記載されたシステムは、７つの異なる方法で、すなわち３つの可能な特徴のうちの１つだけ、３つの可能な特徴のうちの任意の２つ、または３つの可能な特徴のうちの３つすべてで具現化することができる。
【０２４４】
開示された実施形態に記載された要素の多くは、モジュールとして具現化されてもよい。モジュールは、ここでは、定義された機能を実行し、他の要素への定義されたインターフェースを有する分離可能な要素として定義されている。本開示に記載されるモジュールは、ハードウェア、ハードウェアと組み合わせたソフトウェア、ファームウェア、ウェットウェア（すなわち、生物学的要素を有するハードウェア）、またはそれらの組み合わせにおいて実装され得、それらは全て挙動的に等価である。例えば、モジュールは、ハードウェアマシンによって実行されるように構成されたコンピュータ言語（Ｃ、Ｃ＋＋、Ｆｏｒｔｒａｎ、Ｊａｖａ（登録商標）、Ｂａｓｉｃ、Ｍａｔｌａｂ、もしくは同等物など）で書かれたソフトウェアルーチン、またはＳｉｍｕｌｉｎｋ、Ｓｔａｔｅｆｌｏｗ、ＧＮＵ  Ｏｃｔａｖｅ、もしくはＬａｂＶＩＥＷＭａｔｈＳｃｒｉｐｔなどのモデリング／シミュレーションプログラムとして実装され得る。さらに、個別の、またはプログラム可能なアナログ、デジタル、および／もしくは量子ハードウェアを組み込む物理的ハードウェアを使用して、モジュールを具現化することが可能であり得る。プログラム可能なハードウェアの例としては、コンピュータ、マイクロコントローラ、マイクロプロセッサ、特定用途向け集積回路（ＡＳＩＣ）、フィールドプログラマブルゲートアレイ（ＦＰＧＡ）、および複合プログラマブル論理デバイス（ＣＰＬＤ）が挙げられる。コンピュータ、マイクロコントローラ、およびマイクロプロセッサは、アセンブリ、Ｃ、Ｃ＋＋などの言語を使用してプログラムされる。ＦＰＧＡ、ＡＳＩＣ、およびＣＰＬＤは、プログラマブルデバイスの機能がより少ない内部ハードウェアモジュール間の接続を構成する、ＶＨＳＩＣハードウェア記述言語（ＶＨＤＬ）またはＶｅｒｉｌｏｇなどのハードウェア記述言語（ＨＤＬ）を使用してプログラムされることが多い。最後に、上記の技術はしばしば機能モジュールの結果を達成するために組み合わせて使用されることを強調しておく必要がある。
【０２４５】
この特許文書の開示は、著作権保護の対象となる資料を組み込んでいる。著作権所有者は、特許商標庁の特許ファイルまたは記録に記載されているように、法律によって要求される限られた目的のために、誰かによる特許文書または特許開示の複製に反対しないが、それ以外の場合は、すべての著作権を留保する。
【０２４６】
種々の実施形態を上述したが、それらは限定ではなく例として提示されたことを理解されたい。当業者には、趣旨および範囲を逸脱することなく形態および詳細の種々の変更をなし得ることが明らかであろう。実際、上記の説明を読んだ後、代替実施形態をどのように具現化するかは、当業者には明らかであろう。したがって、本実施形態は、上述の例示的な実施形態のいずれによっても限定されるべきではない。
【０２４７】
さらに、機能性および利点を強調する図は、いずれも例示目的のみのために提示されていることを理解されたい。開示されたアーキテクチャは、示されたもの以外の方法で利用され得るように、十分に柔軟性があり、かつ構成可能である。例えば、いくつかの実施形態においては、任意のフローチャートに列挙された動作は、並べ替えられてもよく、または単に任意選択で使用されてもよい。
【０２４８】
さらに、開示の要約の目的は、米国特許商標庁および一般大衆、特に特許または法的用語または表現に精通していない当該分野の科学者、技術者および実務家が、一瞥して出願の技術的な開示の性質と本質を迅速に判断できるようにすることである。開示の要約は、いかなる意味においても範囲を限定することを意図するものではない。
【０２４９】
最後に、「する手段」または「するステップ」という明示的な用語を含む請求項のみが、３５Ｕ．Ｓ．Ｃ．１１２の下で解釈されることが出願人の意図である。「する手段」または「するステップ」という語句を明示的に含まない請求項は、３５Ｕ．Ｓ．Ｃ．１１２に基づいて解釈されるべきではない。
【図１】
2020527920.tif 000006
【図２】
2020527920.tif 000007
【図３】
2020527920.tif 000008
【図４】
2020527920.tif 000009
【図５Ａ】
2020527920.tif 000010
【図５Ｂ】
2020527920.tif 000011
【図５Ｃ】
2020527920.tif 000012
【図５Ｄ】
2020527920.tif 000013
【図６】
2020527920.tif 000014
【図７】
2020527920.tif 000015
【図８】
2020527920.tif 000016
【図９】
2020527920.tif 000017
【図１０Ａ】
2020527920.tif 000018
【図１０Ｂ】
2020527920.tif 000019
【図１１Ａ】
2020527920.tif 000020
【図１１Ｂ】
2020527920.tif 000021
【図１１Ｃ】
2020527920.tif 000022
【図１１Ｄ】
2020527920.tif 000023
【図１１Ｅ】
2020527920.tif 000024
【図１１Ｆ】
2020527920.tif 000025
【図１２Ａ】
2020527920.tif 000026
【図１２Ｂ】
2020527920.tif 000027
【図１２Ｃ】
2020527920.tif 000028
【図１３Ａ】
2020527920.tif 000029
【図１３Ｂ】
2020527920.tif 000030
【図１４】
2020527920.tif 000031
【図１５】
2020527920.tif 000032
【図１６】
2020527920.tif 000033
【図１７】
2020527920.tif 000034
【図１８】
2020527920.tif 000035
【図１９】
2020527920.tif 000036
【図２０Ａ】
2020527920.tif 000037
【図２０Ｂ】
2020527920.tif 000038
【図２１】
2020527920.tif 000039
【図２２】
2020527920.tif 000040
【図２３】
2020527920.tif 000041
【図２４】
2020527920.tif 000042
【図２５】
2020527920.tif 000043
【図２６】
2020527920.tif 000044
【図２７】
2020527920.tif 000045
【図２８】
2020527920.tif 000046
【図２９】
2020527920.tif 000047
【図３０】
2020527920.tif 000048
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
無線デバイスのための方法であって、前記方法は、
基地局から無線デバイス(４０６)によって、セルの構成パラメータを含む１つ以上のメッセージを受信することであって、前記構成パラメータは、
セルのサウンディング基準信号（ＳＲＳ）の第１の累積電力制御調整が有効であるかどうかを示す、第１のパラメータと、
前記セルのアップリンクデータチャネルの第２の累積電力制御調整が有効であるかどうかを示す、第２のパラメータと、を含む、受信することと、
前記セルの前記ＳＲＳについて、前記第１の累積電力制御調整および第１の電力制御コマンドに基づいて第１の送信電力を判定することと、
前記第１の送信電力で前記ＳＲＳを送信することと、
前記セルの前記アップリンクデータチャネルについて、前記第２の累積電力制御調整および第２の電力制御コマンドに基づいて第２の送信電力を判定することと、
前記第２の送信電力で１つ以上のトランスポートブロックを送信することと、を含む、方法。
【請求項２】
ダウンリンク制御情報（ＤＣＩ）を受信することと、ＤＣＩの受信に基づいて前記ＳＲＳの送信をトリガすることとをさらに含み、前記ＤＣＩが、
前記ＳＲＳの送信がアップリンクビーム管理のためにトリガされることを示す、第１のＤＣＩ、および、
前記ＳＲＳの送信がチャネル状態情報取得のためにトリガされることを示す、第２のＤＣＩ、のうちの少なくとも１つを含む、請求項１に記載の方法。
【請求項３】
前記第１のパラメータが前記ＳＲＳの前記送信についての第１の累積電力制御調整が有効であることを示すことに応じて、前記第１の送信電力を判定することをさらに含み、前記第１の送信電力を判定することは、
前記第１の電力制御コマンドを受信する前の第１のＳＲＳ送信電力調整状態の第１電力値、および、
前記第１の電力制御コマンドによって示される第２の電力値、に基づく、請求項１または請求項２のいずれかに記載の方法。
【請求項４】
前記アップリンクデータチャネルの前記送信についての第２の累積電力制御調整が有効であることを示すことに応じて、前記第２の送信電力を判定することをさらに含み、前記第２の送信電力を判定することは、
前記無線デバイスが前記第２の電力制御コマンドを受信する前のアップリンクデータチャネルの第３の電力値、および、
前記第２の電力制御コマンドによって示される第４の電力値、に基づく、請求項１〜３のいずれかに記載の方法。
【請求項５】
無線デバイス(４０６)であって、１つ以上のプロセッサとメモリを含み、前記メモリは、１つ以上のプロセッサによって実行されると、前記無線デバイスに、
基地局から、セルの構成パラメータを含む１つ以上のメッセージを受信させることであって、前記構成パラメータは、
セルのサウンディング基準信号（ＳＲＳ）の第１の累積電力制御調整が有効であるかどうかを示す、第１のパラメータと、
セルのアップリンクデータチャネルの第２の累積電力制御調整が有効であるかどうかを示す、第２のパラメータと、を含む、受信することと、
前記セルのＳＲＳについて、前記第１の累積電力制御調整および第１の電力制御コマンドに基づいて、第１の送信電力を判定することと、
前記第１の送信電力でＳＲＳを送信することと、
前記セルのアップリンクデータチャネルについて、前記第２の累積電力制御調整および第２の電力制御コマンドに基づいて、第２の送信電力を判定することと、
１つ以上のトランスポートブロックを前記第２の送信電力で送信することと、を実行させる命令を格納する、無線デバイス。
【請求項６】
前記命令が、さらに前記無線デバイスにダウンリンク制御情報（ＤＣＩ）を受信させることと、前記ＤＣＩの受信に基づいてＳＲＳの送信をトリガすることとを実行させ、前記ＤＣＩは、
アップリンクビーム管理のために前記ＳＲＳの送信がトリガされたことを示す、第１のＤＣＩ、および、
チャネル状態情報取得のために前記ＳＲＳの送信がトリガされたことを示す、第２のＤＣＩ、の少なくとも１つを含む、請求項５に記載の無線デバイス。
【請求項７】
前記命令が、さらに無線デバイスに、前記セルのＳＲＳのための前記第１の累積電力制御調整が有効であることを示す前記第１のパラメータに応じて前記第１の送信電力を判定させ、前記第１の送信電力を判定することは、
前記第１の電力制御コマンドを受信する前のＳＲＳ送信電力調整状態の第１の電力値、および、
前記第１の電力制御コマンドによって示される第２の電力値、に基づく、請求項５および請求項６のいづれかに記載の無線デバイス。
【請求項８】
前記命令が、さらに無線デバイスに、前記アップリンクデータチャネルのための前記第２の累積電力制御調整が有効であることを示す前記第２のパラメータに応じて前記第２の送信電力を判定させ、前記第２の送信電力を判定することは、
前記無線デバイスが前記第２の電力制御コマンドを受信する前のアップリンクデータチャネル送信電力調整状態の第３の電力値、および、
前記第２の電力制御コマンドによって示される第４の電力値、に基づく、請求項５〜７のいずれか１項に記載の無線デバイス。
【請求項９】
基地局のための方法であって、前記方法は、
基地局(４０１)によって、かつ無線デバイス(４０６)へ、セルの構成パラメータを含む１つ以上のメッセージを送信することであって、前記構成パラメータは、
セルのサウンディング基準信号（ＳＲＳ）の第１の累積電力制御調整が有効であるかどうかを示す、第１のパラメータと、
セルのアップリンクデータチャネルの第２の累積電力制御調整が有効であるかどうかを示す、第２のパラメータと、を含む、送信することと、
前記無線デバイスに第１の電力制御コマンドを送信することであって、前記第１の電力制御コマンドは、前記第１の累積電力制御調整と一緒に用いられるように構成され、前記セルのＳＲＳのための第１の送信電力を判定する、送信することと、
前記ＳＲＳを受信することと、
前記無線デバイスに第２の電力制御コマンドを送信することであって、前記第２の電力制御コマンドは、前記第２の累積電力制御調整と一緒に用いられるように構成され、前記セルのアップリンクデータチャネルのための第２の送信電力を判定する、送信することと、
１つ以上のトランスポートブロックを受信することと、を含む、方法。
【請求項１０】
前記ＳＲＳを送信するよう前記無線デバイスをトリガするように構成されたダウンリンク制御情報（ＤＣＩ）を送信することであって、前記ＤＣＩが、
前記ＳＲＳの送信が、アップリンクビーム管理のためにトリガされたことを示す第１のダウンリンク制御情報（ＤＣＩ）、および、
前記ＳＲＳの送信が、チャネル状態情報（ＣＳＩ）取得のためにトリガされたことを示す第２のＤＣＩ、の少なくとも１つを含む、請求項９に記載の方法。
【請求項１１】
前記第１の電力制御コマンドが、さらに前記第１の累積電力制御調整と一緒に用いられるように構成され、前記セルの前記ＳＲＳのための前記第１の送信電力を判定し、前記判定が、
前記第１の電力制御コマンドを受信する前のＳＲＳ送信電力調整状態の第１の電力値、および、
前記第１の電力制御コマンドによって示される第２の電力値、に基づく、請求項９および請求項１０のいずれかに記載の方法。
【請求項１２】
前記第２の電力制御コマンドが、さらに前記第２の累積電力制御調整と一緒に用いられるように構成され、前記セルの前記ＳＲＳのための前記第２の送信電力を判定し、前記判定が、
前記無線デバイスが前記第２の電力制御コマンドを受信する前のアップリンクデータチャネル送信電力調整状態の第３の電力値、および、
前記第２の電力制御コマンドによって示される第４の電力値、に基づく、請求項９〜１１のいずれか１項に記載の方法。
【請求項１３】
基地局(４０１)であって、１つ以上のプロセッサとメモリを含み、前記メモリは、１つ以上のプロセッサによって実行されると、前記基地局に、
無線デバイス（４０６）へ、セルの構成パラメータを含む１つ以上のメッセージを送信させることであって、前記構成パラメータは、
セルのサウンディング基準信号（ＳＲＳ）の第１の累積電力制御調整が有効であるかどうかを示す、第１のパラメータと、
前記セルのアップリンクデータチャネルの第２の累積電力制御調整が有効であるかどうかを示す、第２のパラメータと、を含む、送信させることと、
前記無線デバイスに第１の電力制御コマンドを送信することであって、前記第１の電力制御コマンドは、前記第１の累積電力制御調整と一緒に用いられるように構成され、前記セルの前記ＳＲＳのための前記第１の送信電力を判定する、送信することとと、
ＳＲＳを受信することと、
前記無線デバイスに第２の電力制御コマンドを送信することであって、前記第２の電力制御コマンドは、前記第２の累積電力制御調整と一緒に用いられるように構成され、前記セルの前記アップリンクデータチャネルのための前記第１の送信電力を判定する、送信することとと、
１つ以上のトランスポートブロックを受信することと、を実行させる命令を格納する、基地局。
【請求項１４】
前記命令が、さらに前記基地局に、前記ＳＲＳを送信するよう前記無線デバイスをトリガするように構成されたダウンリンク制御情報（ＤＣＩ）を送信することであって、前記ＤＣＩが、
前記ＳＲＳの送信が、アップリンクビーム管理のためにトリガされたことを示す第１のダウンリンク制御情報（ＤＣＩ）、および、
前記ＳＲＳの送信が、チャネル状態情報（ＣＳＩ）取得のためにトリガされたことを示す第２のＤＣＩ、の少なくとも１つを含む、送信することを実行させる、請求項１３に記載の基地局。
【請求項１５】
前記第１の電力制御コマンドが、さらに前記第１の累積電力制御調整と一緒に用いられるように構成され、前記セルの前記ＳＲＳのための前記第１の送信電力を判定し、前記判定が、
前記第１の電力制御コマンドを受信する前のＳＲＳ送信電力調整状態の第１の電力値、および、
前記第１の電力制御コマンドによって示される第２の電力値、に基づく、請求項１３および請求項１４のいずれかに記載の基地局。
【手続補正２】
【補正対象書類名】明細書
【補正対象項目名】０００２
【補正方法】変更
【補正の内容】
【０００２】
本発明の例示的な実施形態は、キャリアアグリゲーションの動作を可能にする。ここに開示する技術の複数の実施形態を、マルチキャリア通信システムの技術分野において用いることが可能である。より具体的には、本明細書に開示された技術の実施形態は、マルチキャリア通信システムにおける信号タイミングに関連し得る。
例えば、本願は以下の項目を提供する。
（項目１）
基地局から無線デバイスによって、セルの構成パラメータを含む１つ以上のメッセージを受信することであって、前記構成パラメータは、
前記セルのサウンディング基準信号（ＳＲＳ）の構成、および
前記ＳＲＳの第１の累積電力制御調整が有効であるかどうかを示す、第１のパラメータと、
前記セルのアップリンクデータチャネルの構成、および
前記アップリンクデータチャネルの第２の累積電力制御調整が有効であるかどうかを示す、第２のパラメータと、を含む、受信することと、
前記セルの前記ＳＲＳについて、前記第１の累積電力制御調整および第１の電力制御コマンドに基づいて第１の送信電力を判定することと、
前記セルを介して、前記第１の送信電力で前記ＳＲＳを送信することと、
前記セルの前記アップリンクデータチャネルについて、前記第２の累積電力制御調整および第２の電力制御コマンドに基づいて第２の送信電力を判定することと、
前記セルの前記アップリンクデータチャネルを介して、前記第２の送信電力で１つ以上のトランスポートブロックを送信することと、を含む、方法。
（項目２）
前記ＳＲＳの前記送信は、
前記ＳＲＳの送信がアップリンクビーム管理のためにトリガされることを示す、第１のダウンリンク制御情報（ＤＣＩ）を受信することと、
前記ＳＲＳの送信がチャネル状態情報（ＣＳＩ）取得のためにトリガされることを示す、第２のＤＣＩを受信することと、のうちの少なくとも１つによってトリガされる、項目１に記載の方法。
（項目３）
前記ＳＲＳの前記送信は、定期的送信、非定期的送信、または半永続的送信のうちの１つを含む、項目１に記載の方法。
（項目４）
前記無線デバイスは、前記第１のパラメータが、前記ＳＲＳの前記送信についての累積電力制御調整が有効であることを示すことに応じて、ＳＲＳ送信電力調整状態の第１の電力値と第２の電力値の組み合わせに基づいて前記第１の送信電力を判定し、
前記ＳＲＳ送信電力調整状態は、前記無線デバイスが前記第１の電力制御コマンドを受信する前のＳＲＳ送信電力調整状態を含み、
前記第２の電力値が、前記第１の電力制御コマンドによって示される、項目１に記載の方法。
（項目５）
前記無線デバイスは、前記第１のパラメータが、前記ＳＲＳの前記送信についての累積電力制御調整が無効であることを示すことに応じて、前記第１の電力制御コマンドによって示される第２の電力値に基づいて前記第１の送信電力を判定する、項目１に記載の方法。
（項目６）
前記無線デバイスは、前記第２の構成パラメータが、前記アップリンクデータチャネルの前記送信についての累積電力制御調整が有効であることを示すことに応じて、アップリンクデータチャネル送信電力調整状態の第１の電力値と第２の電力値の組み合わせに基づいて前記第２の送信電力を判定し、
前記アップリンクデータチャネル送信電力調整状態は、前記無線デバイスが前記第２の電力制御コマンドを受信する前のアップリンクデータチャネル送信電力調整状態であり、
前記第２の電力値が、前記第２の電力制御コマンドによって示される、項目１に記載の方法。
（項目７）
前記無線デバイスは、前記第２の構成パラメータが、前記アップリンクデータチャネルの前記送信についての累積電力制御調整が無効であることを示すことに応じて、前記第２の電力制御コマンドによって示される第２の電力値に基づいて前記第２の送信電力を判定する、項目１に記載の方法。
（項目８）
前記第１のパラメータが、前記ＳＲＳの前記送信と関連付けられた第１の電力制御調整タイミング値をさらに示す、項目１に記載の方法。
（項目９）
前記第２のパラメータが、前記アップリンクデータチャネル送信と関連付けられた第２の電力制御調整タイミング値をさらに示す、項目１に記載の方法。
（項目１０）
前記構成パラメータが、許可された送信電力をさらに示す、項目１に記載の方法。
（項目１１）
前記第１のパラメータが、
１つ以上のＳＲＳリソースを含む１つ以上のＳＲＳリソースセットと、
第１のターゲット受信電力と、
第１の電力補償係数と、
前記ＳＲＳの前記送信のための１つ以上の第１の電力オフセットと、のうちの少なくとも１つをさらに示す、項目１に記載の方法。
（項目１２）
前記第２のパラメータが、
第２のターゲット受信電力と、
第２の電力補償係数と、
前記アップリンクデータチャネル送信のための１つ以上の第２の電力オフセットと、のうちの少なくとも１つをさらに示す、項目１に記載の方法。
（項目１３）
前記第１のＤＣＩまたは前記第２のＤＣＩが、
前記ＳＲＳのリソース表示と、
前記第１の電力制御コマンドと、のうちの少なくとも１つを含む、項目２に記載の方法。
（項目１４）
前記アップリンクビーム管理が、
第１のスロットで、前記セルの前記第１のＤＣＩを受信することと、
前記セルを介して、第２のスロットで、前記ＳＲＳを含む１つ以上のＳＲＳを送信することと、
第３のスロットで、前記基地局からコマンドを受信することと、のうちの少なくとも１つを含む、項目２に記載の方法。
（項目１５）
前記ＣＳＩ取得が、
第１のスロットで、前記セルの前記第２のＤＣＩを受信することと、
前記セルを介して、第２のスロットで、前記ＳＲＳを含む１つ以上のＳＲＳを送信することと、のうちの少なくとも１つを含む、項目２に記載の方法。
（項目１６）
前記ＳＲＳの前記半永続的送信は、媒体アクセス制御制御要素（ＭＡＣ  ＣＥ）によってアクティブ化／非アクティブ化され、前記ＭＡＣ  ＣＥが、論理チャネル識別子（ＬＣＩＤ）を有するＭＡＣサブヘッダによって識別される、項目３に記載の方法。
（項目１７）
前記無線デバイスが、
前記第１の累積電力制御調整、および
第２のスロットで受信された前記第１の電力制御コマンドに基づいて、第１のスロットで、前記ＳＲＳ送信の前記第１の送信電力を判定し、前記第１のスロットが、前記第２のスロットの後の前記第１の電力制御調整タイミング値で発生する、項目８に記載の方法。
（項目１８）
前記無線デバイスが、
前記第２の累積電力制御調整、および
第２のスロットで受信された前記第２の電力制御コマンドに基づいて、第１のスロットで、前記アップリンクデータチャネル送信の前記第２の送信電力を判定し、前記第１のスロットが、前記第２のスロットの後の前記第２の電力制御調整タイミング値で発生する、項目９に記載の方法。
（項目１９）
前記無線デバイスが、
前記第１のターゲット受信電力と、
前記第１の電力補償係数と、
前記１つ以上の第１の電力オフセットのうちの少なくとも１つと、
パス損失値と、にさらに基づいて、前記ＳＲＳについての前記第１の送信電力を判定する、項目１１に記載の方法。
（項目２０）
前記無線デバイスが、
前記第２のターゲット受信電力と、
前記第２の電力補償係数と、
前記１つ以上の第２の電力オフセットのうちの少なくとも１つと、
パス損失値と、にさらに基づいて、前記アップリンクデータチャネルについての前記第２の送信電力を判定する、項目１２に記載の方法。
（項目２１）
前記無線デバイスが、前記第１の送信電力で、１つ以上の送信ビームを介して前記１つ以上のＳＲＳを送信する、項目１４に記載の方法。
（項目２２）
前記コマンドが、前記無線デバイスの送信ビームとして前記１つ以上のＳＲＳのうちの１つを示す１つ以上のパラメータを含む、項目１４に記載の方法。
（項目２３）
基地局から無線デバイスによって、構成パラメータを含む１つ以上の無線リソース制御メッセージを受信することであって、前記構成パラメータは、
ビーム管理の第１のサウンディング基準信号（ＳＲＳ）の第１のパラメータと、
チャネル状態情報取得の第２のＳＲＳの第２のパラメータと、
合計許容電力値と、を含む、受信することと、
第１のＳＲＳのうちの少なくとも第１のＳＲＳを送信することと、
前記少なくとも第１のＳＲＳの前記送信と時間的にオーバーラップする前記少なくとも第２のＳＲＳの送信、および
前記合計許容電力値を超える合計送信電力に応じて、前記第２のＳＲＳのうちの少なくとも第２のＳＲＳの送信電力を調整することと、
前記調整された送信電力で、前記少なくとも第２のＳＲＳを送信することと、を含む、方法。
（項目２４）
前記構成パラメータが、第１のセルおよび第２のセルを含む、複数のセルのパラメータをさらに含んでいる、項目２３に記載の方法。
（項目２５）
前記構成パラメータが、１つ以上のセルグループにグループ化された複数のセルをさらに示しており、前記１つ以上のセルグループの第１のセルグループが、第１のセルを含んでおり、前記１つ以上のセルグループの第２のセルグループが、第２のセルを含んでいる、項目２３に記載の方法。
（項目２６）
前記第１のパラメータが、
ＳＲＳリソース構成パラメータと、
準コロケーション（ＱＣＬ）表示パラメータと、
ビーム掃引パラメータと、
ＳＲＳ電力設定パラメータと、のうちの少なくとも１つを含む、項目２３に記載の方法。
（項目２７）
前記ビーム管理が、
ダウンリンク制御チャネルを介して送信される第１のダウンリンク制御情報（ＤＣＩ）と、
メディアアクセス制御制御要素（ＭＡＣ  ＣＥ）と、のうちの少なくとも１つによってトリガされる、項目２３に記載の方法。
（項目２８）
前記少なくとも第１のＳＲＳが、定期的ＳＲＳまたは半永続的ＳＲＳである、項目２３に記載の方法。
（項目２９）
前記合計送信電力が、前記少なくとも第１のＳＲＳの第１の送信の第１の送信電力と、前記少なくとも第２のＳＲＳの第２の送信の第２の送信電力と、を含む、項目２３に記載の方法。
（項目３０）
前記無線デバイスが、前記合計送信電力が前記合計許容電力値を超えないように、前記少なくとも第２のＳＲＳの前記送信電力を調整する、項目２３に記載の方法。
（項目３１）
前記第１のセルが、プライマリセル、セカンダリセル、または物理アップリンク制御チャネル（ＰＵＣＣＨ）セカンダリセルである、項目２４に記載の方法。
（項目３２）
前記第２のセルが、プライマリセル、セカンダリセル、またはＰＵＣＣＨセカンダリセルである、項目２４に記載の方法。
（項目３３）
前記無線デバイスが、前記第１のセルを介して、前記少なくとも第１のＳＲＳおよび前記少なくとも第２のＳＲＳを送信する、項目２４に記載の方法。
（項目３４）
前記無線デバイスが、
前記第１のセルを介して前記少なくとも第１のＳＲＳを送信し、かつ
前記第２のセルを介して前記少なくとも第２のＳＲＳを送信する、項目２４に記載の方法。
（項目３５）
前記第１のセルが、前記第１のセルグループのプライマリセルであり、かつ／または前記第２のセルが、前記第２のセルグループのプライマリセカンダリセルである、項目２５に記載の方法。
（項目３６）
前記第１のセルが、前記第１のセルグループのプライマリセルであり、かつ／または前記第２のセルが、前記第２のセルグループのＰＵＣＣＨセカンダリセルである、項目２５に記載の方法。
（項目３７）
前記第１のセルが、前記第１のセルグループのプライマリセルであり、かつ／または前記第２のセルが、前記第２のセルグループのセカンダリセルである、項目２５に記載の方法。
（項目３８）
前記無線デバイスが、前記第１のセルを介して、前記少なくとも第１のＳＲＳおよび前記少なくとも第２のＳＲＳを送信する、項目２５に記載の方法。
（項目３９）
前記無線デバイスが、
前記第１のセルを介して前記少なくとも第１のＳＲＳを送信し、かつ
前記第２のセルを介して前記少なくとも第２のＳＲＳを送信する、項目２５に記載の方法。
（項目４０）
前記無線デバイスが、第１の送信電力で前記少なくとも第１のＳＲＳを送信し、前記第１の送信電力が、
前記第１のパラメータ、および
ＤＣＩで示されるＳＲＳ電力制御コマンドのうちの少なくとも１つに基づいて判定される、項目２５に記載の方法。
（項目４１）
前記ＭＡＣ  ＣＥが、前記少なくとも第１のＳＲＳと関連付けられたＳＲＳリソースインジケータを示す、項目２７に記載の方法。
（項目４２）
前記第１のＤＣＩが、
前記少なくとも第１のＳＲＳと関連付けられたＳＲＳリソースインジケータと、
第１のＳＲＳ電力制御コマンドと、のうちの少なくとも１つを示す、項目２７に記載の方法。
（項目４３）
基地局から無線デバイスによって、１つ以上の無線リソース制御メッセージを受信することであって、前記１つ以上の無線リソース制御メッセージが、
第１のセルおよび第２のセルを含む、複数のセルの第１の構成パラメータと、
前記第１のセルのビーム管理の第１のサウンディング基準信号（ＳＲＳ）の第２の構成パラメータと、を含んでいる、受信することと、
前記第１のセルを介して、前記第１のＳＲＳのうちの少なくとも第１のＳＲＳを送信することと、
前記少なくとも第１のＳＲＳの前記送信と時間的にオーバーラップする、前記第２のセルを介した第２の信号の構成／スケジュールされた送信、および
第１の合計許容電力値を超える合計送信電力に応じて、前記第２の信号の前記構成／スケジュールされた送信をドロップすることと、を含む、方法。
（項目４４）
前記第１の構成パラメータが、
ＳＲＳリソース構成パラメータと、
ＱＣＬ表示パラメータと、
ビーム掃引パラメータと、
ＳＲＳ電力設定パラメータと、のうちの少なくとも１つを含む、項目４３に記載の方法。
（項目４５）
前記ビーム管理が、
ダウンリンク制御チャネルを介して送信される第１のダウンリンク制御情報（ＤＣＩ）と、
メディアアクセス制御制御要素（ＭＡＣ  ＣＥ）と、のうちの少なくとも１つによってトリガされる、項目４３に記載の方法。
（項目４６）
前記少なくとも第１のＳＲＳが、定期的ＳＲＳまたは半永続的ＳＲＳである、項目４３に記載の方法。
（項目４７）
前記合計送信電力が、前記少なくとも第１のＳＲＳの第１の送信の第１の送信電力と、前記第２の信号の第２の送信の第２の送信電力と、を含む、項目４３に記載の方法。
（項目４８）
前記第２の信号が、ＣＳＩ取得のための第２のＳＲＳ、またはＰＲＡＣＨプリアンブルのうちの少なくとも１つを含む、項目４３に記載の方法。
（項目４９）
前記無線デバイスが、第１の送信電力で前記少なくとも第１のＳＲＳを送信し、前記第１の送信電力が、
前記第２の構成パラメータ、および
ＤＣＩで示されるＳＲＳ電力制御コマンドのうちの少なくとも１つに基づいて判定される、項目４３に記載の方法。
（項目５０）
前記第２の信号の前記構成／スケジュールされた送信が、ＤＣＩ、ＭＡＣ  ＣＥ、またはＲＲＣメッセージによってトリガされる、項目４３に記載の方法。
（項目５１）
基地局から無線デバイスによって、１つ以上の無線リソース制御メッセージを受信することであって、前記１つ以上の無線リソース制御メッセージは、
第１のセルおよび第２のセルを含む、複数のセルの第１の構成パラメータと、
前記第１のセルのビーム管理の第１のサウンディング基準信号（ＳＲＳ）の第２の構成パラメータと、を含んでいる、受信することと、
前記第１のセルを介して、前記第１のＳＲＳのうちの少なくとも第１のＳＲＳを送信することと、
前記少なくとも第１のＳＲＳの前記送信と時間的にオーバーラップする、前記第２のセルを介した第２の信号の構成された送信、および
第１の合計許容電力値を超える合計送信電力に応じて、前記第２の信号の前記構成された送信の送信電力を調整することと、
前記調整された送信電力で、前記第２のセルを介して前記第２の信号を送信することと、を含む、方法。
（項目５２）
前記第１の構成パラメータが、
ＳＲＳリソース構成パラメータと、
ＱＣＬ表示パラメータと、
ビーム掃引パラメータと、
ＳＲＳ電力設定パラメータと、のうちの少なくとも１つを含む、項目５１に記載の方法。
（項目５３）
前記ビーム管理が、
ダウンリンク制御チャネルを介して送信される第１のダウンリンク制御情報（ＤＣＩ）と、
メディアアクセス制御制御要素（ＭＡＣ  ＣＥ）と、のうちの少なくとも１つによってトリガされる、項目５１に記載の方法。
（項目５４）
前記少なくとも第１のＳＲＳが、定期的ＳＲＳまたは半永続的ＳＲＳである、項目５１に記載の方法。
（項目５５）
前記合計送信電力が、前記少なくとも第１のＳＲＳの第１の送信の第１の送信電力と、前記第２の信号の第２の送信の第２の送信電力と、を含む、項目５１に記載の方法。
（項目５６）
前記第２の信号が、ＣＳＩ取得のための第２のＳＲＳ、またはＰＲＡＣＨプリアンブルのうちの少なくとも１つを含む、項目５１に記載の方法。
（項目５７）
前記無線デバイスが、第１の送信電力で前記少なくとも第１のＳＲＳを送信し、前記第１の送信電力が、
前記第２の構成パラメータ、および
ＤＣＩで示されるＳＲＳ電力制御コマンドのうちの少なくとも１つに基づいて判定される、項目５１に記載の方法。
（項目５８）
前記第２の信号の前記構成／スケジュールされた送信が、ＤＣＩ、ＭＡＣ  ＣＥ、またはＲＲＣメッセージによってトリガされる、項目５１に記載の方法。
（項目５９）
前記無線デバイスが、前記合計送信電力が前記合計許容電力値を超えないように、前記第２の信号の前記送信電力を調整する、項目５１に記載の方法。
（項目６０）
前記第２の信号の前記送信電力を調整することが、前記合計送信電力が前記合計許容電力値を超えないように、前記第２の信号の前記送信電力を低減することを含む、項目５１に記載の方法。
（項目６１）
基地局から無線デバイスによって、アップリンクビーム管理プロシージャの構成パラメータを含む１つ以上のメッセージを受信することであって、前記構成パラメータが、
第１のサウンディング基準信号（ＳＲＳ）リソースの第１のパラメータと、
第２のアップリンクリソースの第２のパラメータと、
第１のタイマの第１のタイマ値と、を含んでいる、受信することと、
第１のダウンリンク制御情報（ＤＣＩ）を受信することであって、前記第１のＤＣＩが、前記アップリンクビーム管理プロシージャのための少なくとも１つのＳＲＳの送信を示している、受信することと、
前記第１のＳＲＳリソースのうちの少なくとも１つを介して、前記少なくとも１つのＳＲＳを送信することであって、
前記送信に応じて、
前記第１のタイマ値に基づいて前記第１のタイマを開始し、かつ
第２のＤＣＩのダウンリンク制御チャネルを監視する、送信することと、
前記監視中に前記第２のＤＣＩを検出しないことに応じて、前記第２のアップリンクリソースのうちの少なくとも１つを介して、少なくとも第２のアップリンク信号を送信することと、を含む、方法。
（項目６２）
前記監視中に前記第２のＤＣＩを検出したことに応じて、
前記第１のタイマを停止することと、
前記アップリンクビーム管理プロシージャを正常に完了することと、をさらに含む、項目６１に記載の方法。
（項目６３）
前記第２のアップリンクリソースが、
第２のＳＲＳと、
１つ以上の復調ＲＳ（ＤＭ−ＲＳ）と、
１つ以上のＲＡＣＨリソースと関連付けられた１つ以上のプリアンブルと、のうちの少なくとも１つを含む、項目６１に記載の方法。
（項目６４）
前記第２のパラメータが、１つ以上のＲＡＣＨリソースを示しており、前記１つ以上のＲＡＣＨリソースの各々が、
プリアンブルインデックスと、
ＰＲＡＣＨ数秘術と、
時間および／または周波数無線リソース割り振りと、
プリアンブル送信の電力設定と、のうちの少なくとも１つと関連付けられている、項目６１に記載の方法。
（項目６５）
前記第１のＤＣＩが、
前記第１のＳＲＳリソースのうちの１つを示している、ＲＳリソース識別子と、
プリアンブルインデックスと、のうちの少なくとも１つを含む、項目６１に記載の方法。
（項目６６）
前記第１のＤＣＩが、前記第２のＤＣＩの構成パラメータを含んでおり、前記第２のＤＣＩの前記構成パラメータが、
前記第２のＤＣＩがいつ存在するかを示している時間値を有する、時間窓と、
前記第２のＤＣＩのＤＣＩフォーマット表示と、
前記第２のＤＣＩのアグリゲーションレベルと、
前記第２のＤＣＩと関連付けられた制御リソースセットと、
前記第２のＤＣＩと関連付けられた検索空間と、
前記第２のＤＣＩを受信するための準コロケーション（ＱＣＬ）表示と、のうちの少なくとも１つを含んでいる、項目６１に記載の方法。
（項目６７）
前記少なくとも第２のアップリンク信号が、
プリアンブルと、
物理アップリンク共有制御チャネル（ＰＵＣＣＨ）を介した信号と、のうちの少なくとも１つを含む、項目６１に記載の方法。
（項目６８）
前記無線デバイスが、前記第１のタイマが動作しているときの少なくとも一部の間、前記第２のＤＣＩについて前記ダウンリンク制御チャネルを監視する、項目６１に記載の方法。
（項目６９）
前記第１のパラメータが、
前記第１のＳＲＳリソースの１つ以上の無線リソース設定パラメータと、
前記第１のＳＲＳリソースの電力設定パラメータと、のうちの少なくとも１つを含む、項目６１に記載の方法。
（項目７０）
前記アップリンクビーム管理プロシージャを正常に完了することが、前記第２のＤＣＩのうちの１つ以上のフィールドに従って送信ビームを調整することを含む、項目６２に記載の方法。
（項目７１）
前記少なくとも１つのアップリンク信号が、前記１つ以上のプリアンブルから選択されたプリアンブルである、項目６３に記載の方法。
（項目７２）
前記少なくとも１つのアップリンク信号が、前記第１のＤＣＩで示される前記１つ以上のプリアンブルのうちのプリアンブルである、項目６３に記載の方法。
（項目７３）
前記少なくとも１つのアップリンク信号が、前記第１のＤＣＩで示される前記第２のＳＲＳのうちのＳＲＳである、項目６３に記載の方法。
（項目７４）
前記少なくとも１つのアップリンク信号が、前記第１のＤＣＩで示される前記ＤＭ−ＲＳのうちのＤＭ−ＲＳである、項目６３に記載の方法。
（項目７５）
前記無線デバイスが、前記１つ以上のＲＡＣＨリソースのうちの１つと関連付けられたプリアンブルを含んでいる、前記少なくとも１つのアップリンク信号を送信する、項目６４に記載の方法。
（項目７６）
前記無線デバイスが、
前記プリアンブルと関連付けられた前記ＰＲＡＣＨ数秘術と、
前記プリアンブルと関連付けられた時間および／または周波数無線リソース割り振りと、
前記プリアンブルと関連付けられた前記プリアンブル送信の前記電力設定と、に従って、前記プリアンブルを送信する、項目６４に記載の方法。
（項目７７）
前記無線デバイスが、
前記時間窓と、
前記ＤＣＩフォーマット表示と、
前記アグリゲーションレベルと、
前記制御リソースセットと、
前記検索空間と、
前記ＱＣＬ表示と、のうちの少なくとも１つに従って、前記第２のＤＣＩについて物理ダウンリンク制御チャネル（ＰＤＣＣＨ）を監視する、項目６６に記載の方法。
（項目７８）
前記第２のＤＣＩの受信に応じて、ＰＵＣＣＨまたは物理アップリンク共有チャネル（ＰＵＳＣＨ）で、前記少なくとも第２のアップリンク信号を送信することをさらに含む、項目６６に記載の方法。
（項目７９）
前記少なくとも第２の信号の送信のためのＰＵＣＣＨリソースが、前記第１のＤＣＩで示される、項目６７に記載の方法。
（項目８０）
前記少なくとも第２の信号の送信のためのＰＵＣＣＨリソースが、前記１つ以上のメッセージで示される、項目６７に記載の方法。
（項目８１）
基地局から無線デバイスによって、アップリンクビーム管理プロシージャの構成パラメータを含む１つ以上の無線リソース制御メッセージを受信することであって、前記構成パラメータが、
基準信号（ＲＳ）リソースと、
第１のタイマの第１のタイマ値と、を示している、受信することと、
第１のダウンリンク制御情報（ＤＣＩ）を受信することであって、前記第１のＤＣＩが、
前記ＲＳリソースの第１のＲＳを識別するＲＳインデックスと、
第２のＤＣＩが存在するかどうかを示すインジケータと、を含んでいる、受信することと、
前記第１のＤＣＩの受信に応じて、前記第１のＲＳを送信することであって、
前記第２のＤＣＩが存在することを示している前記第１のＤＣＩの前記インジケータに応じて、
前記第１のタイマ値に基づいて、前記第１のタイマを開始し、かつ
前記第２のＤＣＩの物理ダウンリンク制御チャネル（ＰＤＣＣＨ）を監視する、送信することと、
前記第２のＤＣＩに応じて、前記アップリンクビーム管理プロシージャを完了することと、を含む、方法。
（項目８２）
前記無線デバイスが、前記第２のＤＣＩについて前記ＰＤＣＣＨを監視せず、かつ前記第２のＤＣＩが存在しないことを示している前記インジケータに応じて、前記第１のタイマを開始しないこと、をさらに含む、項目８１に記載の方法。
（項目８３）
前記アップリンクビーム管理プロシージャを完了することが、前記第２のＤＣＩのうちの１つ以上のフィールドに従って送信ビームを調整することを含む、項目８１に記載の方法。
（項目８４）
前記ＲＳリソースが、
サウンディング基準信号（ＳＲＳ）と、
１つ以上の復調ＲＳ（ＤＭ−ＲＳ）と、
１つ以上のＲＡＣＨリソースと関連付けられた１つ以上のプリアンブルと、のうちの少なくとも１つを含む、項目８１に記載の方法。
（項目８５）
前記監視中に前記第２のＤＣＩを検出したことに応じて、
前記第１のタイマを停止することと、
前記アップリンクビーム管理プロシージャを正常に完了することと、をさらに含む、項目８１に記載の方法。
（項目８６）
前記監視中に前記第２のＤＣＩを検出しないことに応じて、
前記第１のタイマを停止することと、
少なくとも第２の信号を送信することと、をさらに含む、項目８１に記載の方法。
（項目８７）
前記少なくとも第２の信号が、
第２のＳＲＳと、
１つ以上の第２のＤＭ−ＲＳと、
１つ以上の第２のプリアンブルと、のうちの少なくとも１つを含む、項目８６に記載の方法。
【国際調査報告】
2020527920.tif 000049
2020527920.tif 000050
2020527920.tif 000051
2020527920.tif 000052
2020527920.tif 000053
2020527920.tif 000054